(57)【要約】大容量コンテンツの試聴後の購入を実現し、かつ異なるコンテンツ取扱いシステムへコンテンツのエクスポートや再生専用端末へのコンテンツの転送、コピーを可能にするデータ処理装置。この装置を適用した携帯通信端末装置１１は、試聴用権利データとエクスポート前コンテンツデータをサーバ１２からダウンロードし、試聴用権利データを蓄積部２５に蓄積し、エクスポート前コンテンツデータをメモリカード１３に一旦蓄積して、再生機能によりエクスポート前コンテンツデータの試聴を可能とした。試聴後にユーザが試聴コンテンツの購入を希望する場合は、携帯通信端末装置１１は、制限無し権利データをサーバ１２からダウンロードし、蓄積したエクスポート前コンテンツデータと制限無し権利データをメモリカード１３に適合するフォーマットに変換してメモリカード１３にエクスポートした。【特許請求の範囲】
【請求項１】
コンテンツに関する権利データを含むデータ処理を行うデータ処理装置であって、
配信元から配信されたコンテンツを記憶する記憶媒体と、
前記記憶されたコンテンツの試聴処理を行う試聴処理手段と、
前記配信元から前記コンテンツの取扱いに関する権利データを取得する取得手段と、
当該権利データと前記記憶されたコンテンツを読み出してエクスポート先のコンテンツ取扱い管理システムに適合するように変換する変換手段と、
前記変換された権利データとコンテンツを前記記憶媒体に蓄積する管理手段と、を備えるデータ処理装置。
【請求項２】
前記取得手段は、前記配信元から前記コンテンツに対する試聴用権利データを取得し、
前記試聴処理手段は、前記試聴用権利データに従って前記記憶されたコンテンツの試聴処理を行う請求項１記載のデータ処理装置。
【請求項３】
前記記憶媒体は、前記配信元から配信された試聴用コンテンツと購入用コンテンツを記憶し、
前記試聴処理手段は、前記記憶された試聴用コンテンツの試聴処理を行う請求項１記載のデータ処理装置。
【請求項４】
前記試聴用コンテンツと前記購入用コンテンツは、前記配信元から同梱して配信される請求項３記載のデータ処理装置。
【請求項５】
前記コンテンツのエクスポート先が試聴機能を持たないコンテンツ取扱い管理システムである請求項１記載のデータ処理装置。
【請求項６】
前記記憶媒体が着脱可能である請求項１記載のデータ処理装置。
【請求項７】
コンテンツに関する権利データを含むデータ処理を行うデータ処理装置であって、
配信元から配信されたコンテンツを蓄積する蓄積手段と、
データを転送する転送手段と、
前記記憶されたコンテンツの試聴処理を行う試聴処理手段と、
前記配信元から前記コンテンツの取扱いに関する権利データを取得する取得手段と、
前記権利データと前記蓄積されたコンテンツを前記転送手段により転送する管理手段と、を備えるデータ処理装置。
【請求項８】
前記権利データは、前記転送先の端末装置専用の権利データである請求項７記載のデータ処理装置。
【請求項９】
前記取得手段は、前記配信元から前記コンテンツに対する試聴用権利データを取得し、前記試聴処理手段は、前記試聴用権利データに従って前記記憶されたコンテンツの試聴処理を行う請求項７記載のデータ処理装置。
【請求項１０】
前記コンテンツの転送先が試聴機能を持たないコンテンツ取扱い管理システムである請求項７記載のデータ処理装置。
【請求項１１】
コンテンツに関する権利データを含むデータ処理を行うデータ処理装置であって、
配信元から配信されたコンテンツを蓄積する蓄積手段と、
データを共有する共有手段と、
前記記憶されたコンテンツの試聴処理を行う試聴処理手段と、
前記配信元から前記コンテンツに対する権利データを取得する取得手段と、
前記権利データと前記蓄積されたコンテンツを前記共有手段により共有する管理手段と、を備えるデータ処理装置。
【請求項１２】
前記権利データは、前記共有元端末装置及び前記共有先端末装置にて共有可能な権利データである請求項１１記載のデータ処理装置。
【請求項１３】
前記取得手段は、前記配信元から前記コンテンツに対する試聴用権利データを取得し、前記試聴処理手段は、前記試聴用権利データに従って前記記憶されたコンテンツの試聴処理を行う請求項１１記載のデータ処理装置。
【請求項１４】
前記コンテンツの共有先が試聴機能を持たないコンテンツ取扱い管理システムである請求項１１記載のデータ処理装置。
【発明の詳細な説明】
【技術分野】
【０００１】  本発明は、携帯情報端末、携帯電話装置などの電子機器や、メモリカードなどの記録媒体などにおいて、デジタルコンテンツの取扱いに関する権利データを含むデータの処理を行うデータ処理装置に関する。
【背景技術】
【０００２】  インターネット等のネットワーク環境の性能向上などにより、画像や音声などのデジタルデータを含むデジタルコンテンツが広範に流通するようになり、それに伴いデジタルコンテンツの著作権保護などのコンテンツ管理が重要な課題となっている。デジタル化された音楽などの著作物は何度コピーしてもどんな遠距離を送受信しても品質が劣化しないため、インターネットの普及やパーソナルコンピュータの高速化、大容量化に伴って、著作者の許諾を得ない違法な配布、交換などが増えている。【０００３】  従来、通信回線や記録媒体を介して提供されるデジタルコンテンツに対して、不正なコピーや分配を防止する手法として、モジュール間での認証によりコピープロテクトを行う方法（例えば、特許文献１参照）、分配されるコンテンツをＩＤで管理する方法（例えば、特許文献２参照）などが提案されている。【０００４】  また、最近では、デジタルコンテンツの取扱いを管理して著作権等を保護するための技術として、デジタルコンテンツの流通、再生等に制限を加えるＤＲＭ（Ｄｉｇｉｔａｌ  Ｒｉｇｈｔｓ  Ｍａｎａｇｅｍｅｎｔ）技術が注目を集めている。ＤＲＭシステムの具体的な実装形態は様々で、メモリカードなどの記録媒体に内蔵される場合や、音声や動画のプレーヤーソフトウェアに組み込まれる場合、送受信、転送ソフトに組み込まれる場合、及びそれらの組み合わせなどがある。ＤＲＭシステムでは、コンテンツ毎に対応する利用権限を付与（取扱いに関する権利データとして記述）し、この権利データに基づいてコンテンツの再生などの利用を管理する。従って、権利データが無いとコンテンツの利用が行えず、また権利データにおける利用権限が消滅するとそれ以降の利用が行えなくなる。【０００５】  ところで、上記のようにＤＲＭシステムは複数存在し、それぞれのＤＲＭシステムによって、対応可能なコンテンツデータのフォーマット（コンテンツタイプ）、権利データの記述方式や記述可能な内容などが異なっている。このため、コンテンツの配信側（著作権者、流通事業者など）では、ＤＲＭシステム毎にコンテンツデータや権利データを生成するのが煩雑であった。そこで、同じコンテンツを複数の異なるＤＲＭシステムで流通させることができるコンテンツ管理方法及び装置が提案されている（例えば、特許文献３参照）。【０００６】  一方、コンテンツの受信側の利用者においては、例えばコンテンツを他の記録媒体や機器などで取り扱えるようにコンテンツデータのフォーマットや暗号方式の変換等を行って送出する場合、同一のＤＲＭシステムで管理される記録媒体や機器に対しては通常は出力可能であるが、異なるＤＲＭシステムで管理される記録媒体や機器に対して出力することは通常は不可能であった。例えば、携帯情報端末用にダウンロードしたコンテンツは、その携帯情報端末を管理する特定のＤＲＭシステムで管理されており、異なるＤＲＭシステムで管理されるメモリカードに記録して他の機器で利用したりすることはできなかった。このような異なるＤＲＭシステムで管理される記録媒体や機器の間で利用可能となるようにデータを変換して出力すること（以下、これをエクスポート（ｅｘｐｏｒｔ）と称する）が、コンテンツの利用���等において任意に実行できれば便利である。【０００７】  また、権利データにおける利用権限として、利用可能回数や利用期限、コンテンツの利用に関する取扱い許可情報を用いることにより、例えば、コンテンツと無料の利用可能回数制限付の権利データを配布することによって、ユーザがコンテンツの試聴を行い、その後、制限の無い権利データを購入するというコンテンツの販売形態がある。なお、「試聴」とは、ユーザが制限のない権利データを取得せず、利用制限付きの権利データを取得した状態で、コンテンツを限定的に利用する場合である。試聴の例としては、音の再生、画像の再生または表示、印刷、等が含まれる。【０００８】  ここで、「試聴後の購入」とは、ユーザは、まず、試聴用の権利データとコンテンツの配信を受け、その試聴用の権利データを利用してコンテンツを再生した後、制限の無い権利データを購入する手順を取ることである。また、「試聴用の制限付き権利データ」とは、利用可能回数（例えば、３回まで、等）、利用期限（例えば、何月何日まで、最初に再生してから何日間、等）、利用可能再生合計時間（例えば、再生合計時間は１０分間、等）、利用可能部分（例えば、３分の楽曲の最初の３０秒部分のみ、等）、利用可能品質（例えば、楽曲の音質を落としたもの、等）を設定したものである。【０００９】  また、携帯電話端末等の端末ではメモリ容量に制限があり、大容量コンテンツを配信できない場合がある。但し、異なるＤＲＭシステムで管理される大容量メモリカードが装着されている端末の場合は、コンテンツデータの配信と同時にメモリカードにエクスポートする方法がある。【００１０】  また、他のコンテンツ販売形態としては、例えば、端末Ａと端末Ｂが同一のＤＲＭシステムを有し、端末Ａから端末Ｂに対してコンテンツを転送する方法もある。この場合、端末Ａにおいてコンテンツのダウンロードと権利データの購入（購入手続のみ、又は購入手続きと権利データのダウンロードの両方）を行い、コンテンツと権利データを端末Ｂに転送し、端末Ｂにおいてコンテンツの利用を行う。ここで端末Ａはネットワーク接続機能を持つが、端末Ｂはネットワーク接続機能を持たない場合もある。【００１１】  具体的には、例えば、端末Ａがパーソナルコンピュータであり、端末Ｂが携帯電話であり、端末Ａはネットワークに接続し、端末Ａと端末Ｂ間は蓄積メディアやＩｒＤＡ（Ｉｎｆｒａｒｅｄ  Ｄａｔａ  Ａｓｓｏｃｉａｔｉｏｎ：赤外線通信）等のローカルリンク機能でデータを転送する構成とする。端末Ａは、ネットワーク経由でコンテンツ提供元サーバにおいて端末Ｂ用のコンテンツと権利データを選択、購入処理を行い、ネットワーク経由でコンテンツ提供元サーバからコンテンツのみを取得し、蓄積メディアやＩｒＤＡ等を経由してコンテンツを端末Ｂに転送する。端末Ｂは、ネットワークに接続し、端末Ａにより購入処理済みの権利データを取得して、コンテンツを利用可能にする。【００１２】  この販売形態の場合は、大容量コンテンツをモバイルネットワーク経由ではなく、インターネット（ブロードバンド）経由で高速にダウンロード可能であり、コンテンツのダウンロード時に同時に購入処理も完了可能となる。【００１３】  また���他の形態として、端末Ａが携帯電話であり、端末Ｂが音楽再生専用端末であり、端末Ａはネットワークに接続し、端末Ａと端末Ｂ間は蓄積メディアやＩｒＤＡ等で接続する構成とする。端末Ａは、ネットワーク経由でコンテンツ提供元サーバにおいて端末Ｂ用のコンテンツと権利データを選択、購入処理を行い、ネットワーク経由でコンテンツ提供元サーバからコンテンツと権利データを取得した後、ＩｒＤＡ経由でコンテンツと権利データを端末Ｂに転送する。【００１４】  この販売形態の場合は、ネットワーク接続機能や、コンテンツ選択・購入処理に適したユーザインターフェースを持たない音楽再生専用端末用で再生するためのコンテンツの選択・購入処理を携帯電話等のネットワーク機能を備えた端末で実施することが可能となる。
【特許文献１】特開平１１−３０６０９２号公報（段落［００３０］−［００９８］、図１）
【特許文献２】特開２００１−２８２６２６号公報（段落［００１６］−［００７０］、図１）
【特許文献３】特開２００２−２９７４５１号公報（段落［００２７］−［００６３］、図１）
【発明の開示】
【発明が解決しようとする課題】
【００１５】  しかし、異なるＤＲＭシステムで管理される大容量メモリカードでは、利用可能回数や利用期限をサポートしていないことがあり、大容量コンテンツの配信において、試聴後に購入するという手順をとることができない。【００１６】  また、同一のＤＲＭシステムを有する端末Ａから端末Ｂにコンテンツを転送する販売形態の場合は、転送元の端末Ａと転送先の端末Ｂとでは、ＤＲＭシステムが同一であっても、そのＤＲＭシステムのすべての機能をサポートしているとは限らず、特に端末Ｂはコンテンツの再生を重視した端末である場合、試聴機能を持っているとは限らず、コンテンツ提供元で設定された利用制限の元でコンテンツ試聴機能を利用することができない。【００１７】  本発明の目的は、大容量コンテンツの試聴後のコンテンツの購入を実現し、かつ異なるコンテンツ取扱いシステムへコンテンツデータをエクスポートや再生専用端末へのコンテンツの転送、コピーすることを可能にするデータ処理装置を提供することである。
【課題を解決するための手段】
【００１８】  本発明のデータ処理装置は、配信元から配信されたコンテンツを一時的に記憶する着脱可能な記憶媒体と、前記配信元から前記コンテンツに対する試聴用権利データを取得する取得手段と、前記試聴用権利データに従って前記記憶されたコンテンツの試聴処理を行う試聴処理手段と、前記試聴処理後、前記取得手段により前記配信元から前記コンテンツの取扱いに関する権利データを取得する取得手段と、当該権利データと前記記憶されたコンテンツを読み出してエクスポート先のコンテンツ取扱い管理システムに適合するように変換する変換手段と、前記変換された権利データとコンテンツを前記記憶媒体に蓄積する管理手段と、を備える構成を採る。
【発明の効果】
【００１９】  本発明によれば、大容量コンテンツの試聴後の購入を実現し、かつ異なるコンテンツ取扱いシステムへコンテンツのエクスポートや再生専用端末へのコンテンツの転送、コピーを実現することができる。
【図面の簡単な説明】
【００２０】
【図１】本発明の実施の形態１に係るコンテンツ配信システムの全体構成を示す図
【図２】本実施の形態１に係る図１の携帯通信端末装置の内部構成を示すブロック図
【図３】本実施の形態１に係るエクスポート前試聴用権利データとエクスポート前コンテンツデータのダウンロード動作を模式的に示した図
【図４】本実施の形態１に係るエクスポート前試聴用権利データを利用したエクスポート前コンテンツデータの試聴動作を模式的に示した図
【図５】本実施の形態１に係るエクスポート前制限無し権利データのダウンロード動作を模式的に示した図
【図６】本実施の形態１に係るエクスポート前制限無し権利データ及びコンテンツデータのエクスポート動作を模式的に示した図
【図７】本実施の形態１に係るエクスポート前試聴用権利データとエクスポート前コンテンツデータのダウンロード動作と試聴動作の詳細を示す図
【図８】本実施の形態１に係るエクスポート前制限無し権利データのダウンロード動作とエクスポート前制限無し権利データ及びコンテンツデータのエクスポート動作の詳細を示す図
【図９】本実施の形態１に係るコンテンツデータの構成例を示す図
【図１０】本実施の形態１に係るエクスポート前試聴用権利データ及びエクスポート前制限無し権利データの構成例を示す図
【図１１】本発明の実施の形態２に係る試聴用コンテンツデータとエクスポート前購入用コンテンツデータのダウンロード動作を模式的に示した図
【図１２】本実施の形態２に係る試聴用コンテンツデータの試聴動作を模式的に示した図
【図１３】本実施の形態２に係るエクスポート前制限無し権利データのダウンロード動作を模式的に示した図
【図１４】本実施の形態２に係るエクスポート前コンテンツデータの制限無し権利データとコンテンツデータのエクスポート動作を模式的に示した図
【図１５】本実施の形態２に係るエクスポート前ダウンロード動作及び試聴動作の詳細を示す図
【図１６】本実施の形態２に係るエクスポート前制限無し権利データのダウンロード動作とエクスポート前制限無し権利データ及びコンテンツデータのエクスポート動作の詳細を説明する図
【図１７】本実施の形態２に係るエクスポート前試聴用コンテンツデータ＋購入用コンテンツデータの構成例を示す図
【図１８】本実施の形態２に係るエクスポート前制限無し権利データの構成例を示す図
【図１９】本発明の実施の形態３に係る携帯通信端末装置の内部構成を示すブロック図
【図２０】本実施の形態３に係る携帯端末装置の内部構成を示すブロック図
【図２１】本実施の形態３に係るコンテンツデータと携帯通信端末装置専用試聴用権利データのダウンロード動作を模式的に示した図
【図２２】本実施の形態３に係るコンテンツデータと携帯通信端末装置専用試聴用権利データの試聴動作を模式的に示した図
【図２３】本実施の形態３に係る携帯端末装置専用制限無し権利データを利用したコンテンツデータのダウンロード動作を模式的に示した図
【図２４】本実施の形態３に係る携帯端末装置専用制限無し権利データ及びコンテンツデータのエクスポート動作を模式的に示した図
【図２５】本実施の形態３に係る携帯通信端末装置専用試聴用権利データとコンテンツデータのダウンロード動作及び試聴動作の詳細を示す図
【図２６】本実施の形態３に係る携帯端末装置専用制限無し権利データのダウンロード動作、携帯端末装置専用制限無し権利データ及びコンテンツデータの転送動作の詳細を示す図
【図２７】本実施の形態３に係るコンテンツデータの構成例を示す図
【図２８】本実施の形態３に係る携帯通信端末装置専用試聴用権利データ及び携帯端末専用・購入用権利データの構成例を示す図
【図２９】本発明の実施の形態４に係る携帯通信端末装置の内部構成を示すブロック図
【図３０】本実施の形態４に係るコンテンツデータと携帯通信端末装置専用試聴用権利データのダウンロード動作を模式的に示した図
【図３１】本実施の形態４に係る携帯通信端末装置専用試聴用権利データを利用したコンテンツデータの試聴動作を模式的に示した図
【図３２】本実施の形態４に係る共有用・購入用権利データのダウンロード動作を模式的に示した図
【図３３】本実施の形態４に係る共有用・購入用権利データ及びコンテンツデータのコピー動作を模式的に示した図
【図３４】本実施の形態４に係るコンテンツデータ及び携帯通信端末装置専用試聴用権利データのダウンロード動作と試聴動作の詳細を示す図
【図３５】本実施の形態４に係る共有用・購入用権利データをダウンロード動作と、コンテンツデータ及び共有用・購入用権利データのコピー動作の詳細を示す図
【図３６】本実施の形態４に係るコンテンツデータの構成例を示す図
【図３７】本実施の形態４に係る携帯通信端末装置専用試聴用権利データ及び共有用・購入用権利データの構成例を示す図
【発明を実施するための最良の形態】
【００２１】  以下、本発明の実施の形態について図面を参照して詳細に説明する。【００２２】  （実施の形態１）
図１は本発明の実施の形態１に係るコンテンツ配信システムの構成を示す図である。ここでは、携帯電話装置等の携帯通信端末装置によってコンテンツ配信元よりコンテンツデータと試聴用権利データをダウンロードして取得し、コンテンツは携帯通信端末装置に接続されたメモリカードに一旦蓄積し、取得した試聴用権利データによりエクスポート元である携帯通信端末装置のＤＲＭシステムに基づいて蓄積したコンテンツの試聴処理を行い、この試聴処理後にコンテンツ配信元より制限無し権利データを取得し、この制限無し権利データと蓄積されたコンテンツをエクスポート先のコンテンツ取扱い管理システムに適合するように変換してエクスポートする場合の構成及び動作を説明する。本実施形態の例では、サーバがコンテンツ配信元に相当し、携帯通信端末装置がデータ処理装置に相当する。【００２３】  図１において、コンテンツ配信システムは、コンテンツをダウンロードする携帯通信端末装置１１と、コンテンツ配信元であるサーバ１２と、携帯通信端末装置１１とサーバ１２とを接続する通信ネットワーク１４と、から構成されている。【００２４】  携帯通信端末装置１１は、サーバ１２より配信されるコンテンツデータ及び試聴用権利データをダウンロードし、自装置で用いられるＤＲＭシステムに対応してコンテンツデータ及び試聴用権利データを含むデータを試聴処理するデータ処理装置の機能を有する。この携帯通信端末装置１１において、ＤＲＭシステムによるコンテンツ取扱い管理に従ってコンテンツの利用が可能となっている。ここで、コンテンツデータとしては、音楽、画像、文字、ソフトウェアなどの各種データ、またはこれらを複合したものなどが含まれる。【００２５】  また、コンテンツの利用としては、音楽コンテンツの再生、画像や文字コンテンツの表示、ソフトウェアの実行、印刷などがある。また、携帯通信端末装置１１は、メモリカード１３などの異なるＤＲＭシステム環境下にある媒体や装置に対してコンテンツをエクスポートするために、異なるＤＲＭシステムに適合するように制限無し権利データを適宜変換する機能を有している。なお、「ＤＲＭシステムに適合する」とは、そのＤＲＭシステムの規則等に準拠した利用（再生、記録、移転等）が可能であることを意味する。【００２６】  さらに、携帯通信端末装置１１は、試聴処理後に既に存在するコンテンツに関する制限無し権利データをサーバ１２から取得して、制限無し権利データと蓄積済みのコンテンツをメモリカード１３のコンテンツ取扱い管理システムに適合するように変換してエクスポートする機能を有している。権利データとしては、例えば、コンテンツの利用可能回数や利用期限、また他のＤＲＭシステムへのエクスポートの可否など、コンテンツの利用に関する取扱い許可情報、制限情報を含む利用条件について記述した情報が含まれる。【００２７】  携帯通信端末装置１１は、図２に示すように、アンテナ２１と、送受信部２２と、メモリ２３と、制御部２４と、蓄積部２５と、メモリカードＩ／Ｆ２６と、表示部２７と、から主に構成される。アンテナ２１は、通信ネットワーク１４を介してサーバ１２との間で通信信号を無線送受信する。送受信部２２は、アンテナ２１により受信��れた通信信号を復調して制御部２４に出力し、制御部２４から入力される送信信号を変調してアンテナ２１に出力する無線通信機能を有する。メモリ２３は、ＲＯＭ（Ｒｅａｄ  Ｏｎｌｙ  Ｍｅｍｏｒｙ）等の半導体メモリから構成され、制御部２４において実行される各種制御プログラム等を記憶する。【００２８】  制御部２４は、図２に示すように、ダウンロード部２４ａ、管理部２４ｂ及び変換部２４ｃを有する。ダウンロード部２４ａは、サーバ１２からコンテンツ、試聴用権利データ及び制限無し権利データ等をダウンロードするダウンロード処理を実行する。【００２９】  管理部２４ｂは、ダウンロードされたエクスポート前のコンテンツをメモリカード１３に蓄積し、ダウンロードされた試聴用権利データを蓄積部２５に蓄積する蓄積処理を実行する。また、管理部２４ｂは、蓄積部２５から試聴用権利データを読み出し、メモリカード１３からエクスポート前のコンテンツを読み出して試聴処理を実行する試聴処理機能を有する。さらに、管理部２４ｂは、エクスポート前コンテンツデータに格納されているライセンス取得用ＵＲＬ（Ｕｎｉｆｏｒｍ  Ｒｅｓｏｕｒｃｅ  Ｌｏｃａｔｏｒ）を読み出して、ダウンロード部２４ａによりサーバ１２から制限無し権利データをダウンロードさせ、この制限無し権利データと蓄積されたエクスポート前コンテンツデータとを変換部２４ｃにより変換してエクスポートするエクスポート処理を実行するコンテンツ処理機能を有する。【００３０】  変換部２４ｃは、管理部２４ｂにより読み出された制限無し権利データとエクスポート前コンテンツデータを、エクスポート先であるメモリカード１２のＤＲＭシステムに適合するように変換する変換処理を実行する。【００３１】  蓄積部２５は、管理部２４ｂにより試聴用権利データ及び制限無し権利データ等が蓄積されるものである。メモリカードＩ／Ｆ部２６は、メモリカード１３を着脱可能に接続するものであり、制御部２４とメモリカード１３との間で制限無し権利データやコンテンツ等のデータを記録または読み出しする機能を有する。表示部２７は、液晶パネル等により構成され、通信に関わる情報、ブラウザ起動中のサイト画面、試聴処理中の情報画面等を表示する。【００３２】  メモリカード１３は、携帯通信端末装置１１で用いられるＤＲＭシステムとは異なるＤＲＭシステムに対応して、コンテンツ及び権利データを格納する記録媒体である。通信ネットワーク１４は、移動体通信網、電話網、インターネット網などの各種通信手段のいずれかを含んで構成される。【００３３】  図１の例ではサーバ１２を一つの装置で表しているが、これらの機能を有する複数のサーバ装置によりサーバ１２が構成されていてもよい。例えば、コンテンツの提供元と権利データの提供元とで異なるサーバ装置を設けて、コンテンツ配信用のサーバと権利データ配信用のサーバとを別に構成してもよい。また、さらに権利データ配信用のサーバを試聴用権利データ配信用のサーバと、制限無し権利データ配信用のサーバとを別に構成しても良い。【００３４】  次に、本実施の形態のコンテンツ配信システムにおける動作について、図３〜図８を参照して説明する。まず、図３〜図６を参照してコンテンツの試聴動作���びエクスポート動作の概要について説明する。図３及び図４は、エクスポート前試聴用権利データとエクスポート前コンテンツデータのダウンロード動作と試聴動作を模式的に示した図である。図５及び図６は、エクスポート前制限無し権利データのダウンロード動作とコンテンツのエクスポート動作を模式的に示した図である。【００３５】  まず、図３において、携帯通信端末装置１１は、サーバ１２にアクセスし、エクスポート前試聴用権利データをダウンロードして蓄積部２５に蓄積し、エクスポート前コンテンツデータをダウンロードしてメモリカード１３に蓄積する。次いで、図４において、携帯通信端末装置１１は、蓄積部２５に蓄積したエクスポート前試聴用権利データを利用して、携帯通信端末装置１１のＤＲＭシステムに基づいてメモリカード１３に蓄積したエクスポート前コンテンツデータの試聴処理を実行する。【００３６】  次いで、図５において、携帯通信端末装置１１は、サーバ１２にアクセスし、エクスポート前制限無し権利データをダウンロードして蓄積部２５に蓄積する。次いで、図６において、携帯通信端末装置１１は、蓄積部２５に蓄積したエクスポート前制限無し権利データを、メモリカード１３のＤＲＭシステムに適合するように変換してメモリカード１３にエクスポートする。また、携帯通信端末装置１１は、メモリカード１３に蓄積したエクスポート前コンテンツデータを、メモリカード１３のフォーマットに適合するように変換してメモリカードにエクスポートする。【００３７】  次に、図７、図８を参照してコンテンツの試聴動作及びエクスポート動作の詳細について説明する。図７は、図３及び図４に示した本実施の形態のコンテンツ配信システムにおけるエクスポート前ダウンロード動作及び試聴動作の詳細を示す図である。図８は、図５及び図６に示した本実施の形態のコンテンツ配信システムにおけるエクスポート動作の詳細を示す図である。【００３８】  図７において、携帯通信端末装置１１は、制御部２４内のダウンロード部２４ａがブラウザを起動し（ステップＳ１０１）、サーバ１２のＵＲＬにアクセスする（ステップＳ１０２）。この場合、サーバ１２は、コンテンツを配信するコンテンツ配信サービスサイトを通信ネットワーク１４上で提供しているものとする。【００３９】  次いで、サーバ１２は、携帯通信端末装置１１からアクセスされると、配信対象のコンテンツを一覧で示すためのコンテンツリストを作成し（ステップＳ１０３）、そのコンテンツリストを携帯通信端末装置１１に送信する（ステップＳ１０４）。次いで、携帯通信端末装置１１のダウンロード部２４ａは、サーバ１２からコンテンツリストを送受信部２２で受信し（ステップＳ１０５）、そのコンテンツリストを表示部２７に表示して、ユーザにより所望のコンテンツを選択させる（ステップＳ１０６）。ユーザにより所望のコンテンツを選択されると、携帯通信端末装置１１のダウンロード部２４ａは、そのコンテンツ選択情報を送受信部２２によりサーバ１２に送信する。【００４０】  次いで、サーバ１２は、携帯通信端末装置１１からコンテンツ選択情報を受信すると（ステップＳ１０７）、その選択されたコンテンツに関わる権利データリストを携帯通信端末装���１１に送信する（ステップＳ１０８）。携帯通信端末装置１１のダウンロード部２４ａは、サーバ１２から権利データリストを受信すると（ステップＳ１０９）、その権利データリストを表示部２７に表示して、ユーザにより所望の権利データを選択させる（ステップＳ１１０）。ユーザにより所望の権利データ（試聴用）が選択されると、携帯通信端末装置１１のダウンロード部２４ａは、その権利データ選択情報を送受信部２２によりサーバ１２に送信する。【００４１】  次いで、サーバ１２は、携帯通信端末装置１１から権利データ選択情報を受信すると（ステップＳ１１１）、その選択されたコンテンツのエクスポート前コンテンツデータを携帯通信端末装置１１に送信する（ステップＳ１１２）。携帯通信端末装置１１のダウンロード部２４ａは、サーバ１２からエクスポート前コンテンツデータを受信すると（ステップＳ１１３）、エクスポート前コンテンツデータのインストールを管理部２４ｂに指示する（ステップＳ１１４）。【００４２】  次いで、携帯通信端末装置１１の管理部２４ｂは、エクスポート前コンテンツデータのインストール指示を受けて、ダウンロード部２４ａからエクスポート前コンテンツデータを取得し（ステップＳ１１５）、メモリカードＩ／Ｆ部２６を介してエクスポート前コンテンツデータをメモリカード１３に蓄積する（ステップＳ１１６）。【００４３】  図９にエクスポート前コンテンツデータの構成例を示す。エクスポート前コンテンツデータには、コンテンツＩＤ３０ａ、コンテンツ関連情報３０ｂ、ライセンス取得ＵＲＬ３０ｃ及びコンテンツ本体３１が含まれている。コンテンツＩＤ３０ａは、後述するエクスポート前試聴用権利データやエクスポート前制限無し権利データに含まれるコンテンツＩＤ３２ｂと照合により、コンテンツデータと権利データの対応付けするためのＩＤ情報である。コンテンツ関連情報３０ｂは、コンテンツデータのタイトルや作者名など、コンテンツデータに関連する付加情報等である。ライセンス取得ＵＲＬ３０ｃは、コンテンツデータに対応する権利データのサーバ１２上から取得するためのＵＲＬ情報である。コンテンツ本体３１は、コンテンツ暗号鍵により暗号化された状態で格納されており、そのコンテンツ暗号鍵は対応する権利データに格納されているため、対応する権利データが無いと利用できないようになっている。【００４４】  図１０にエクスポート前試聴用権利データの構成例を示す。エクスポート前試聴用権利データには、ライセンスＩＤ３２ａ、コンテンツＩＤ３２ｂ、コンテンツ関連情報３２ｃ、コンテンツ再生制限３２ｄ及びコンテンツ復号鍵３３が含まれている。ライセンスＩＤ３２ａは、本権利データを識別するための固有のＩＤ情報である。コンテンツＩＤ３２ｂは、上記エクスポート前コンテンツデータに含まれるコンテンツＩＤ３０ｂと照合するためのＩＤ情報である。コンテンツ関連情報３２ｃは、コンテンツデータに関連する付加情報等である。コンテンツ再生制限３２ｄは、コンテンツデータの再生を制限する情報が設定される。本実施の形態の場合は、例えば、試聴回数３回、試聴期限＊月＊日等の試聴に関して設定されているものとする。コンテンツ復号鍵３３は、上記エクスポー��前コンテンツデータのコンテンツ本体３１の復号に利用される。【００４５】  次いで、サーバ１２は、エクスポート前試聴用権利データを携帯通信端末装置１１に送信する（ステップＳ１１７）。携帯通信端末装置１１のダウンロード部２４ａは、サーバ１２からエクスポート前試聴用権利データを受信すると（ステップＳ１１８）、エクスポート前試聴用権利データを管理部２４ｂに転送する。管理部２４ｂは、ダウンロード部２４ａからエクスポート前試聴用権利データを取得すると（ステップＳ１１９）、エクスポート前試聴用権利データを蓄積部２５に蓄積する（ステップＳ１２０）。【００４６】  次いで、携帯通信端末装置１１の管理部２４ｂは、メモリカード１３からエクスポート前コンテンツデータを読み出し（ステップＳ１２１，Ｓ１２２）、蓄積部２５からエクスポート前試聴用権利データを読み出す（ステップＳ１２３，Ｓ１２４）。続いて、管理部２４ｂは、読み出したエクスポート前試聴用権利データ及びエクスポート前コンテンツデータは、携帯通信端末装置１１のＤＲＭシステム及び再生機能により試聴可能か否かを判別する（ステップＳ１２５）。例えば、エクスポート前試聴用権利データとコンテンツデータのコンテンツＩＤが対応付いているか、エクスポート前試聴用権利データの残り利用回数が１以上かどうか等を判別する。管理部２４ｂは、試聴可能であると判別した場合は（ステップＳ１２５：ＹＥＳ）、エクスポート前コンテンツデータの試聴処理を実行する（ステップＳ１２６）。エクスポート前コンテンツデータの試聴処理は、携帯通信端末装置１１内のコンテンツ再生機能を利用して実行される。また、管理部２４ｂは、試聴不可能であると判別した場合は（ステップＳ１２５：ＮＯ）、試聴処理を中断する。【００４７】  次いで、携帯通信端末装置１１の管理部２４ｂは、試聴処理終了後、エクスポート前試聴用権利データを更新し（ステップＳ１２７）、更新したエクスポート前試聴用権利データを蓄積部２５に蓄積して（ステップＳ１２８）、本試聴処理を終了する。【００４８】  ユーザが携帯通信端末装置１１よりエクスポート前コンテンツデータを試聴し、試聴回数３回、試聴期限＊月＊日まで、等の制限情報に設定された条件に達した場合は、例えば、試聴が不可能になったことと、コンテンツの購入希望の問い合わせ等を含むメッセージを表示部２７に表示して、ユーザに試聴後のコンテンツ購入操作を促す。そして、ユーザがコンテンツの購入を希望した場合は、図８の処理に移行する。【００４９】  次に、図８において、携帯通信端末装置１１の管理部２４ｂは、メモリカード１３からエクスポート前コンテンツデータを読み出し（ステップＳ２０１、Ｓ２０２）、そのエクスポート前コンテンツデータに格納されたライセンス取得ＵＲＬ３０ｃを読み出して（ステップＳ２０３）、ダウンロード部２４ａに出力する。【００５０】  ダウンロード部２４ａは、管理部２４ｂから入力されたライセンス取得ＵＲＬによりブラウザを起動し（ステップＳ２０４）、サーバ１２にアクセスする（ステップＳ２０５）。サーバ１２は、携帯通信端末装置１１からライセンス取得用ＵＲＬにアクセスされると、権利データリストを作成し（ステップＳ２０６）、��の権利データリストを携帯通信端末装置１１に送信する（ステップＳ２０７）。携帯通信端末装置１１のダウンロード部２４ａは、サーバ１２から権利データリストを受信すると（ステップＳ２０８）、その権利データリストを表示部２７に表示して、ユーザにより所望の権利データを選択させる（ステップＳ２０９）。ユーザにより所望の権利データを選択されると、携帯通信端末装置１１のダウンロード部２４ａは、その権利データ選択情報を送受信部２２によりサーバ１２に送信する。【００５１】  次いで、サーバ１２は、携帯通信端末装置１１から権利データ選択情報を受信すると（ステップＳ２１０）、該当するエクスポート前制限無し権利データを携帯通信端末装置１１に送信して（ステップＳ２１１）、処理を終了する。携帯通信端末装置１１のダウンロード部２４ａは、サーバ１２からエクスポート前制限無し権利データを受信すると（ステップＳ２１２）、そのエクスポート前制限無し権利データを管理部２４ｂに出力して、処理を終了する。管理部２４ｂは、ダウンロード部２４ａからエクスポート前制限無し権利データを取得すると（ステップＳ２１３）、そのエクスポート前制限無し権利データを蓄積部２５に蓄積する（ステップＳ２１４）。【００５２】  図１０にエクスポート前制限無し権利データの構成例を示す。エクスポート前試聴用権利データと同一フォーマットであるが、コンテンツ再生制限３２ｄは、本実施の形態の場合は、「制限無し」が設定されているものとする。コンテンツＩＤ３２ｂとコンテンツ復号鍵３３は、上記エクスポート前試聴用権利データと同一でなければならないが、ライセンスＩＤ３２ａは上記エクスポート前試聴用権利データとは別個のＩＤが設定されている。【００５３】  次いで、管理部２４ｂは、メモリカードＩ／Ｆ部２６を介してメモリカード１３に蓄積したエクスポート前コンテンツデータを読み出し（ステップＳ２１５、Ｓ２１６）、蓄積部２５からエクスポート前制限無し権利データを読み出す（ステップＳ２１７、Ｓ２１８）。続いて、管理部２４ｂは、読み出したエクスポート前コンテンツデータ及びエクスポート前制限無し権利データは、メモリカード１３の異なるＤＲＭシステムにエクスポート可能か否かを判別する（ステップＳ２１９）。【００５４】  管理部２４ｂは、エクスポート前コンテンツデータ及びエクスポート前制限無し権利データは、メモリカード１３の異なるＤＲＭシステムにエクスポート不可であると判断した場合は（ステップＳ２１９：ＮＯ）、ステップＳ２１７に戻り、蓄積部２５から他のエクスポート前制限無し権利データ読み出して、同様にエクスポート可否判別処理を繰り返し実行する。【００５５】  また、管理部２４ｂは、エクスポート前コンテンツデータ及びエクスポート前制限無し権利データは、メモリカード１３の異なるＤＲＭシステムにエクスポート可能であると判断した場合は（ステップＳ２１９：ＹＥＳ）、エクスポート前コンテンツデータを変換部２４ｃに渡し（ステップＳ２２０）、変換部２４ｃにてエクスポート先のメモリカード１３に適合するフォーマットや暗号方式に変換し、エクスポート後コンテンツデータとし（ステップＳ２２１）、メモリカードＩ／Ｆ部２６を介してエク���ポート後コンテンツデータをメモリカード１３に蓄積する（ステップＳ２２２）。【００５６】  次いで、管理部２４ｂは、制限無し権利データを変換部２４ｃに渡して（ステップＳ２２３）、処理を終了する。変換部２４ｃは、管理部２４ｂから渡された制限無し権利データをメモリカード１３のＤＲＭシステムに適合するように変換して、エクスポート後制限無し権利データとし（ステップＳ２２４）、メモリカードＩ／Ｆ部２６を介してエクスポート後制限無し権利データをメモリカード１３に蓄積して（ステップＳ２２５）、処理を終了する。【００５７】  その後、メモリカード１３は、携帯通信端末装置１１から外して、メモリカード１３のＤＲＭシステムに適合する他の携帯端末装置に装着することにより、メモリカード１３に蓄積されたエクスポート後コンテンツデータを再生することが可能になる。【００５８】  以上のように、本実施の形態１のコンテンツ配信システムでは、携帯通信端末装置１１により試聴用権利データとエクスポート前コンテンツデータをサーバ１２からダウンロードし、試聴用権利データを携帯通信端末装置１１内の蓄積部２５に蓄積し、エクスポート前コンテンツデータをメモリカード１３に一旦蓄積して、携帯通信端末装置１１の再生機能によりエクスポート前コンテンツデータの試聴を可能とした。【００５９】  また、本実施の形態１のコンテンツ配信システムでは、試聴後にユーザが試聴コンテンツの購入を希望する場合は、携帯通信端末装置１１により制限無し権利データをサーバ１２からダウンロードし、メモリカード１３に蓄積したエクスポート前コンテンツデータをメモリカード１３に適合するフォーマットに変換してメモリカード１３にエクスポートし、制限無し権利データをメモリカード１３のＤＲＭシステムに適合するように変換してメモリカード１３にエクスポートするようにした。【００６０】  したがって、エクスポート先の携帯端末装置が試聴機能を有していなくても、かつエクスポート元端末装置自身及びエクスポート先の端末自身が大容量コンテンツの蓄積機能を有していなくても、エクスポート元端末でメモリカードを利用して大容量コンテンツの試聴を可能とすることができる。また、ユーザは、大容量コンテンツの試聴によってコンテンツの内容を確認した後、制限無し権利データの購入を判断することができ、必要とするコンテンツに対してのみ課金処理を実行することができる。【００６１】  また、本実施の形態のコンテンツ配信システムでは、メモリカードへのエクスポートの例を示したが、メモリカード等の蓄積メディア型以外の異なるＤＲＭ、例えばＤＲＭで保護されたローカルストリーミング（エクスポート用にコンテンツを変換しながら、変換の完了した部分から転送または再生）等のエクスポートでもよい。【００６２】  また、図７において、サーバ１２からコンテンツリストを携帯通信端末装置１１に送信（ステップＳ１０４）後に、コンテンツに関わる権利データリストを携帯通信端末装置１１に送信している（ステップＳ１０８）が、コンテンツリストと権利データリストを同時に送信し、コンテンツの選択と試聴用権利データの取得を同時に行っても良い。【００６３】  また、図７において、サーバ１２からエクスポート前コンテンツデータを受信（ステップＳ１１３）後に、エクスポート前試聴用権利データを受信しているが（ステップＳ１１８）、試聴用権利データの送信後にエクスポート前コンテンツデータを送信しても良い。【００６４】  また、図７において、サーバ１２からエクスポート前コンテンツデータを受信（ステップＳ１１３）後に、エクスポート前試聴用権利データを受信しているが（ステップＳ１１８）、コンテンツデータと試聴用権利データを同梱して配信しても良い。【００６５】  また、図７のステップの終了後、試聴用権利データの制限情報に設定された条件に達し、かつユーザがコンテンツの購入を希望した場合は、図８の処理に移行したが、試聴用権利データの制限情報に設定された条件に達していなくとも、コンテンツの購入希望の問い合わせ等を含むメッセージを表示部２７に表示して、ユーザに試聴後のコンテンツ購入操作を促す。そして、ユーザがコンテンツの購入を希望した場合は、図８の処理に移行しても良い。【００６６】  また、本実施の形態のコンテンツ配信システムでは、エクスポート前試聴用権利データとして、試聴回数３回、試聴期限＊月＊日等の制限情報が設定されている権利データを想定したが、その代替として、コンテンツの再生に関しては制限無しだが、エクスポートに関して制限のある権利データであっても良い。【００６７】  また、本実施の形態のコンテンツ配信システムでは、エクスポート前制限無し権利データとして、試聴回数３回、試聴期限＊月＊日等の制限情報が設定されていない権利データを想定したが、その代替として、エクスポート先のＤＲＭが対応している制限があっても良い。【００６８】  また、本実施の形態のコンテンツ配信システムでは、エクスポート（ステップＳ２２０からステップＳ２２５）後に、携帯通信端末装置１１から外して、メモリカード１３のＤＲＭシステムに適合する他の携帯端末装置に装着することにより、エクスポート後コンテンツデータを再生したが、携帯通信端末装置１１自身がエクスポート後のＤＲＭ機能も備え、携帯通信端末装置１１上でエクスポート後コンテンツデータを再生しても良い。【００６９】  また、本実施の形態のコンテンツ配信システムでは、試聴後に購入を行うが、エクスポート前試聴用権利データは必ずしも無料でなくても良い。例えばエクスポート前試聴用権利データ及びエクスポート前制限無し権利データは共に有料であるが、エクスポート前試聴用権利データの方が安い価格設定であっても良い。また、逆にエクスポート前制限無し権利データが無料であっても良い。【００７０】  また、本実施の形態のコンテンツ配信システムでは、ライセンス取得ＵＲＬ３０ｃはエクスポート前コンテンツデータ内に格納されていたが、エクスポート前制限無し権利データ内に格納されていても良い。【００７１】  また、本実施の形態のコンテンツ配信システムでは、エクスポート前コンテンツデータ、エクスポート前試聴用権利データ、エクスポート前制限無し権利データはすべて通信ネットワーク１４経由でサーバ１２から取得しているが、インターネット等の有線ネットワーク、放送ネットワーク、他端末等からデータを取得しても良い。【００７２】  また、本実施の形態のコンテンツ配信システムでは、画像や文字表示の場合は本実施例のように表示部２７を使用するが、さらにスピーカ等を備え、音楽等の再生の場合はスピーカ等を利用しても良い。【００７３】  （実施の形態２）
上記実施の形態１では、試聴用コンテンツと購入用コンテンツを同一のものとし、試聴用権利データと購入用（制限無し）権利データを別個のものとした場合を示した。本実施の形態２では、試聴用コンテンツと購入用コンテンツを同梱して配信する場合について説明する。【００７４】  なお、本実施の形態２のコンテンツ配信システム及び携帯通信端末装置の各構成は、上記図１及び図２に示したものと同一であるため、それらの図示及び構成説明は省略する。【００７５】  まず、図１１〜図１４を参照してコンテンツデータの試聴動作及びエクスポート動作の概要について説明する。図１１及び図１２は、試聴用コンテンツデータとエクスポート前購入用コンテンツデータのダウンロード動作と試聴動作を模式的に示した図である。図１３及び図１４は、エクスポート前制限無し権利データのダウンロード動作とコンテンツデータのエクスポート動作を模式的に示した図である。【００７６】  試聴用コンテンツデータとは、例えば、購入用コンテンツデータの一部分のみを含むもの（楽曲データのサビの部分のみ、映像データの最初の１分間等）、一部分のみをつなぎ合わせたもの（ダイジェスト版）、品質を劣化させたもの（楽曲データの音質を劣化させたもの、画像データの画像サイズを縮小したもの）等である。【００７７】  まず、図１１において、携帯通信端末装置１１は、サーバ１２にアクセスし、試聴用コンテンツデータとエクスポート前購入用コンテンツデータが同梱されたものをダウンロードしてメモリカード１３に蓄積する。次いで、図１２において、携帯通信端末装置１１は、携帯通信端末装置１１の再生機能を利用してメモリカード１３に蓄積したエクスポート前試聴用コンテンツデータの試聴処理を実行する。【００７８】  次いで、図１３において、携帯通信端末装置１１は、サーバ１２にアクセスし、エクスポート前制限無し権利データをダウンロードして蓄積部２５に蓄積する。次いで、図１４において、携帯通信端末装置１１は、蓄積部２５に蓄積したエクスポート前制限無し権利データを、メモリカード１３のＤＲＭシステムに適合するように変換してメモリカード１３にエクスポートする。また、携帯通信端末装置１１は、メモリカード１３に蓄積したエクスポート前購入用コンテンツデータを、メモリカード１３のフォーマットに適合するように変換してメモリカードにエクスポートする。【００７９】  次に、図１５、図１６を参照してコンテンツの試聴動作及びエクスポート動作の詳細について説明する。図１５は、図１１及び図１２に示した本実施の形態のコンテンツ配信システムにおけるエクスポート前ダウンロード動作及び試聴動作の詳細を示す図である。図１６は、図１３及び図１４に示した本実施の形態のコンテンツ配信システムにおけるエクスポート動作の詳細を示す図である。【００８０】  図１５において、携帯通信端末装置１１は、制御部２４内のダウンロード部２４ａによりブラウザを起動し（ステップＳ３０１）、サーバ１２のＵＲＬにアクセスする（ステップＳ３０２）。この場合、サーバ１２は、コンテンツを配信するコンテンツ配信サービスサイトを通信ネットワーク１４上で提供しているものとする。【００８１】  次いで、サーバ１２は、携帯��信端末装置１１からアクセスされると、配信対象のコンテンツを一覧で示すためのコンテンツリストを作成し（ステップＳ３０３）、そのコンテンツリストを携帯通信端末装置１１に送信する（ステップＳ３０４）。次いで、携帯通信端末装置１１のダウンロード部２４ａは、サーバ１２からコンテンツリストを送受信部２２で受信し（ステップＳ３０５）、そのコンテンツリストを表示部２７に表示して、ユーザにより所望のコンテンツを選択させる（ステップＳ３０６）。ユーザにより所望のコンテンツを選択されると、携帯通信端末装置１１のダウンロード部２４ａは、そのコンテンツ選択情報（試聴用＋購入用）を送受信部２２によりサーバ１２に送信する。【００８２】  次いで、サーバ１２は、携帯通信端末装置１１からコンテンツ選択情報（試聴用＋購入用）を受信すると（ステップＳ３０７）、その選択されたコンテンツデータのエクスポート前試聴用コンテンツデータ＋購入用コンテンツデータを同梱したものを携帯通信端末装置１１に送信する（ステップＳ３０８）。携帯通信端末装置１１のダウンロード部２４ａは、サーバ１２からエクスポート前試聴用コンテンツデータ＋購入用コンテンツデータを同梱したものを受信すると（ステップＳ３０９）、エクスポート前試聴用コンテンツデータ＋購入用コンテンツデータを同梱したもののインストールを管理部２４ｂに指示する（ステップＳ３１０）。【００８３】  次いで、携帯通信端末装置１１の管理部２４ｂは、エクスポート前試聴用コンテンツデータ＋購入用コンテンツデータを同梱したもののインストール指示を受けて、ダウンロード部２４ａからエクスポート前試聴用コンテンツデータ＋購入用コンテンツデータを同梱したものを取得し（ステップＳ３１１）、メモリカードＩ／Ｆ部２６を介してエクスポート前試聴用コンテンツデータ＋購入用コンテンツデータを同梱したものをメモリカード１３に蓄積する（ステップＳ３１２）。【００８４】  図１７にエクスポート前試聴用コンテンツデータ＋購入用コンテンツデータの構成例を示す。エクスポート前試聴用コンテンツデータ＋購入用コンテンツデータには、コンテンツＩＤ３５ａ、コンテンツ関連情報３５ｂ、ライセンス取得ＵＲＬ３５ｃ、試聴用コンテンツ本体３６及び購入用コンテンツ本体３７が含まれる。コンテンツＩＤ３５ａは、後述するエクスポート前制限無し権利データに含まれるコンテンツＩＤ３８ｂと照合するためのＩＤ情報である。コンテンツ関連情報３５ｂは、コンテンツデータに関連する付加情報等である。試聴用コンテンツ本体３６は、平文で格納され、権利データ無しで利用可能となっている。購入用コンテンツ本体３７は、コンテンツ暗号鍵により暗号化された状態で格納されており、そのコンテンツ暗号鍵は対応する権利データに格納されているため、対応する権利データが無いと利用できないようになっている。【００８５】  次いで、携帯通信端末装置１１の管理部２４ｂは、メモリカードＩ／Ｆ部２６を介してメモリカード１３に蓄積したエクスポート前試聴用コンテンツデータを読み出し（ステップＳ３１３、Ｓ３１４）、携帯通信端末装置１１の再生機能を利用してエクスポート前試聴用コンテンツデータの試聴処理を実行する（ステップＳ３１５）。【００８６】  試聴処理終了後、携帯通信端末装置１１の管理部２４ｂは、コンテンツの購入希望の問い合わせ等を含むメッセージを表示部２７に表示して、ユーザに試聴後のコンテンツ購入操作を促す。そして、ユーザがコンテンツの購入を希望した場合は、図１６の処理に移行する。【００８７】  次いで、携帯通信端末装置１１の管理部２４ｂは、試聴処理終了後、メモリカードＩ／Ｆ部２６を介してエクスポート前試聴用コンテンツデータ＋購入用コンテンツデータをメモリカードから読み出し（ステップＳ４０１、Ｓ４０２）、そのコンテンツデータに格納されたライセンス取得ＵＲＬ３５ｃを読み出して（ステップＳ４０３）、ダウンロード部２４ａに出力する。【００８８】  ダウンロード部２４ａは、管理部２４ｂから入力されたライセンス取得ＵＲＬによりブラウザを起動し（ステップＳ４０４）、サーバ１２にアクセスする（ステップＳ４０５）。サーバ１２は、携帯通信端末装置１１からライセンス取得ＵＲＬにアクセスされると、権利データリストを作成し（ステップＳ４０６）、その権利データリストを携帯通信端末装置１１に送信する（ステップＳ４０７）。携帯通信端末装置１１のダウンロード部２４ａは、サーバ１２から権利データリストを受信すると（ステップＳ４０８）、その権利データリストを表示部２７に表示して、ユーザにより所望の権利データを選択させる（ステップＳ４０９）。ユーザにより所望の権利データを選択されると、携帯通信端末装置１１のダウンロード部２４ａは、その権利データ選択情報を送受信部２２によりサーバ１２に送信する。【００８９】  次いで、サーバ１２は、携帯通信端末装置１１から権利データ選択情報を受信すると（ステップＳ４１０）、該当するエクスポート前制限無し権利データを携帯通信端末装置１１に送信して（ステップＳ４１１）、処理を終了する。携帯通信端末装置１１のダウンロード部２４ａは、サーバ１２からエクスポート前制限無し権利データを受信すると（ステップＳ４１２）、そのエクスポート前制限無し権利データを管理部２４ｂに出力して、処理を終了する。管理部２４ｂは、ダウンロード部２４ａからエクスポート前制限無し権利データを取得すると（ステップＳ４１３）、そのエクスポート前制限無し権利データを蓄積部２５に蓄積する（ステップＳ４１４）。【００９０】  次いで、管理部２４ｂは、メモリカードＩ／Ｆ部２６を介してメモリカード１３に蓄積したエクスポート前購入用コンテンツデータを読み出し（ステップＳ４１５、Ｓ４１６）、蓄積部２５からエクスポート前制限無し権利データを読み出す（ステップＳ４１７、Ｓ４１８）。続いて、管理部２４ｂは、読み出したエクスポート前購入用コンテンツデータ及びエクスポート前制限無し権利データは、メモリカード１３の異なるＤＲＭシステムにエクスポート可能か否かを判別する（ステップＳ４１９）。【００９１】  図１８にエクスポート前制限無し権利データの構成例を示す。エクスポート前制限無し権利データには、ライセンスＩＤ３８ａ、コンテンツＩＤ３８ｂ、コンテンツ関連情報３８ｃ、コンテンツ再生制限３８ｄ及びコンテンツ復号鍵３９が含まれている。ライセンスＩＤ３８ａは、本権利データを識別するための固有のＩＤ情報である。コンテンツＩＤ３８ｂは、上記エクスポート前コンテンツデータに含まれるコンテンツＩＤ３５ａと照合するためのＩＤ情報である。コンテンツ関連情報３８ｃは、コンテンツデータに関連する付加情報等である。コンテンツ再生制限３８ｄは、コンテンツデータの再生を制限する情報が設定される。本実施の形態の場合は、「制限無し」が設定されているものとする。コンテンツ復号鍵３９は、上記エクスポート前コンテンツデータのコンテンツ本体３７の復号に利用される。【００９２】  次いで、管理部２４ｂは、エクスポート前購入用コンテンツデータ及びエクスポート前制限無し権利データは、メモリカード１３の異なるＤＲＭシステムにエクスポート不可であると判断した場合は（ステップＳ４１９：ＮＯ）、ステップＳ４１７に戻り、蓄積部２５から他のエクスポート前制限無し権利データ読み出して、同様にエクスポート可否判別処理を実行する。【００９３】  また、管理部２４ｂは、エクスポート前コンテンツデータ及びエクスポート前制限無し権利データは、メモリカード１３の異なるＤＲＭシステムにエクスポート可能であると判断した場合は（ステップＳ４１９：ＹＥＳ）、エクスポート前購入用コンテンツデータを変換部２４ｃに渡し（ステップＳ４２０）、変換部２４ｃにてエクスポート先のメモリカード１３に適合するフォーマットや暗号方式に変換して、エクスポート後購入用コンテンツデータとし（ステップＳ４２１）、メモリカードＩ／Ｆ部２６を介してエクスポート後購入用コンテンツデータをメモリカード１３に蓄積する（ステップＳ４２２）。【００９４】  次いで、管理部２４ｂは、制限無し権利データを変換部２４ｃに渡して（ステップＳ４２３）、処理を終了する。変換部２４ｃは、管理部２４ｂから渡された制限無し権利データをメモリカード１３のＤＲＭシステムに適合するように変換して、エクスポート後制限無し権利データとし（ステップＳ４２４）、メモリカードＩ／Ｆ部２６を介してエクスポート後制限無し権利データをメモリカード１３に蓄積する（ステップＳ４２５）、処理を終了する。【００９５】  その後、メモリカード１３は、携帯通信端末装置１１から外して、メモリカード１３のＤＲＭシステムに適合する他の携帯端末装置に装着することにより、メモリカード１３に蓄積されたエクスポート後購入用コンテンツデータを再生することが可能になる。【００９６】  以上のように、本実施の形態２のコンテンツ配信システムでは、携帯通信端末装置１１によりエクスポート前試聴用コンテンツデータとエクスポート前購入用コンテンツデータを同梱したものをサーバ１２からダウンロードし、エクスポート前試聴用コンテンツデータとエクスポート前購入用コンテンツデータを同梱したものをメモリカード１３に一旦蓄積して、携帯通信端末装置１１の再生機能によりエクスポート前試聴用コンテンツデータの試聴を可能とした。【００９７】  また、本実施の形態２のコンテンツ配信システムでは、試聴後にユーザが試聴コンテンツの購入を希望する場合は、携帯通信端末装置１１により制限無し権利データをサーバ１２からダウンロードし、メモリカード１３に蓄積したエクスポート前購入用コンテンツデータをメモリカード１３に適合するフォーマットに変換してメモリカード１３にエクスポートし、制限無し権利データをメモリカード１３のＤＲＭシステムに適合するように変換してメモリカード１３にエクスポートするようにした。【００９８】  したがって、エクスポート先の携帯端末装置が試聴機能を有していなくても、かつエクスポート先の端末自身が大容量コンテンツの蓄積機能を有していなくても、エクスポート元端末でメモリカードを利用して大容量コンテンツの試聴を可能とすることができる。また、ユーザは、大容量コンテンツの試聴によってコンテンツの内容を確認した後、制限無し権利データの購入を判断することができ、必要とするコンテンツに対してのみ課金処理を実行することができる。【００９９】  また、本実施の形態２のコンテンツ配信システムでは、試聴用権利データをダウンロードする処理を省略したため、携帯通信端末装置１１におけるダウンロード処理を削減することができ、ユーザによるダウンロード手順を削減することができる。【０１００】  また、本実施の形態のコンテンツ配信システムでは、メモリカードへのエクスポートの例を示したが、メモリカード等の蓄積メディア型以外の異なるＤＲＭ、例えばＤＲＭで保護されたローカルストリーミング（エクスポート用にコンテンツを変換しながら、変換の完了した部分から転送または再生）等のエクスポートでもよい。【０１０１】  また、本実施の形態のコンテンツ配信システムでは、試聴用コンテンツデータ＋購入用コンテンツデータを同梱して配信したが、別個に配しても良い。【０１０２】  また、本実施の形態のコンテンツ配信システムでは、試聴時にエクスポート前試聴用コンテンツデータをメモリカード１３から読み出しているが（ステップ３１４、ステップ３１５）、エクスポート前試聴用コンテンツデータを携帯通信端末１１の蓄積部２５に蓄積していても良い。【０１０３】  また、本実施の形態のコンテンツ配信システムでは、エクスポート前制限無し権利データとして、試聴回数３回、試聴期限＊月＊日等の制限情報が設定されていない権利データを想定したが、その代替として、エクスポート先のＤＲＭが対応している制限があっても良い。【０１０４】  また、本実施の形態のコンテンツ配信システムでは、エクスポート（ステップ４２０からステップ４２５）後に、携帯通信端末装置１１から外して、メモリカード１３のＤＲＭシステムに適合する他の携帯端末装置に装着することにより、エクスポート後コンテンツデータを再生したが、携帯通信端末装置１１自身がエクスポート後のＤＲＭ機能も備え、携帯通信端末装置１１上でエクスポート後コンテンツデータを再生しても良い。【０１０５】  また、本実施の形態のコンテンツ配信システムでは、エクスポート前制限無し権利データが無料であっても良い。【０１０６】  また、本実施の形態のコンテンツ配信システムでは、エクスポート前試聴用コンテンツデータ、エクスポート前購入用コンテンツデータ、エクスポート前制限無し権利データはすべて通信ネットワーク１４経由でサーバ１２から取得しているが、インターネット等の有線ネットワーク、放送ネットワーク、他端末等からデータを取得しても良い。【０１０７】  また、本実施の形態のコンテンツ配信���ステムでは、画像や文字表示の場合は本実施例のように表示部２７を使用するが、さらにスピーカ等を備え、音楽等の再生の場合はスピーカ等を利用しても良い。【０１０８】  （実施の形態３）
本実施の形態では、転送元の携帯通信端末装置と転送先の携帯端末装置が同一のＤＲＭシステムを有するが通信能力やコンテンツ再生能力が異なる。携帯端末装置が再生機能のみを有し、携帯通信端末装置上でコンテンツの試聴処理を行って、携帯通信端末装置から携帯端末装置にコンテンツを転送する場合について説明する。【０１０９】  図１９は、本実施の形態において適用される携帯通信端末装置４０の内部構成を示すブロック図である。なお、図１９において、上記図２に示した携帯通信端末装置１１と同一の構成部分には同一符号を付しており、その構成説明を省略する。すなわち、図１９の携帯通信端末装置４０において異なる構成部分は、変換部２４ｃを省略したことと、メモリＩ／Ｆ部２６に変えてＩｒＤＡＩ／Ｆ部４１を新たに設けたことである。また、本実施の形態のコンテンツ配信システムは、図１に示したものと同一構成であるため、その図示及び構成説明は省略する。【０１１０】  ＩｒＤＡＩ／Ｆ部４１は、ＩｒＤＡ（Ｉｎｆｒａｒｅｄ  Ｄａｔａ  Ａｓｓｏｃｉａｔｉｏｎ）に基づく赤外線通信機能を有し、制御部２４から入力される権利データやコンテンツデータ等を赤外線通信により転送先の携帯端末装置に送信する。【０１１１】  図２０は、転送先の携帯端末装置５０の内部構成を示すブロック図である。図２０において、携帯端末装置５０は、メモリ５１と、表示部５２と、制御部５３と、蓄積部５４と、ＩｒＤＡＩ／Ｆ部５５と、から主に構成される。【０１１２】  メモリ５１は、ＲＯＭ等の半導体メモリから構成され、制御部５３において実行される各種制御プログラム等を記憶する。表示部５２は、液晶パネル等により構成され、コンテンツ再生に関わる情報、赤外線通信処理中の情報等を表示する。【０１１３】  制御部５３は、管理部５３ａを有する。管理部５３ａは、携帯通信端末装置４０からの携帯端末装置５０専用制限無し権利データ及びコンテンツデータの受信処理及び携帯端末装置５０専用制限無し権利データ及びコンテンツデータの蓄積部５４への蓄積処理等を実行する。【０１１４】  蓄積部５４は、携帯端末装置５０専用制限無し権利データ及びコンテンツデータ等を蓄積する。ＩｒＤＡＩ／Ｆ部５５は、携帯通信端末装置４０のＩｒＤＡＩ／Ｆ部４１から送信される携帯端末装置５０専用制限無し権利データ及びコンテンツデータの受信処理を実行する。【０１１５】  次に、図２１〜図２４を参照してコンテンツデータの試聴動作及び転送動作の概要について説明する。図２１及び図２２は、コンテンツデータと携帯通信端末装置４０専用試聴用権利データのダウンロード動作と試聴動作を模式的に示した図である。図２３及び図２４は、携帯端末装置５０専用制限無し権利データのダウンロード動作と携帯端末装置５０専用制限無し権利データ及びコンテンツデータの転送動作を模式的に示した図である。【０１１６】  まず、図２１において、携帯通信端末装置４０は、サーバ１２にアクセスし、コンテンツデータと携帯通信端末装置４０専用試聴用権利データをダウンロードして、携帯通信端末装置４０内の蓄積部２５に蓄積する。次いで、図２２において、携帯通信端末装置４０は、携帯通信端末装置４０の再生機能を利用して蓄積部２５に蓄積した���ンテンツデータの試聴処理を実行する。【０１１７】  次いで、図２３において、携帯通信端末装置４０は、サーバ１２にアクセスし、携帯端末装置５０専用制限無し権利データをダウンロードして蓄積部２５に蓄積する。次いで、図２４において、携帯通信端末装置４０は、蓄積部２５に蓄積した携帯端末装置５０専用制限無し権利データを、後述する携帯端末装置５０に赤外線通信により転送する。また、携帯通信端末装置４０は、蓄積部２５に蓄積したコンテンツデータを後述する携帯端末装置５０に赤外線通信により転送する。【０１１８】  次に、図２５、図２６を参照してコンテンツデータの試聴動作及び転送動作の詳細について説明する。図２５は、図２１及び図２２に示した本実施の形態のコンテンツ配信システムにおける携帯通信端末装置４０専用試聴用権利データをダウンロード動作及び試聴動作の詳細を示す図である。図２６は、図２３及び図２４に示した本実施の形態のコンテンツ配信システムにおける携帯端末装置５０専用制限無し権利データのダウンロード動作、携帯端末装置５０専用制限無し権利データ及びコンテンツデータの転送動作の詳細を示す図である。【０１１９】  図２５において、携帯通信端末装置４０は、制御部２４内のダウンロード部２４ａによりブラウザを起動し（ステップＳ５０１）、サーバ１２のＵＲＬにアクセスする（ステップＳ５０２）。この場合、サーバ１２は、コンテンツデータを配信するコンテンツ配信サービスサイトを通信ネットワーク１４上で提供しているものとする。【０１２０】  次いで、サーバ１２は、携帯通信端末装置４０からアクセスされると、配信対象のコンテンツデータを一覧で示すためのコンテンツリストを作成し（ステップＳ５０３）、そのコンテンツリストを携帯通信端末装置４０に送信する（ステップＳ５０４）。次いで、携帯通信端末装置４０のダウンロード部２４ａは、サーバ１２からコンテンツリストを送受信部２２で受信し（ステップＳ５０５）、そのコンテンツリストを表示部２７に表示して、ユーザにより所望のコンテンツを選択させる（ステップＳ５０６）。ユーザにより所望のコンテンツを選択されると、携帯通信端末装置４０のダウンロード部２４ａは、そのコンテンツ選択情報を送受信部２２によりサーバ１２に送信する。【０１２１】  次いで、サーバ１２は、携帯通信端末装置４０からコンテンツ選択情報を受信すると（ステップＳ５０７）、その選択されたコンテンツに対応する権利データリストを作成して携帯通信端末装置４０に送信する（ステップＳ５０８）。携帯通信端末装置４０のダウンロード部２４ａは、サーバ１２から権利データリストを送受信部２２で受信し（ステップＳ５０９）、そのコンテンツリストを表示部２７に表示して、ユーザにより所望の権利データを選択させる（ステップＳ５１０）。ユーザにより所望の権利データ（携帯通信端末装置４０専用・試聴用）を選択されると、携帯通信端末装置４０のダウンロード部２４ａは、その携帯通信端末装置４０専用・試聴用権利データ選択情報を送受信部２２によりサーバ１２に送信する。【０１２２】  次いで、サーバ１２は、携帯通信端末装置４０から携帯通信端末装置４０専用・試聴用権利データ選択情報を受信すると（ステップ���５１１）、先に選択されたコンテンツデータを携帯通信端末装置４０に送信する（ステップＳ５１２）。携帯通信端末装置４０のダウンロード部２４ａは、サーバ１２からコンテンツデータを送受信部２２で受信すると（ステップＳ５１３）、そのコンテンツデータのインストールを管理部２４ｂに指示する。管理部２４ｂは、ダウンロード部２４ａからのコンテンツデータのインストール指示を受けて、ダウンロード部２４ａからコンテンツデータを取得し（ステップＳ５１５）、そのコンテンツデータを蓄積部２５に蓄積する（ステップＳ５１５、Ｓ５１６）。【０１２３】  図２７にコンテンツデータの構成例を示す。コンテンツデータには、コンテンツＩＤ６０ａ、コンテンツ関連情報６０ｂ、ライセンス取得ＵＲＬ６０ｃ及びコンテンツ本体６１が含まれている。コンテンツＩＤ６０ａは、後述する携帯通信端末装置４０専用・試聴用権利データに含まれるコンテンツＩＤ６３ｃ及び携帯端末装置５０専用・購入用権利データに含まれるコンテンツＩＤ６３ｃと照合するためのＩＤ情報である。コンテンツ関連情報６０ｂは、コンテンツデータに関連する付加情報等である。コンテンツ本体６１は、コンテンツ暗号鍵により暗号化された状態で格納されており、そのコンテンツ暗号鍵は対応する権利データに格納されているため、対応する権利データが無いと利用できないようになっている。【０１２４】  次いで、サーバ１２は、携帯通信端末装置４０専用・試聴用権利データを携帯通信端末装置４０に送信する（ステップＳ５１７）。携帯通信端末装置４０のダウンロード部２４ａは、サーバ１２から携帯通信端末装置４０専用・試聴用権利データを送受信部２２で受信すると（ステップＳ５１８）、その携帯通信端末装置４０専用・試聴用権利データを管理部２４ｂに出力する。管理部２４ｂは、ダウンロード部２４ａから携帯通信端末装置４０専用・試聴用権利データを取得すると（ステップＳ５１９）、その携帯通信端末装置４０専用・試聴用権利データを蓄積部２５に蓄積する（ステップＳ５２０）。【０１２５】  図２８に携帯通信端末装置４０専用・試聴用権利データの構成例を示す。携帯通信端末装置４０専用・試聴用権利データには、装置専用・共有フラグ６３ａ、ライセンスＩＤ６３ｂ、コンテンツＩＤ６３ｃ、コンテンツ関連情報６３ｄ、コンテンツ再生制限６３ｅ及びコンテンツ復号鍵６４が含まれている。装置専用・共有フラグ６３ａは、権利データが特定の装置専用のものか、共有可能なものか示すフラグであり、本実施の形態の場合は携帯通信端末装置専用のものであることを示すフラグが設定されているものとする。ライセンスＩＤ６３ｂは、本権利データを識別するための固有のＩＤ情報である。コンテンツＩＤ６３ｃは、上記コンテンツデータに含まれるコンテンツＩＤ６０ａと照合するためのＩＤ情報である。コンテンツ関連情報６３ｄは、コンテンツデータに関連する付加情報等である。コンテンツ再生制限６３ｅは、コンテンツデータの再生を制限する情報が設定される。本実施の形態の場合は、例えば、試聴回数３回、試聴期限＊月＊日等の試聴に関して設定されているものとする。コンテンツ復号鍵６４は、上記コンテンツデータのコンテンツ本体６１の復号に利用され���。【０１２６】  権利データが携帯通信端末装置４０専用であるとは、携帯通信端末装置４０のみがこの権利データを利用したコンテンツ再生が可能と言う意味である。例えば、権利データ内にさらに携帯通信端末装置４０固有のＩＤ情報を記述し、そのＩＤ情報をもつ端末装置でのみコンテンツ再生可能とする方法で実現可能である。また、コンテンツ復号鍵６４をさらに携帯通信端末装置４０固有の秘密鍵を用いて暗号化する方法でも実現可能である。【０１２７】  次いで、携帯通信端末装置４０の管理部２４ｂは、蓄積部２５からコンテンツデータを読み出し（ステップＳ５２１、Ｓ５２２）、携帯通信端末装置４０専用・試聴用権利データを蓄積部２５から読み出す（ステップＳ５２３、Ｓ５２４）。続いて、管理部２４ｂは、読み出した携帯通信端末装置４０専用・試聴用権利データ及びコンテンツデータが携帯通信端末装置４０のＤＲＭシステム及び再生機能により試聴が可能か否かを判別する（ステップＳ５２５）。【０１２８】  管理部２４ｂは、試聴可能であると判別した場合は（ステップＳ５２５：ＹＥＳ）、エコンテンツデータの試聴処理を実行し（ステップＳ５２６）、携帯通信端末装置４０専用・試聴用権利データの試聴履歴を更新し（ステップＳ５２７）、蓄積部２５の携帯通信端末装置４０専用・試聴用権利データ内容を更新する（ステップＳ５２８）。コンテンツデータの試聴処理は、携帯通信端末装置４０内のコンテンツ再生機能を利用して実行される。また、管理部２４ｂは、試聴不可能であると判別した場合は（ステップＳ５２５：ＮＯ）、試聴処理を中断する。【０１２９】  携帯通信端末装置４０専用・試聴用権利データには、例えば、試聴回数３回、試聴期限＊月＊日まで、といった試聴に関わる制限情報が設定されている。ユーザが携帯通信端末装置４０よりコンテンツデータを試聴し、制限情報に設定された条件に達した場合は、例えば、試聴が不可能になったことと、コンテンツの購入希望の問い合わせ等を含むメッセージを表示部２７に表示して、ユーザに試聴後のコンテンツ購入操作を促す。そして、ユーザがコンテンツの購入を希望した場合は、図２３の処理に移行する。【０１３０】  次に、図２６において、携帯通信端末装置４０の管理部２４ｂは、蓄積部２５からコンテンツデータを読み出し（ステップＳ６０１、Ｓ６０２）、そのコンテンツデータに格納されたライセンス取得ＵＲＬ６０ｃを読み出して（ステップＳ６０３）、ダウンロード部２４ａに出力する。【０１３１】  ダウンロード部２４ａは、管理部２４ｂから入力されたライセンス取得ＵＲＬ６０ｃによりブラウザを起動し（ステップＳ６０４）、サーバ１２にアクセスする（ステップＳ６０５）。サーバ１２は、携帯通信端末装置４０からライセンス取得ＵＲＬにアクセスされると、権利データリストを作成し（ステップＳ６０６）、その権利データリストを携帯通信端末装置４０に送信する（ステップＳ６０７）。携帯通信端末装置４０のダウンロード部２４ａは、サーバ１２から権利データリストを受信すると（ステップＳ６０８）、その権利データリストを表示部２７に表示して、ユーザにより所望の権利データを選択させる（ステップＳ６０９）。ユーザにより所望の権利データ（携帯端���装置５０専用・購入用）を選択されると、携帯通信端末装置４０のダウンロード部２４ａは、その携帯端末装置５０専用・購入用権利データ選択情報を送受信部２２によりサーバ１２に送信する。【０１３２】  次いで、サーバ１２は、携帯通信端末装置４０から携帯端末装置５０専用・購入用権利データ選択情報を受信すると（ステップＳ６１０）、該当する携帯端末装置５０専用・購入用権利データを携帯通信端末装置４０に送信して（ステップＳ６１１）、処理を終了する。携帯通信端末装置４０のダウンロード部２４ａは、サーバ１２から携帯端末装置５０専用・購入用権利データを受信すると（ステップＳ６１２）、その携帯端末装置５０専用・購入用権利データを管理部２４ｂに出力して、処理を終了する。管理部２４ｂは、ダウンロード部２４ａから携帯端末専装置５０専用・購入用権利データを取得すると（ステップＳ６１３）、その携帯端末装置５０専用・購入用権利データを蓄積部２５に蓄積する（ステップＳ６１４）。【０１３３】  図２８に携帯端末装置５０専用・購入用権利データの構成例を示す。携帯通信端末装置４０専用・試聴用権利データと同一フォーマットであるが、コンテンツ再生制限６３ｅは、本実施の形態の場合は、「制限無し」が設定されているものとする。コンテンツＩＤ６３ｃとコンテンツ復号鍵６４は、上記携帯通信端末装置４０専用・試聴用権利データと同一でなければならないが、ライセンスＩＤ６３ｂは携帯端末装置４０専用・試聴用権利データとは別個のＩＤが設定されている。【０１３４】  次いで、管理部２４ｂは、蓄積部２５に蓄積したコンテンツデータを読み出し（ステップＳ６１５、Ｓ６１６）、そのコンテンツデータをＩｒＤＡＩ／Ｆ部４１により赤外線通信で携帯端末装置５０に転送する（ステップＳ６１７）。携帯端末装置５０のＩｒＤＡＩ／Ｆ部５５は、携帯通信端末装置４０から赤外線送信されたコンテンツデータを受信し、制御部５３内の管理部５３ａに出力する。管理部５３ａは、ＩｒＤＡＩ／Ｆ部５５から取得したコンテンツデータを蓄積部５４に蓄積する。【０１３５】  次いで、携帯通信端末装置４０の管理部２４ｂは、蓄積部２５から携帯端末装置５０専用・購入用権利データを読み出し（ステップＳ６１９、Ｓ６２０）、その携帯端末装置５０専用・購入用権利データが携帯端末装置５０のＤＲＭシステムに転送可能か否かを判別する（ステップＳ６２１）。管理部２４ｂは、携帯端末装置５０専用・購入用権利データが携帯端末装置５０のＤＲＭシステムに転送可能であると判別した場合は（ステップＳ６２１：ＹＥＳ）、携帯端末装置５０専用・購入用権利データをＩｒＤＡＩ／Ｆ部４１により赤外線通信で携帯端末装置５０に転送して（ステップＳ６２２）、処理を終了する。携帯端末装置５０のＩｒＤＡＩ／Ｆ部５５は、携帯通信端末装置４０から赤外線送信された携帯端末装置５０専用・購入用権利データを受信し（ステップＳ６２３）、制御部５３内の管理部５３ａに出力する。管理部５３ａは、ＩｒＤＡＩ／Ｆ部５５から取得した携帯端末装置５０専用・購入用権利データを蓄積部５４に蓄積して、処理を終了する。【０１３６】  また、携帯通信端末装置４０の管理部２４ｂは、携帯端末装置５０専用・購入用権利データが携帯端末装置５０のＤＲＭシステムに転送不可であると判別した場合は（ステップＳ６２１：ＮＯ）、ステップＳ６１９に戻り、蓄積部２５から他の携帯端末装置５０専用・購入用権利データを読み出して、同様に転送可否判別処理を繰り返し実行する。【０１３７】  以上のように、本実施の形態３のコンテンツ配信システムでは、通信機能及び試聴機能を備えた携帯通信端末装置４０によりサーバ１２から携帯通信端末装置専用・試聴用権利データとコンテンツデータをダウンロードし、携帯端末装置５０のユーザが携帯通信端末装置４０においてコンテンツデータの試聴を可能とした。【０１３８】  そして、本実施の形態３のコンテンツ配信システムでは、携帯端末装置５０のユーザが試聴したコンテンツデータの購入を希望すると、携帯通信端末装置４０の通信機能によりサーバ１２から携帯端末装置専用・購入用権利データをダウンロードし、赤外通信により携帯端末装置専用・購入用権利データとコンテンツデータを携帯端末装置５０に転送して、通信機能及び試聴機能を持たない携帯端末装置５０においてコンテンツデータをサーバ１２から購入することを可能にした。【０１３９】  したがって、音楽再生専用端末等の通信機能及び試聴機能を持たない携帯端末装置においても、中継となる携帯電話装置等の別の携帯通信端末装置上で携帯端末装置のユーザが試聴してコンテンツの内容を確認した後、コンテンツデータの購入を可能とし、ユーザが必要とするコンテンツに対してのみ課金処理を実行することが可能になる。【０１４０】  また、音楽再生専用端末等の通信機能及び試聴機能を持たない携帯端末装置においてもコンテンツの試聴を確認した後、コンテンツの購入を可能としたため、コンテンツを提供可能なユーザ層を拡大することができ、コンテンツビジネスの発展に寄与することができる。【０１４１】  また、本実施の形態のコンテンツ配信システムでは、携帯通信端末装置４０と携帯端末装置５０との間の転送はＩｒＤＡを利用したが、その他にＢｌｕｅｔｏｏｔｈやＵＳＢ、メモリカード経由での転送でも良い。【０１４２】  また、図２５において、サーバ１２からコンテンツリストを携帯通信端末装置４０に送信（ステップＳ５０４）後に、コンテンツに関わる権利データリストを携帯通信端末装置４０に送信している（ステップＳ５０８）が、コンテンツリストと権利データリストを同時に送信し、コンテンツの選択と試聴用権利データの取得を同時に行っても良い。【０１４３】  また、図２５において、サーバ１２からコンテンツデータを受信（ステップＳ５１３）後に、携帯通信端末装置４０専用・試聴用権利データを受信しているが（ステップＳ５１８）、携帯通信端末装置４０専用・試聴用権利データの送信後にコンテンツデータを送信しても良い。【０１４４】  また、図２５において、サーバ１２からコンテンツデータを受信（ステップＳ５１３）後に、携帯通信端末装置４０専用・試聴用権利データを受信しているが（ステップＳ５１８）、コンテンツデータと携帯通信端末装置４０専用・試聴用権利データを同梱して配信しても良い。【０１４５】  また、図２５のステップの終了後、携帯通信端末装置４０専用・試聴用権利データの制限情報に設定された条件に達し、かつユーザがコンテンツの購入を希望した場合は、図２６の処理に移行したが、携帯通信端末装置４０専用・試聴用権利データの制限情報に設定された条件に達していなくとも、コンテンツの購入希望の問い合わせ等を含むメッセージを表示部２７に表示して、ユーザに試聴後のコンテンツ購入操作を促し、ユーザがコンテンツの購入を希望した場合は、図２６の処理に移行しても良い。【０１４６】  また、本実施の形態のコンテンツ配信システムでは、携帯端末装置５０専用・購入用権利データとして、試聴回数３回、試聴期限＊月＊日等の制限情報が設定されていない権利データを想定したが、その代替として、携帯端末装置５０のＤＲＭシステムが対応している制限があっても良い。【０１４７】  また、本実施の形態のコンテンツ配信システムでは、携帯端末装置５０専用・購入用権利データを一時蓄積部２５へ蓄積していたが、蓄積せずにすぐ携帯端末装置５０へ転送しても良い。【０１４８】  また、本実施の形態のコンテンツ配信システムでは、試聴後に購入を行うが、携帯通信端末装置４０専用・試聴用権利データは必ずしも無料でなくても良い。例えば携帯通信端末装置４０専用・試聴用権利データ及び携帯端末装置５０専用・購入用権利データは共に有料であるが、携帯通信端末装置４０専用・試聴用権利データの方が安い価格設定であっても良い。また、逆に携帯端末装置５０専用・購入用権利データが無料であっても良い。【０１４９】  また、本実施の形態のコンテンツ配信システムでは、ライセンス取得ＵＲＬ３０ｃはコンテンツデータ内に格納されていたが、携帯通信端末装置４０専用・試聴用権利データ内に格納されていても良い。【０１５０】  また、本実施の形態のコンテンツ配信システムでは、試聴のために携帯通信端末装置４０専用・試聴用権利データを利用したが、上記実施の形態２のように試聴用コンテンツと購入用コンテンツを同梱して配信しても良い。【０１５１】  また、本実施の形態のコンテンツ配信システムでは、携帯端末装置５０は通信機能を持っていないが、通信機能を持っていても良い。例えば、携帯通信端末装置４０がパーソナルコンピュータ等のサーバ１２と高速データ通信可能な端末、携帯端末装置５０が携帯電話等のサーバ１２と通信可能であるが高速データ通信は不可能な端末であっても良い。【０１５２】  また、本実施の形態のコンテンツ配信システムでは、コンテンツデータ、携帯通信端末装置４０専用・試聴用権利データ、携帯端末装置５０専用・購入用権利データはすべて通信ネットワーク１４経由でサーバ１２から取得しているが、インターネット等の有線ネットワーク、放送ネットワーク、他端末等からデータを取得しても良い。【０１５３】  また、本実施の形態のコンテンツ配信システムでは、画像や文字表示の場合は本実施例のように表示部２７を使用するが、さらにスピーカ等を備え、音楽等の再生の場合はスピーカ等を利用しても良い。【０１５４】  （実施の形態４）
本実施の形態では、同一の端末装置群において試聴機能を有する端末装置と試聴機能を持たない端末装置間でコンテンツを共有するため、試聴機能を有する端末装置上でコンテンツの試聴処理を行って、試聴機能を有する端末装置からメモリカードを経由して試聴機能を持たない端末装置に共有権利データとコンテンツデータをコピーする場合について説明する。【０１５５】  図２９は、転送元の携帯通信端末装置７０と転送先の携帯通信端末装置８０の内部構成を示すブロック図である。なお、図２９において、上記図２に示した携帯通信端末装置１１と同一の構成部分には同一符号を付しており、その構成説明を省略する。すなわち、図２９の携帯通信端末装置７０，８０において異なる構成部分は、変換部２４ｃを省略したことである。【０１５６】  また、本実施の形態のコンテンツ配信システムは、図１に示したものと同一構成であるため、その図示及び構成説明は省略する。また、携帯通信端末装置７０は試聴機能を有し、携帯通信端末装置８０は試聴機能を持たないものとする。また、本実施の形態の携帯通信端末装置７０と携帯通信端末装置８０は、その各端末装置７０，８０の情報が事前にサーバ１２に同一の端末装置群に属する端末として登録されており、これによって携帯通信端末装置７０と携帯通信端末装置８０間でのコンテンツの共有を可能にする。【０１５７】  次に、図３０〜図３３を参照してコンテンツデータの試聴動作及びコンテンツデータの共有動作の概要について説明する。図３０及び図３１は、コンテンツデータと携帯通信端末装置７０専用試聴用権利データのダウンロード動作と試聴動作を模式的に示した図である。図３２及び図３３は、共有用・購入用権利データのダウンロード動作と共有用・購入用権利データ及びコンテンツデータのコピー動作を模式的に示した図である。【０１５８】  まず、図３０において、携帯通信端末装置７０は、サーバ１２にアクセスし、コンテンツデータと携帯通信端末装置７０専用試聴用権利データをダウンロードして、携帯通信端末装置７０内の蓄積部２５に蓄積する。次いで、図３１において、携帯通信端末装置７０は、携帯通信端末装置７０の再生機能を利用して蓄積部２５に蓄積したコンテンツデータの試聴処理を実行する。【０１５９】  次いで、図３２において、携帯通信端末装置７０は、サーバ１２にアクセスし、共有用・購入用権利データをダウンロードして蓄積部２５に蓄積する。次いで、図３３において、携帯通信端末装置７０は、蓄積部２５に蓄積したコンテンツデータと共有用・購入用権利データをメモリカード１３を介して携帯通信端末装置８０にコピーする。【０１６０】  次に、図３４、図３５を参照してコンテンツデータ及び試聴用権利データのダウンロード動作及び試聴動作の詳細について説明する。図３４は、図３０及び図３１に示した本実施の形態のコンテンツ配信システムにおけるコンテンツデータ及び携帯通信端末装置７０専用試聴用権利データのダウンロード動作と試聴動作の詳細を示す図である。図３５は、図３２及び図３３に示した本実施の形態のコンテンツ配信システムにおける共有用・購入用権利データをダウンロード動作と、コンテンツデータ及び共有用・購入用権利データのコピー動作の詳細を示す図である。【０１６１】  図３４において、携帯通信端末装置７０は、制御部２４内のダウンロード部２４ａによりブラウザを起動し（ステップＳ７０１）、サーバ１２のＵＲＬにアクセスする（ステップＳ７０２）。この場合、サーバ１２は、コンテンツデータを配信するコンテンツ配信サービスサイトを通信ネットワーク１４上で提供しているものとする。【０１６２】  次いで、サーバ１２は、携帯通信端末装置７０からアクセスされると、配信対象のコンテンツデータを一覧で示すためのコンテンツリストを作成し（ステップＳ７０３）、そのコンテンツリストを携帯通信端末装置７０に送信する（ステップＳ７０４）。次いで、携帯通信端末装置７０のダウンロード部２４ａは、サーバ１２からコンテンツリストを送受信部２２で受信し（ステップＳ７０５）、そのコンテンツリストを表示部２７に表示して、ユーザにより所望のコンテンツを選択させる（ステップＳ７０６）。ユーザにより所望のコンテンツを選択されると、携帯通信端末装置７０のダウンロード部２４ａは、そのコンテンツ選択情報を送受信部２２によりサーバ１２に送信する。【０１６３】  次いで、サーバ１２は、携帯通信端末装置７０からコンテンツ選択情報を受信すると（ステップＳ７０７）、その選択されたコンテンツに対応する権利データリストを作成して携帯通信端末装置７０に送信する（ステップＳ７０８）。携帯通信端末装置７０のダウンロード部２４ａは、サーバ１２から権利データリストを送受信部２２で受信し（ステップＳ７０９）、そのコンテンツリストを表示部２７に表示して、ユーザにより所望の権利データを選択させる（ステップＳ７１０）。ユーザにより所望の権利データ（携帯通信端末装置７０専用・試聴用）を選択されると、携帯通信端末装置７０のダウンロード部２４ａは、その携帯通信端末装置７０専用・試聴用権利データ選択情報を送受信部２２によりサーバ１２に送信する。【０１６４】  次いで、サーバ１２は、携帯通信端末装置７０から携帯通信端末装置７０専用・試聴用権利データ選択情報を受信すると（ステップＳ７１１）、先に選択されたコンテンツデータを携帯通信端末装置７０に送信する（ステップＳ７１２）。携帯通信端末装置７０のダウンロード部２４ａは、サーバ１２からコンテンツデータを送受信部２２で受信すると（ステップＳ７１３）、そのコンテンツデータのインストールを管理部２４ｂに指示する。管理部２４ｂは、ダウンロード部２４ａからのコンテンツデータのインストール指示を受けて、ダウンロード部２４ａからコンテンツデータを取得し（ステップＳ７１５）、そのコンテンツデータを蓄積部２５に蓄積する（ステップＳ７１５、Ｓ７１６）。【０１６５】  図３６にコンテンツデータの構成例を示す。コンテンツデータには、コンテンツＩＤ９０ａ、コンテンツ関連情報９０ｂ、ライセンス取得ＵＲＬ９０ｃ及びコンテンツ本体９１が含まれている。コンテンツＩＤ９０ａは、後述する携帯通信端末装置７０専用・試聴用権利データ及び共有用・購入用権利データに含まれるコンテンツＩＤ９３ｃと照合するためのＩＤ情報である。コンテンツ関連情報９０ｂは、コンテンツデータに関連する付加情報等である。コンテンツ本体９１は、コンテンツ��号鍵により暗号化された状態で格納されており、そのコンテンツ暗号鍵は対応する権利データに格納されているため、対応する権利データが無いと利用できないようになっている。【０１６６】  次いで、サーバ１２は、携帯通信端末装置７０専用・試聴用権利データを携帯通信端末装置７０に送信する（ステップＳ７１７）。携帯通信端末装置７０のダウンロード部２４ａは、サーバ１２から携帯通信端末装置７０専用・試聴用権利データを送受信部２２で受信すると（ステップＳ７１８）、その携帯通信端末装置７０専用・試聴用権利データを管理部２４ｂに出力する。管理部２４ｂは、ダウンロード部２４ａから携帯通信端末装置７０専用・試聴用権利データを取得すると（ステップＳ７１９）、その携帯通信端末装置７０専用・試聴用権利データを蓄積部２５に蓄積する（ステップＳ７２０）。【０１６７】  図３７に携帯通信端末装置７０専用・試聴用権利データの構成例を示す。携帯通信端末装置７０専用・試聴用権利データには、装置専用・共有フラグ９３ａ、ライセンスＩＤ９３ｂ、コンテンツＩＤ９３ｃ、コンテンツ関連情報９３ｄ、コンテンツ再生制限９３ｅ及びコンテンツ復号鍵９４が含まれている。装置専用・共有フラグ９３ａは、権利データが特定の装置専用のものか、共有可能なものか示すフラグであり、本実施の形態の場合は携帯通信端末装置専用のものであることを示すフラグが設定されているものとする。
ライセンスＩＤ９３ｂは、本権利データを識別するための固有のＩＤ情報である。コンテンツＩＤ９３ｃは、上記コンテンツデータに含まれるコンテンツＩＤ９０ａと照合するためのＩＤ情報である。コンテンツ関連情報９３ｄは、コンテンツデータに関連する付加情報等である。コンテンツ再生制限９３ｅは、コンテンツデータの再生を制限する情報が設定される。本実施例の場合は、例えば、試聴回数３回、試聴期限＊月＊日等の試聴に関して設定されているものとする。コンテンツ復号鍵９４は、上記コンテンツデータのコンテンツ本体９１の復号に利用される。【０１６８】  次いで、携帯通信端末装置７０の管理部２４ｂは、蓄積部２５からコンテンツデータを読み出し（ステップＳ７２１、Ｓ７２２）、携帯通信端末装置７０専用・試聴用権利データを蓄積部２５から読み出す（ステップＳ７２３、Ｓ７２４）。続いて、管理部２４ｂは、読み出した携帯通信端末装置７０専用・試聴用権利データ及びコンテンツデータが携帯通信端末装置７０のＤＲＭシステム及び再生機能により試聴が可能か否かを判別する（ステップＳ７２５）。【０１６９】  管理部２４ｂは、試聴可能であると判別した場合は（ステップＳ７２５：ＹＥＳ）、エコンテンツデータの試聴処理を実行し（ステップＳ７２６）、携帯通信端末装置７０専用・試聴用権利データの試聴履歴を更新し（ステップＳ７２７）、蓄積部２５の携帯通信端末装置専用・試聴用権利データ内容を更新する（ステップＳ７２８）。コンテンツデータの試聴処理は、携帯通信端末装置７０内のコンテンツ再生機能を利用して実行される。また、管理部２４ｂは、試聴不可能であると判別した場合は（ステップＳ７２５：ＮＯ）、試聴処理を中断する。【０１７０】  携帯通信端末装置７０専用・試聴用権利データには、例えば、試聴回数３回、試聴期限＊月＊日まで、といった試聴に関わる制限情報が設定されている。ユーザが携帯通信端末装置７０よりコンテンツデータを試聴し、制限情報に設定された条件に達した場合は、例えば、試聴が不可能になったことと、コンテンツの購入希望の問い合わせ等を含むメッセージを表示部２７に表示して、ユーザに試聴後のコンテンツ購入操作を促す。そして、ユーザがコンテンツの購入を希望した場合は、図３５の処理に移行する。【０１７１】  次に、図３５において、携帯通信端末装置７０の管理部２４ｂは、蓄積部２５からコンテンツデータを読み出し（ステップＳ８０１、Ｓ８０２）、そのコンテンツデータに格納されたライセンス取得ＵＲＬ９０ｃを読み出して（ステップＳ８０３）、ダウンロード部２４ａに出力する。【０１７２】  ダウンロード部２４ａは、管理部２４ｂから入力されたライセンス取得ＵＲＬ９０ｃによりブラウザを起動し（ステップＳ８０４）、サーバ１２にアクセスする（ステップＳ８０５）。サーバ１２は、携帯通信端末装置７０からライセンス取得ＵＲＬにアクセスされると、権利データリストを作成し（ステップＳ８０６）、その権利データリストを携帯通信端末装置７０に送信する（ステップＳ８０７）。携帯通信端末装置８０のダウンロード部２４ａは、サーバ１２から権利データリストを受信すると（ステップＳ８０８）、その権利データリストを表示部２７に表示して、��ーザにより所望の権利データを選択させる（ステップＳ８０９）。ユーザにより所望の権利データ（共有用・購入用）を選択されると、携帯通信端末装置７０のダウンロード部２４ａは、その共有用・購入用権利データ選択情報を送受信部２２によりサーバ１２に送信する。【０１７３】  次いで、サーバ１２は、携帯通信端末装置７０から共有用・購入用権利データ選択情報を受信すると（ステップＳ８１０）、該当する共有用・購入用権利データを携帯通信端末装置７０に送信して（ステップＳ８１１）、処理を終了する。携帯通信端末装置７０のダウンロード部２４ａは、サーバ１２から共有用・購入用権利データを受信すると（ステップＳ８１２）、その共有用・購入用権利データを管理部２４ｂに出力して、処理を終了する。管理部２４ｂは、ダウンロード部２４ａから共有用・購入用権利データを取得すると（ステップＳ８１３）、その共有用・購入用権利データを蓄積部２５に蓄積する（ステップＳ８１４）。【０１７４】  図３７に共有用・購入用権利データの構成例を示す。上記携帯通信端末装置７０専用・試聴用権利データと同一フォーマットであるが、装置専用・共有フラグ９３ａは、権利データが特定の装置専用のものか、共有可能なものか示すフラグであり、本実施の形態の場合は携帯通信端末装置７０と携帯通信端末装置８０との間で共有可能なものであることを示すフラグが設定されているものとする。コンテンツ再生制限９３ｅは、コンテンツデータの再生を制限する情報が設定される。本実施の形態の場合は、「制限無し」が設定されているものとする。コンテンツ復号鍵９４は、上記携帯通信端末装置７０専用・試聴用権利データと同一でなければならないが、ライセンスＩＤ９３ｃは携帯通信端末装置７０専用・試聴用権利データとは別個のＩＤが設定されている。【０１７５】  携帯通信端末装置７０と携帯通信端末装置８０間で共有可能とは、携帯通信端末装置７０及び携帯通信端末装置８０がこの同一の権利データを利用したコンテンツ再生が可能と言う意味である。例えば、権利データ内にさらに携帯通信端末装置７０及び携帯通信端末装置８０が属する端末装置群固有のＩＤ情報を記述し、そのＩＤ情報をもつ端末装置群でのみコンテンツ再生可能とする方法で実現可能である。また、コンテンツ復号鍵９４をさらに端末装置群固有の秘密鍵を用いて暗号化する方法でも実現可能である。【０１７６】  次いで、管理部２４ｂは、蓄積部２５からコンテンツデータを読み出し（ステップＳ８１５、Ｓ８１７）、そのコンテンツデータをメモリカードＩ／Ｆ部２６を介してメモリカード１３に蓄積する（ステップＳ８１７、Ｓ８１８）。次いで、管理部２４ｂは、蓄積部２５から共有用・購入用権利データを読み出し（ステップＳ８１９、Ｓ８２０）、その共有用・購入用権利データが携帯通信端末装置８０のＤＲＭシステムと共有可能なものか否かを判別する（ステップＳ８２１）。【０１７７】  管理部２４ａは、共有用・購入用権利データが携帯通信端末装置８０のＤＲＭシステムと共有可能であると判別した場合は（ステップＳ８２１：ＹＥＳ）、共有用・購入用権利データをメモリカードＩ／Ｆ部２６を介してメモリカード１３に蓄積する（ステップＳ８２２、Ｓ８２３）。���た、管理部２４ａは、共有用・購入用権利データが携帯通信端末装置８０のＤＲＭシステムと共有不可であると判別した場合は（ステップＳ８２１：ＮＯ）、ステップＳ８１９に戻り、他の共有用・購入用権利データを読み出して同様の判別処理を繰り返す。【０１７８】  そして、携帯通信端末装置７０の表示部２７には、コンテンツデータと共有用・購入用権利データのメモリカード１３への蓄積処理が終了した旨が表示される。この表示により、ユーザは携帯通信端末装置７０からメモリカード１３を外し、携帯通信端末装置８０に装着する（ステップＳ８２４）。携帯通信端末装置８０の管理部２４ｂは、メモリカード１３がメモリカードＩ／Ｆ部２６に装着されたことを認識すると、メモリカードＩ／Ｆ部２６を介してメモリカード１３からコンテンツデータを読み出し（ステップＳ８２５、Ｓ８２６）、共有用・購入用権利データを読み出して（ステップＳ８２７、Ｓ８２８）、本処理を終了する。そして、携帯通信端末装置８０では、メモリカード１３から読み出したコンテンツデータと共有用・購入用権利データにより、コンテンツデータの再生が可能となる。【０１７９】  以上のように、本実施の形態４のコンテンツ配信システムでは、同一の端末装置群において試聴機能を有する携帯通信端末装置７０と試聴機能を持たない携帯通信端末装置８０との間でコンテンツデータと権利データを共有するため、携帯通信端末装置７０は、サーバ１２からコンテンツデータと携帯通信端末装置７０専用試聴用権利データをダウンロードし、そのコンテンツデータの試聴を可能とした。その試聴後は、携帯通信端末装置７０は、サーバ１２から共有・購入用権利データをダウンロードし、その共有・購入用権利データと先にダウンロードしたコンテンツデータをメモリカード１３に蓄積し、そのメモリカード１３を携帯通信端末装置８０に装着することにより、携帯通信端末装置８０にコンテンツデータの購入及び再生を可能とした。【０１８０】  したがって、同一の端末装置群において試聴機能を持たない携帯通信端末装置８０のユーザは、中継となる携帯通信端末装置７０の端末装置上での試聴によりコンテンツデータの内容を確認した後、携帯通信端末装置８０とコンテンツデータ及び権利データを共有することが可能になる。【０１８１】  また、音楽再生専用端末等の試聴機能を持たない端末装置においても、中継となる携帯電話装置等の別の携帯通信端末装置上で携帯端末装置のユーザが試聴してコンテンツの内容を確認した後、コンテンツデータの購入を可能とし、ユーザが必要とするコンテンツに対してのみ課金処理を実行することが可能になる。【０１８２】  また、音楽再生専用端末等の通信機能及び試聴機能を持たない携帯端末装置においてもコンテンツの試聴を確認した後、コンテンツの購入を可能としたため、コンテンツを提供可能なユーザ層を拡大することができ、コンテンツビジネスの発展に寄与することができる。【０１８３】  また、本実施の形態のコンテンツ配信システムでは、携帯通信端末装置７０と携帯通信装置８０との間の共有はメモリカードを利用したが、その他にＢｌｕｅｔｏｏｔｈやＵＳＢ、ＩｒＤＡ経由での共有でも良い。【０１８４】  また、図３４において、サ��バ１２からコンテンツリストを携帯通信端末装置７０に送信（ステップＳ７０４）後に、コンテンツに関わる権利データリストを携帯通信端末装置４０に送信している（ステップＳ７０８）が、コンテンツリストと権利データリストを同時に送信し、コンテンツの選択と試聴用権利データの取得を同時に行っても良い。【０１８５】  また、図３４において、サーバ１２からコンテンツデータを受信（ステップＳ７１３）後に、携帯通信端末装置７０専用・試聴用権利データを受信しているが（ステップＳ７１８）、携帯通信端末装置７０専用・試聴用権利データの送信後にコンテンツデータを送信しても良い。【０１８６】  また、図３４において、サーバ１２からコンテンツデータを受信（ステップＳ７１３）後に、携帯通信端末装置７０専用・試聴用権利データを受信しているが（ステップＳ７１８）、コンテンツデータと携帯通信端末装置７０専用・試聴用権利データを同梱して配信しても良い。【０１８７】  また、図３４のステップの終了後、携帯通信端末装置７０専用・試聴用権利データの制限情報に設定された条件に達し、かつユーザがコンテンツの購入を希望した場合は、図３５の処理に移行したが、携帯通信端末装置７０専用・試聴用権利データの制限情報に設定された条件に達していなくとも、コンテンツの購入希望の問い合わせ等を含むメッセージを表示部２７に表示して、ユーザに試聴後のコンテンツ購入操作を促し、ユーザがコンテンツの購入を希望した場合は、図３５の処理に移行しても良い。【０１８８】  また、本実施の形態のコンテンツ配信システムでは、共有用・購入用権利データとして、試聴回数３回、試聴期限＊月＊日等の制限情報が設定されていない権利データを想定したが、その代替として、携帯通信端末装置７０及び携帯通信端末装置８０の双方のＤＲＭシステムが対応している制限があっても良い。【０１８９】  また、本実施の形態のコンテンツ配信システムでは、試聴後に購入を行うが、携帯通信端末装置７０専用・試聴用権利データは必ずしも無料でなくても良い。例えば携帯通信端末装置７０専用・試聴用権利データ及び共有用・購入用権利データは共に有料であるが、携帯通信端末装置７０専用・試聴用権利データの方が安い価格設定であっても良い。また、逆に共有用・購入用権利データが無料であっても良い。【０１９０】  また、本実施の形態のコンテンツ配信システムでは、ライセンス取得ＵＲＬ３０ｃはコンテンツデータ内に格納されていたが、携帯通信端末装置７０専用・試聴用権利データ内に格納されていても良い。【０１９１】  また、本実施の形態のコンテンツ配信システムでは、試聴のために携帯通信端末装置７０専用・試聴用権利データを利用したが、上記実施の形態２のように試聴用コンテンツと購入用コンテンツを同梱して配信しても良い。【０１９２】  また、本実施の形態のコンテンツ配信システムでは、コンテンツデータ、携帯通信端末装置７０専用・試聴用権利データ、共有用・購入用権利データはすべて通信ネットワーク１４経由でサーバ１２から取得しているが、インターネット等の有線ネットワーク、放送ネットワーク、他端末等からデータを取得しても良い。【０１９３】  また、本実施の形態のコンテンツ配信システムでは��画像や文字表示の場合は本実施例のように表示部２７を使用するが、さらにスピーカ等を備え、音楽等の再生の場合はスピーカ等を利用しても良い。【０１９４】  本発明のデータ処理装置の第１の態様は、配信元から配信されたコンテンツを一時的に記憶する着脱可能な記憶媒体と、前記配信元から前記コンテンツに対する試聴用権利データを取得する取得手段と、前記試聴用権利データに従って前記記憶されたコンテンツの試聴処理を行う試聴処理手段と、前記試聴処理後、前記取得手段により前記配信元から前記コンテンツの取扱いに関する権利データを取得する取得手段と、当該権利データと前記記憶されたコンテンツを読み出してエクスポート先のコンテンツ取扱い管理システムに適合するように変換する変換手段と、前記変換された権利データとコンテンツを前記記憶媒体に蓄積する管理手段と、を備える構成を採る。【０１９５】  この構成によれば、エクスポート先の端末装置が試聴機能を有していなくても、かつエクスポート先の端末装置が大容量コンテンツの蓄積機能を有していなくても、エクスポート元で着脱可能な記憶媒体を利用して大容量コンテンツの試聴を可能とすることができる。また、ユーザは、大容量コンテンツの試聴によってコンテンツの内容を確認した後、コンテンツの取扱いに関する権利データの購入を判断することができ、必要とするコンテンツに対してのみ課金処理を実行することができる。【０１９６】  本発明のデータ処理装置の第２の態様は、上記第１の態様に記載のデータ処理装置において、前記取得手段は、前記配信元から前記コンテンツに対する試聴用権利データを取得し、前記試聴処理手段は、前記試聴用権利データに従って前記記憶されたコンテンツの試聴処理を行う構成を採る。【０１９７】  この構成によれば、エクスポート先の携帯端末装置が試聴機能を有していなくても、かつエクスポート先の端末自身が大容量コンテンツの蓄積機能を有していなくても、エクスポート元で記憶媒体を利用して大容量コンテンツの試聴を可能とすることができる。また、ユーザは、大容量コンテンツの試聴によってコンテンツの内容を確認した後、コンテンツの取扱いに関する権利データの購入を判断することができ、必要とするコンテンツに対してのみ課金処理を実行することができる。【０１９８】  本発明のデータ処理装置の第３の態様は、上記第１の態様に記載のデータ処理装置において、前記記憶媒体は、前記配信元から配信された試聴用コンテンツと購入用コンテンツを一時的に記憶し、前記試聴処理手段は、前記記憶された試聴用コンテンツの試聴処理を行う構成を採る。【０１９９】  この構成によれば、配信元から同梱して配信された試聴用コンテンツと購入用コンテンツを記憶媒体に記憶するため、ユーザは、試聴してコンテンツの内容を確認した後に、購入用権利データのみを取得するだけで、記憶媒体を介して購入用コンテンツを購入することができ、購入用コンテンツを取得する手間を削減することができる。【０２００】  本発明のデータ処理装置の第４の態様は、上記第３の態様に記載のデータ処理装置において、前記試聴用コンテンツと前記購入用コンテンツは、前記配信元から同梱して配信される構成を採る。【０２０１】  この構成によれ���、配信元から同梱して配信された試聴用コンテンツと購入用コンテンツを記憶媒体に記憶するため、ユーザは、試聴してコンテンツの内容を確認した後に、購入用権利データのみを取得するだけで、記憶媒体を介して購入用コンテンツを購入することができ、購入用コンテンツを取得する手間を削減することができる。【０２０２】  本発明のデータ処理装置の第５の態様は、上記第１の態様に記載のデータ処理装置において、前記コンテンツのエクスポート先が試聴機能を持たないコンテンツ取扱い管理システムである構成を採る。【０２０３】  この構成によれば、エクスポート先の携帯端末装置が試聴機能を有していなくても、かつエクスポート先の端末自身が大容量コンテンツの蓄積機能を有していなくても、エクスポート元で記憶媒体を利用して大容量コンテンツの試聴を可能とすることができる。【０２０４】  本発明のデータ処理装置の第６の態様は、上記第１の態様に記載のデータ処理装置において、前記記憶媒体が着脱可能である構成を採る。【０２０５】  この構成によれば、エクスポート先の携帯端末装置が試聴機能を有していなくても、かつエクスポート先の端末自身が大容量コンテンツの蓄積機能を有していなくても、エクスポート元で記憶媒体を利用して大容量コンテンツを試聴し購入処理をした後、エクスポート元のデータ処理装置から記憶媒体を外し、エクスポート先の携帯端末装置に装着するだけで、購入したコンテンツを利用することが可能になる。【０２０６】  本発明のデータ処理装置の第７の態様は、コンテンツに関する権利データを含むデータ処理を行うデータ処理装置であって、配信元から配信されたコンテンツを蓄積する蓄積手段と、データを転送する転送手段と、前記記憶されたコンテンツの試聴処理を行う試聴処理手段と、前記配信元から前記コンテンツの取扱いに関する権利データを取得する取得手段と、前記権利データと前記蓄積されたコンテンツを前記転送手段により転送する管理手段と、を備える構成を採る。【０２０７】  この構成によれば、音楽再生専用端末等の通信機能及び試聴機能を持たない転送先の端末装置においても、中継となる携帯電話装置等の別の転送元端末装置上でエクスポート先端末装置のユーザが試聴してコンテンツの内容を確認した後、コンテンツデータの購入を可能とし、ユーザが必要とするコンテンツに対してのみ課金処理を実行することが可能になる。また、音楽再生専用端末等の通信機能及び試聴機能を持たない端末装置においてもコンテンツの試聴を確認した後、コンテンツの購入を可能としたため、コンテンツを提供可能なユーザ層を拡大することができ、コンテンツビジネスの発展に寄与することができる。【０２０８】  本発明のデータ処理装置の第８の態様は、上記第７の態様に記載のデータ処理装置において、前記権利データは、前記転送先の端末装置専用の権利データである構成を採る。【０２０９】  この構成によれば、音楽再生専用端末等の通信機能及び試聴機能を持たない転送先の端末装置においても、中継となる携帯電話装置等の別の転送元端末装置上で転送先の端末装置専用のコンテンツの内容をユーザが試聴して確認した後、コンテンツデータの購入を可能とし、転送先の端末装置専用のユーザが必要とするコンテンツに対してのみ課金処理を実行することが可能になる。【０２１０】  本発明のデータ処理装置の第９の態様は、上記第７の態様に記載のデータ処理装置において、前記取得手段は、前記配信元から前記コンテンツに対する試聴用権利データを取得し、前記試聴処理手段は、前記試聴用権利データに従って前記記憶されたコンテンツの試聴処理を行う構成を採る。【０２１１】  この構成によれば、音楽再生専用端末等の通信機能及び試聴機能を持たない転送先の端末装置においても、中継となる携帯電話装置等の別の転送元端末装置上で転送先の端末装置のコンテンツの内容をユーザが試聴して確認した後、コンテンツデータの購入が可能になる。【０２１２】  本発明のデータ処理装置の第１０の態様は、上記第７の態様に記載のデータ処理装置において、前記コンテンツの転送先が試聴機能を持たないコンテンツ取扱い管理システムである構成を採る。【０２１３】  この構成によれば、音楽再生専用端末等の通信機能及び試聴機能を持たない転送先の端末装置においても、中継となる携帯電話装置等の別の転送元端末装置上で転送先の端末装置のコンテンツの内容をユーザが試聴して確認した後、コンテンツデータの購入が可能になる。【０２１４】  本発明のデータ処理装置の第１１の態様は、コンテンツに関する権利データを含むデータ処理を行うデータ処理装置であって、配信元から配信されたコンテンツを蓄積する蓄積手段と、データを共有する共有手段と、前記記憶されたコンテンツの試聴処理を行う試聴処理手段と、前記配信元から前記コンテンツに対する権利データを取得する取得手段と、前記権利データと前記蓄積されたコンテンツを前記共有手段により共有する管理手段と、を備える構成を採る。【０２１５】  この構成によれば、同一の端末装置群において試聴機能を持たない共有先端末装置のユーザは、中継となる共有元端末装置上での試聴によりコンテンツの内容を確認した後、共有元端末装置と共有先端末装置でコンテンツ及び権利データを共有することが可能になる。また、音楽再生専用端末等の試聴機能を持たない共有先端末装置においても、中継となる携帯電話装置等の別の共有元端末装置上で共有先端末装置のユーザが試聴してコンテンツの内容を確認した後、コンテンツの購入を可能とし、ユーザが必要とするコンテンツに対してのみ課金処理を実行することが可能になる。また、音楽再生専用端末等の通信機能及び試聴機能を持たない共有先端末装置においてもコンテンツの試聴を確認した後、コンテンツの購入を可能としたため、コンテンツを提供可能なユーザ層を拡大することができ、コンテンツビジネスの発展に寄与することができる。【０２１６】  本発明のデータ処理装置の第１２の態様は、上記第１１の態様に記載のデータ処理装置において、前記権利データは、前記共有元端末装置及び前記共有先端末装置にて共有可能な権利データである構成を採る。【０２１７】  この構成によれば、同一の端末装置群において共有元端末装置と共有先端末装置でコンテンツ及び権利データを共有することが可能になり、共有先端末装置において権利データを取得する処理を省略することができ、通信コストを削減することができる。【０２１８】  本発明のデータ処理装置の第１３の態様は、上記第１１の態様に記載のデータ処理装置において、前記取得手段は、前記配信元から前記コンテンツに対する試聴用権利データを取得し、前記試聴処理手段は、前記試聴用権利データに従って前記記憶されたコンテンツの試聴処理を行う構成を採る。【０２１９】  この構成によれば、音楽再生専用端末等の通信機能及び試聴機能を持たない共有先の端末装置においても、中継となる携帯電話装置等の別の共有元端末装置上で共有先端末装置のユーザが試聴してコンテンツの内容を確認した後、コンテンツデータの購入を可能とし、ユーザが必要とするコンテンツに対してのみ課金処理を実行することが可能になる。また、音楽再生専用端末等の通信機能及び試聴機能を持たない端末装置においてもコンテンツの試聴を確認した後、コンテンツの購入を可能としたため、コンテンツを提供可能なユーザ層を拡大することができ、コンテンツビジネスの発展に寄与することができる。【０２２０】  本発明のデータ処理装置の第１４の態様は、上記第１１の態様に記載のデータ処理装置において、前記コンテンツの共有先が試聴機能を持たないコンテンツ取扱い管理システムである構成を採る。【０２２１】  この構成によれば、同一の端末装置群において試聴機能を持たない共有先端末装置のユーザは、中継となる共有元端末装置上での試聴によりコンテンツの内容を確認した後、共有元端末装置と共有先端末装置でコンテンツ及び権利データを共有することが可能になる。また、音楽再生専用端末等の試聴機能を持たない共有先端末装置においても、中継となる携帯電話装置等の別の供給元端末装置上で共有先端末装置のユーザが試聴してコンテンツの内容を確認した後、コンテンツの購入を可能とし、ユーザが必要とするコンテンツに対してのみ課金処理を実行することが可能になる。【０２２２】  本明細書は、２００４年６月１５日出願の特願２００４−１７７５８２に基づく。この内容はすべてここに含めておく。
【産業上の利用可能性】
【０２２３】  本発明は、再生専用端末で大容量コンテンツデータの試聴を実現し、端末間の転送機能を活かしつつ、試聴後のコンテンツの購入を実現し、かつ異なるコンテンツ取扱いシステムへコンテンツデータをエクスポートすることを可能にし、携帯情報端末、携帯電話装置などの電子機器や、メモリカードなどの記録媒体などにおいて、デジタルコンテンツの取扱いに関する権利データを含むデータの処理を行うデータ処理装置等に有用である。
【図１】
2005124573.tif 000002
【図２】
2005124573.tif 000003
【図３】
2005124573.tif 000004
【図４】
2005124573.tif 000005
【図５】
2005124573.tif 000006
【図６】
2005124573.tif 000007
【図７】
2005124573.tif 000008
【図８】
2005124573.tif 000009
【図９】
2005124573.tif 000010
【図１０】
2005124573.tif 000011
【図１１】
2005124573.tif 000012
【図１２】
2005124573.tif 000013
【図１３】
2005124573.tif 000014
【図１４】
2005124573.tif 000015
【図１５】
2005124573.tif 000016
【図１６】
2005124573.tif 000017
【図１７】
2005124573.tif 000018
【図１８】
2005124573.tif 000019
【図１９】
2005124573.tif 000020
【図２０】
2005124573.tif 000021
【図２１】
2005124573.tif 000022
【図２２】
2005124573.tif 000023
【図２３】
2005124573.tif 000024
【図２４】
2005124573.tif 000025
【図２５】
2005124573.tif 000026
【図２６】
2005124573.tif 000027
【図２７】
2005124573.tif 000028
【図２８】
2005124573.tif 000029
【図２９】
2005124573.tif 000030
【図３０】
2005124573.tif 000031
【図３１】
2005124573.tif 000032
【図３２】
2005124573.tif 000033
【図３３】
2005124573.tif 000034
【図３４】
2005124573.tif 000035
【図３５】
2005124573.tif 000036
【図３６】
2005124573.tif 000037
【図３７】
2005124573.tif 000038
【手続補正書】
【提出日】平成18年11月14日(2006.11.14)
【手続補正１】
【補正対象書類名】特許請求の範囲
【補正対象項目名】全文
【補正方法】変更
【補正の内容】
【特許請求の範囲】
【請求項１】
コンテンツに関する権利データを含むデータ処理を行うデータ処理装置であって、
配信元から配信されたコンテンツを記憶する記憶媒体と、
前記記憶されたコンテンツの試聴処理を行う試聴処理手段と、
前記配信元から前記コンテンツの取扱いに関する権利データを取得する取得手段と、
当該権利データと前記記憶されたコンテンツを読み出してエクスポート先のコンテンツ取扱い管理システムに適合するように変換する変換手段と、
前記変換された権利データとコンテンツを前記記憶媒体に蓄積する管理手段と、を備えるデータ処理装置。
【請求項２】
前記取得手段は、前記配信元から前記コンテンツに対する試聴用権利データを取得し、
前記試聴処理手段は、前記試聴用権利データに従って前記記憶されたコンテンツの試聴処理を行う請求項１記載のデータ処理装置。
【請求項３】
前記記憶媒体は、前記配信元から配信された試聴用コンテンツと購入用コンテンツを記憶し、
前記試聴処理手段は、前記記憶された試聴用コンテンツの試聴処理を行う請求項１記載のデータ処理装置。
【請求項４】
前記試聴用コンテンツと前記購入用コンテンツは、前記配信元から同梱して配信される請求項３記載のデータ処理装置。
【請求項５】
前記コンテンツのエクスポート先が試聴機能を持たないコンテンツ取扱い管理システムである請求項１記載のデータ処理装置。
【請求項６】
前記記憶媒体が着脱可能である請求項１記載のデータ処理装置。
【請求項７】
コンテンツに関する権利データを含むデータ処理を行うデータ処理装置であって、
配信元から配信されたコンテンツを蓄積する蓄積手段と、
データを転送する転送手段と、
前記記憶されたコンテンツの試聴処理を行う試聴処理手段と、
前記配信元から前記コンテンツの取扱いに関する権利データを取得する取得手段と、
前記権利データと前記蓄積されたコンテンツを前記転送手段により転送する管理手段と、を備えるデータ処理装置。
【請求項８】
前記権利データは、前記転送先の端末装置専用の権利データである請求項７記載のデータ処理装置。
【請求項９】
前記取得手段は、前記配信元から前記コンテンツに対する試聴用権利データを取得し、前記試聴処理手段は、前記試聴用権利データに従って前記記憶されたコンテンツの試聴処理を行う請求項７記載のデータ処理装置。
【請求項１０】
前記コンテンツの転送先が試聴機能を持たないコンテンツ取扱い管理システムである請求項７記載のデータ処理装置。
【請求項１１】
コンテンツに関する権利データを含むデータ処理を行うデータ処理装置であって、
配信元から配信されたコンテンツを蓄積する蓄積手段と、
データを共有する共有手段と、
前記記憶されたコンテンツの試聴処理を行う試聴処理手段と、
前記配信元から前記コンテンツに対する権利データを取得する取得手段と、
前記権利データと前記蓄積されたコンテンツを前記共有手段により共有する管理手段と、を備えるデータ処理装置。
【請求項１２】
前記権利データは、前記共有元端末装置及び前記共有先端末装置にて共有可能な権利データである請求項１１記載のデータ処理装置。
【請求項１３】
前記取得手段は、前記配信元から前記コンテンツに対する試聴用権利データを取得し、前記試聴処理手段は、前記試聴用権利データに従って前記記憶されたコンテンツの試聴処理を行う請求項１１記載のデータ処理装置。
【請求項１４】
前記コンテンツの共有先が試聴機能を持たないコンテンツ取扱い管理システムである請求項１１記載のデータ処理装置。
【手続補正２】
【補正対象書類名】明細書
【補正対象項目名】全文
【補正方法】変更
【補正の内容】
【発明の詳細な説明】
【技術分野】
【０００１】
本発明は、携帯情報端末、携帯電話装置などの電子機器や、メモリカードなどの記録媒体などにおいて、デジタルコンテンツの取扱いに関する権利データを含むデータの処理を行うデータ処理装置に関する。
【背景技術】
【０００２】
インターネット等のネットワーク環境の性能向上などにより、画像や音声などのデジタルデータを含むデジタルコンテンツが広範に流通するようになり、それに伴いデジタルコンテンツの著作権保護などのコンテンツ管理が重要な課題となっている。デジタル化された音楽などの著作物は何度コピーしてもどんな遠距離を送受信しても品質が劣化しないため、インターネットの普及やパーソナルコンピュータの高速化、大容量化に伴って、著作者の許諾を得ない違法な配布、交換などが増えている。
【０００３】
従来、通信回線や記録媒体を介して提供されるデジタルコンテンツに対して、不正なコピーや分配を防止する手法として、モジュール間での認証によりコピープロテクトを行う方法（例えば、特許文献１参照）、分配されるコンテンツをＩＤで管理する方法（例えば、特許文献２参照）などが提案されている。
【０００４】
また、最近では、デジタルコンテンツの取扱いを管理して著作権等を保護するための技術として、デジタルコンテンツの流通、再生等に制限を加えるＤＲＭ（Digital Rights Management ）技術が注目を集めている。ＤＲＭシステムの具体的な実装形態は様々で、メモリカードなどの記録媒体に内蔵される場合や、音声や動画のプレーヤーソフトウェアに組み込まれる場合、送受信、転送ソフトに組み込まれる場合、及びそれらの組み合わせなどがある。ＤＲＭシステムでは、コンテンツ毎に対応する利用権限を付与（取扱いに関する権利データとして記述）し、この権利データに基づいてコンテンツの再生などの利用を管理する。従って、権利データが無いとコンテンツの利用が行えず、また権利データにおける利用権限が消滅するとそれ以降の利用が行えなくなる。
【０００５】
ところで、上記のようにＤＲＭシステムは複数存在し、それぞれのＤＲＭシステムによって、対応可能なコンテンツデータのフォーマット（コンテンツタイプ）、権利データの記述方式や記述可能な内容などが異なっている。このため、コンテンツの配信側（著作権者、流通事業者など）では、ＤＲＭシステム毎にコンテンツデータや権利データを生成するのが煩雑であった。そこで、同じコンテンツを複数の異なるＤＲＭシステムで流通させることができるコンテンツ管理方法及び装置が提案されている（例えば、特許文献３参照）。
【０００６】
一方、コンテンツの受信側の利用者においては、例えばコンテンツを他の記録媒体や機器などで取り扱えるようにコンテンツデータのフォーマットや暗号方式の変換等を行って送出する場合、同一のＤＲＭシステムで管理される記録媒体や機器に対しては通常は出力可能であるが、異なるＤＲＭシステムで管理される記録媒体や機器に対して出力することは通常は不可能であった。例えば、携帯情報端末用にダウンロードしたコンテンツは、その携帯情報端末を管理する特定のＤＲＭシステムで管理されており、異なるＤＲＭシステムで管理されるメモリカードに記録して他の機器で利用したりすることはできなかった。このような異なるＤＲＭシステムで管理される記録媒体や機器の間で利用可能となるようにデータを変換して出力すること（以下、これをエクスポート（export）と称する）が、コンテンツの利用者等において任意に実行できれば便利である。
【０００７】
また、権利データにおける利用権限として、利用可能回数や利用期限、コンテンツの利用に関する取扱い許可情報を用いることにより、例えば、コンテンツと無料の利用可能回数制限付の権利データを配布することによって、ユーザがコンテンツの試聴を行い、その後、制限の無い権利データを購入するというコンテンツの販売形態がある。なお、「試聴」とは、ユーザが制限のない権利データを取得せず、利用制限付きの権利データを取得した状態で、コンテンツを限定的に利用する場合である。試聴の例としては、音の再生、画像の再生または表示、印刷、等が含まれる。
【０００８】
ここで、「試聴後の購入」とは、ユーザは、まず、試聴用の権利データとコンテンツの配信を受け、その試聴用の権利データを利用してコンテンツを再生した後、制限の無い権利データを購入する手順を取ることである。また、「試聴用の制限付き権利データ」とは、利用可能回数（例えば、３回まで、等）、利用期限（例えば、何月何日まで、最初に再生してから何日間、等）、利用可能再生合計時間（例えば、再生合計時間は１０分間、等）、利用可能部分（例えば、３分の楽曲の最初の３０秒部分のみ、等）、利用可能品質（例えば、楽曲の音質を落としたもの、等）を設定したものである。
【０００９】
また、携帯電話端末等の端末ではメモリ容量に制限があり、大容量コンテンツを配信できない場合がある。但し、異なるＤＲＭシステムで管理される大容量メモリカードが装着されている端末の場合は、コンテンツデータの配信と同時にメモリカードにエクスポートする方法がある。
【００１０】
また、他のコンテンツ販売形態としては、例えば、端末Ａと端末Ｂが同一のＤＲＭシステムを有し、端末Ａから端末Ｂに対してコンテンツを転送する方法もある。この場合、端末Ａにおいてコンテンツのダウンロードと権利データの購入（購入手続のみ、又は購入手続きと権利データのダウンロードの両方）を行い、コンテンツと権利データを端末Ｂに転送し、端末Ｂにおいてコンテンツの利用を行う。ここで端末Ａはネットワーク接続機能を持つが、端末Ｂはネットワーク接続機能を持たない場合もある。
【００１１】
具体的には、例えば、端末Ａがパーソナルコンピュータであり、端末Ｂが携帯電話であり、端末Ａはネットワークに接続し、端末Ａと端末Ｂ間は蓄積メディアやＩｒＤＡ（Infrared Data Association ：赤外線通信）等のローカルリンク機能でデータを転送する構成とする。端末Ａは、ネットワーク経由でコンテンツ提供元サーバにおいて端末Ｂ用のコンテンツと権利データを選択、購入処理を行い、ネットワーク経由でコンテンツ提供元サーバからコンテンツのみを取得し、蓄積メディアやＩｒＤＡ等を経由してコンテンツを端末Ｂに転送する。端末Ｂは、ネットワークに接続し、端末Ａにより購入処理済みの権利データを取得して、コンテンツを利用可能にする。
【００１２】
この販売形態の場合は、大容量コンテンツをモバイルネットワーク経由ではなく、インターネット（ブロードバンド）経由で高速にダウンロード可能であり、コンテンツのダウンロード時に同時に購入処理も完了可能となる。
【００１３】
また、他の形態として、端末Ａが携帯電話であり、端末Ｂが音楽再生専用端末であり、端末Ａはネットワークに接続し、端末Ａと端末Ｂ間は蓄積メディアやＩｒＤＡ等で接続する構成とする。端末Ａは、ネットワーク経由でコンテンツ提供元サーバにおいて端末Ｂ用のコンテンツと権利データを選択、購入処理を行い、ネットワーク経由でコンテンツ提供元サーバからコンテンツと権利データを取得した後、ＩｒＤＡ経由でコンテンツと権利データを端末Ｂに転送する。
【００１４】
この販売形態の場合は、ネットワーク接続機能や、コンテンツ選択・購入処理に適したユーザインターフェースを持たない音楽再生専用端末用で再生するためのコンテンツの選
択・購入処理を携帯電話等のネットワーク機能を備えた端末で実施することが可能となる。
【特許文献１】特開平１１−３０６０９２号公報（段落［００３０］−［００９８］、図１）
【特許文献２】特開２００１−２８２６２６号公報（段落［００１６］−［００７０］、図１）
【特許文献３】特開２００２−２９７４５１号公報（段落［００２７］−［００６３］、図１）
【発明の開示】
【発明が解決しようとする課題】
【００１５】
しかし、異なるＤＲＭシステムで管理される大容量メモリカードでは、利用可能回数や利用期限をサポートしていないことがあり、大容量コンテンツの配信において、試聴後に購入するという手順をとることができない。
【００１６】
また、同一のＤＲＭシステムを有する端末Ａから端末Ｂにコンテンツを転送する販売形態の場合は、転送元の端末Ａと転送先の端末Ｂとでは、ＤＲＭシステムが同一であっても、そのＤＲＭシステムのすべての機能をサポートしているとは限らず、特に端末Ｂはコンテンツの再生を重視した端末である場合、試聴機能を持っているとは限らず、コンテンツ提供元で設定された利用制限の元でコンテンツ試聴機能を利用することができない。
【００１７】
本発明の目的は、大容量コンテンツの試聴後のコンテンツの購入を実現し、かつ異なるコンテンツ取扱いシステムへコンテンツデータをエクスポートや再生専用端末へのコンテンツの転送、コピーすることを可能にするデータ処理装置を提供することである。
【課題を解決するための手段】
【００１８】
本発明のデータ処理装置は、配信元から配信されたコンテンツを一時的に記憶する着脱可能な記憶媒体と、前記配信元から前記コンテンツに対する試聴用権利データを取得する取得手段と、前記試聴用権利データに従って前記記憶されたコンテンツの試聴処理を行う試聴処理手段と、前記試聴処理後、前記取得手段により前記配信元から前記コンテンツの取扱いに関する権利データを取得する取得手段と、当該権利データと前記記憶されたコンテンツを読み出してエクスポート先のコンテンツ取扱い管理システムに適合するように変換する変換手段と、前記変換された権利データとコンテンツを前記記憶媒体に蓄積する管理手段と、を備える構成を採る。
【発明の効果】
【００１９】
本発明によれば、大容量コンテンツの試聴後の購入を実現し、かつ異なるコンテンツ取扱いシステムへコンテンツのエクスポートや再生専用端末へのコンテンツの転送、コピーを実現することができる。
【発明を実施するための最良の形態】
【００２０】
以下、本発明の実施の形態について図面を参照して詳細に説明する。
【００２１】
（実施の形態１）
図１は本発明の実施の形態１に係るコンテンツ配信システムの構成を示す図である。ここでは、携帯電話装置等の携帯通信端末装置によってコンテンツ配信元よりコンテンツデータと試聴用権利データをダウンロードして取得し、コンテンツは携帯通信端末装置に接続されたメモリカードに一旦蓄積し、取得した試聴用権利データによりエクスポート元である携帯通信端末装置のＤＲＭシステムに基づいて蓄積したコンテンツの試聴処理を行い、この試聴処理後にコンテンツ配信元より制限無し権利データを取得し、この制限無し権利データと蓄積されたコンテンツをエクスポート先のコンテンツ取扱い管理システムに適合するように変換してエクスポートする場合の構成及び動作を説明する。本実施形態の例では、サーバがコンテンツ配信元に相当し、携帯通信端末装置がデータ処理装置に相当する。
【００２２】
図１において、コンテンツ配信システムは、コンテンツをダウンロードする携帯通信端末装置１１と、コンテンツ配信元であるサーバ１２と、携帯通信端末装置１１とサーバ１２とを接続する通信ネットワーク１４と、から構成されている。
【００２３】
携帯通信端末装置１１は、サーバ１２より配信されるコンテンツデータ及び試聴用権利データをダウンロードし、自装置で用いられるＤＲＭシステムに対応してコンテンツデータ及び試聴用権利データを含むデータを試聴処理するデータ処理装置の機能を有する。この携帯通信端末装置１１において、ＤＲＭシステムによるコンテンツ取扱い管理に従ってコンテンツの利用が可能となっている。ここで、コンテンツデータとしては、音楽、画像、文字、ソフトウェアなどの各種データ、またはこれらを複合したものなどが含まれる。
【００２４】
また、コンテンツの利用としては、音楽コンテンツの再生、画像や文字コンテンツの表示、ソフトウェアの実行、印刷などがある。また、携帯通信端末装置１１は、メモリカード１３などの異なるＤＲＭシステム環境下にある媒体や装置に対してコンテンツをエクスポートするために、異なるＤＲＭシステムに適合するように制限無し権利データを適宜変換する機能を有している。なお、「ＤＲＭシステムに適合する」とは、そのＤＲＭシステムの規則等に準拠した利用（再生、記録、移転等）が可能であることを意味する。
【００２５】
さらに、携帯通信端末装置１１は、試聴処理後に既に存在するコンテンツに関する制限無し権利データをサーバ１２から取得して、制限無し権利データと蓄積済みのコンテンツをメモリカード１３のコンテンツ取扱い管理システムに適合するように変換してエクスポートする機能を有している。権利データとしては、例えば、コンテンツの利用可能回数や
利用期限、また他のＤＲＭシステムへのエクスポートの可否など、コンテンツの利用に関する取扱い許可情報、制限情報を含む利用条件について記述した情報が含まれる。
【００２６】
携帯通信端末装置１１は、図２に示すように、アンテナ２１と、送受信部２２と、メモリ２３と、制御部２４と、蓄積部２５と、メモリカードＩ／Ｆ２６と、表示部２７と、から主に構成される。アンテナ２１は、通信ネットワーク１４を介してサーバ１２との間で通信信号を無線送受信する。送受信部２２は、アンテナ２１により受信された通信信号を復調して制御部２４に出力し、制御部２４から入力される送信信号を変調してアンテナ２１に出力する無線通信機能を有する。メモリ２３は、ＲＯＭ（Read Only Memory）等の半導体メモリから構成され、制御部２４において実行される各種制御プログラム等を記憶する。
【００２７】
制御部２４は、図２に示すように、ダウンロード部２４ａ、管理部２４ｂ及び変換部２４ｃを有する。ダウンロード部２４ａは、サーバ１２からコンテンツ、試聴用権利データ及び制限無し権利データ等をダウンロードするダウンロード処理を実行する。
【００２８】
管理部２４ｂは、ダウンロードされたエクスポート前のコンテンツをメモリカード１３に蓄積し、ダウンロードされた試聴用権利データを蓄積部２５に蓄積する蓄積処理を実行する。また、管理部２４ｂは、蓄積部２５から試聴用権利データを読み出し、メモリカード１３からエクスポート前のコンテンツを読み出して試聴処理を実行する試聴処理機能を有する。さらに、管理部２４ｂは、エクスポート前コンテンツデータに格納されているライセンス取得用ＵＲＬ（Uniform Resource Locator）を読み出して、ダウンロード部２４ａによりサーバ１２から制限無し権利データをダウンロードさせ、この制限無し権利データと蓄積されたエクスポート前コンテンツデータとを変換部２４ｃにより変換してエクスポートするエクスポート処理を実行するコンテンツ処理機能を有する。
【００２９】
変換部２４ｃは、管理部２４ｂにより読み出された制限無し権利データとエクスポート前コンテンツデータを、エクスポート先であるメモリカード１２のＤＲＭシステムに適合するように変換する変換処理を実行する。
【００３０】
蓄積部２５は、管理部２４ｂにより試聴用権利データ及び制限無し権利データ等が蓄積されるものである。メモリカードＩ／Ｆ部２６は、メモリカード１３を着脱可能に接続するものであり、制御部２４とメモリカード１３との間で制限無し権利データやコンテンツ等のデータを記録または読み出しする機能を有する。表示部２７は、液晶パネル等により構成され、通信に関わる情報、ブラウザ起動中のサイト画面、試聴処理中の情報画面等を表示する。
【００３１】
メモリカード１３は、携帯通信端末装置１１で用いられるＤＲＭシステムとは異なるＤＲＭシステムに対応して、コンテンツ及び権利データを格納する記録媒体である。通信ネットワーク１４は、移動体通信網、電話網、インターネット網などの各種通信手段のいずれかを含んで構成される。
【００３２】
図１の例ではサーバ１２を一つの装置で表しているが、これらの機能を有する複数のサーバ装置によりサーバ１２が構成されていてもよい。例えば、コンテンツの提供元と権利データの提供元とで異なるサーバ装置を設けて、コンテンツ配信用のサーバと権利データ配信用のサーバとを別に構成してもよい。また、さらに権利データ配信用のサーバを試聴用権利データ配信用のサーバと、制限無し権利データ配信用のサーバとを別に構成しても良い。
【００３３】
次に、本実施の形態のコンテンツ配信システムにおける動作について、図３〜図８を参
照して説明する。まず、図３〜図６を参照してコンテンツの試聴動作及びエクスポート動作の概要について説明する。図３及び図４は、エクスポート前試聴用権利データとエクスポート前コンテンツデータのダウンロード動作と試聴動作を模式的に示した図である。図５及び図６は、エクスポート前制限無し権利データのダウンロード動作とコンテンツのエクスポート動作を模式的に示した図である。
【００３４】
まず、図３において、携帯通信端末装置１１は、サーバ１２にアクセスし、エクスポート前試聴用権利データをダウンロードして蓄積部２５に蓄積し、エクスポート前コンテンツデータをダウンロードしてメモリカード１３に蓄積する。次いで、図４において、携帯通信端末装置１１は、蓄積部２５に蓄積したエクスポート前試聴用権利データを利用して、携帯通信端末装置１１のＤＲＭシステムに基づいてメモリカード１３に蓄積したエクスポート前コンテンツデータの試聴処理を実行する。
【００３５】
次いで、図５において、携帯通信端末装置１１は、サーバ１２にアクセスし、エクスポート前制限無し権利データをダウンロードして蓄積部２５に蓄積する。次いで、図６において、携帯通信端末装置１１は、蓄積部２５に蓄積したエクスポート前制限無し権利データを、メモリカード１３のＤＲＭシステムに適合するように変換してメモリカード１３にエクスポートする。また、携帯通信端末装置１１は、メモリカード１３に蓄積したエクスポート前コンテンツデータを、メモリカード１３のフォーマットに適合するように変換してメモリカードにエクスポートする。
【００３６】
次に、図７、図８を参照してコンテンツの試聴動作及びエクスポート動作の詳細について説明する。図７は、図３及び図４に示した本実施の形態のコンテンツ配信システムにおけるエクスポート前ダウンロード動作及び試聴動作の詳細を示す図である。図８は、図５及び図６に示した本実施の形態のコンテンツ配信システムにおけるエクスポート動作の詳細を示す図である。
【００３７】
図７において、携帯通信端末装置１１は、制御部２４内のダウンロード部２４ａがブラウザを起動し（ステップＳ１０１）、サーバ１２のＵＲＬにアクセスする（ステップＳ１０２）。この場合、サーバ１２は、コンテンツを配信するコンテンツ配信サービスサイトを通信ネットワーク１４上で提供しているものとする。
【００３８】
次いで、サーバ１２は、携帯通信端末装置１１からアクセスされると、配信対象のコンテンツを一覧で示すためのコンテンツリストを作成し（ステップＳ１０３）、そのコンテンツリストを携帯通信端末装置１１に送信する（ステップＳ１０４）。次いで、携帯通信端末装置１１のダウンロード部２４ａは、サーバ１２からコンテンツリストを送受信部２２で受信し（ステップＳ１０５）、そのコンテンツリストを表示部２７に表示して、ユーザにより所望のコンテンツを選択させる（ステップＳ１０６）。ユーザにより所望のコンテンツを選択されると、携帯通信端末装置１１のダウンロード部２４ａは、そのコンテンツ選択情報を送受信部２２によりサーバ１２に送信する。
【００３９】
次いで、サーバ１２は、携帯通信端末装置１１からコンテンツ選択情報を受信すると（ステップＳ１０７）、その選択されたコンテンツに関わる権利データリストを携帯通信端末装置１１に送信する（ステップＳ１０８）。携帯通信端末装置１１のダウンロード部２４ａは、サーバ１２から権利データリストを受信すると（ステップＳ１０９）、その権利データリストを表示部２７に表示して、ユーザにより所望の権利データを選択させる（ステップＳ１１０）。ユーザにより所望の権利データ（試聴用）が選択されると、携帯通信端末装置１１のダウンロード部２４ａは、その権利データ選択情報を送受信部２２によりサーバ１２に送信する。
【００４０】
次いで、サーバ１２は、携帯通信端末装置１１から権利データ選択情報を受信すると（ステップＳ１１１）、その選択されたコンテンツのエクスポート前コンテンツデータを携帯通信端末装置１１に送信する（ステップＳ１１２）。携帯通信端末装置１１のダウンロード部２４ａは、サーバ１２からエクスポート前コンテンツデータを受信すると（ステップＳ１１３）、エクスポート前コンテンツデータのインストールを管理部２４ｂに指示する（ステップＳ１１４）。
【００４１】
次いで、携帯通信端末装置１１の管理部２４ｂは、エクスポート前コンテンツデータのインストール指示を受けて、ダウンロード部２４ａからエクスポート前コンテンツデータを取得し（ステップＳ１１５）、メモリカードＩ／Ｆ部２６を介してエクスポート前コンテンツデータをメモリカード１３に蓄積する（ステップＳ１１６）。
【００４２】
図９にエクスポート前コンテンツデータの構成例を示す。エクスポート前コンテンツデータには、コンテンツＩＤ３０ａ、コンテンツ関連情報３０ｂ、ライセンス取得ＵＲＬ３０ｃ及びコンテンツ本体３１が含まれている。コンテンツＩＤ３０ａは、後述するエクスポート前試聴用権利データやエクスポート前制限無し権利データに含まれるコンテンツＩＤ３２ｂと照合により、コンテンツデータと権利データの対応付けするためのＩＤ情報である。コンテンツ関連情報３０ｂは、コンテンツデータのタイトルや作者名など、コンテンツデータに関連する付加情報等である。ライセンス取得ＵＲＬ３０ｃは、コンテンツデータに対応する権利データのサーバ１２上から取得するためのＵＲＬ情報である。コンテンツ本体３１は、コンテンツ暗号鍵により暗号化された状態で格納されており、そのコンテンツ暗号鍵は対応する権利データに格納されているため、対応する権利データが無いと利用できないようになっている。
【００４３】
図１０にエクスポート前試聴用権利データの構成例を示す。エクスポート前試聴用権利データには、ライセンスＩＤ３２ａ、コンテンツＩＤ３２ｂ、コンテンツ関連情報３２ｃ、コンテンツ再生制限３２ｄ及びコンテンツ復号鍵３３が含まれている。ライセンスＩＤ３２ａは、本権利データを識別するための固有のＩＤ情報である。コンテンツＩＤ３２ｂは、上記エクスポート前コンテンツデータに含まれるコンテンツＩＤ３０ｂと照合するためのＩＤ情報である。コンテンツ関連情報３２ｃは、コンテンツデータに関連する付加情報等である。コンテンツ再生制限３２ｄは、コンテンツデータの再生を制限する情報が設定される。本実施の形態の場合は、例えば、試聴回数３回、試聴期限＊月＊日等の試聴に関して設定されているものとする。コンテンツ復号鍵３３は、上記エクスポート前コンテンツデータのコンテンツ本体３１の復号に利用される。
【００４４】
次いで、サーバ１２は、エクスポート前試聴用権利データを携帯通信端末装置１１に送信する（ステップＳ１１７）。携帯通信端末装置１１のダウンロード部２４ａは、サーバ１２からエクスポート前試聴用権利データを受信すると（ステップＳ１１８）、エクスポート前試聴用権利データを管理部２４ｂに転送する。管理部２４ｂは、ダウンロード部２４ａからエクスポート前試聴用権利データを取得すると（ステップＳ１１９）、エクスポート前試聴用権利データを蓄積部２５に蓄積する（ステップＳ１２０）。
【００４５】
次いで、携帯通信端末装置１１の管理部２４ｂは、メモリカード１３からエクスポート前コンテンツデータを読み出し（ステップＳ１２１，Ｓ１２２）、蓄積部２５からエクスポート前試聴用権利データを読み出す（ステップＳ１２３，Ｓ１２４）。続いて、管理部２４ｂは、読み出したエクスポート前試聴用権利データ及びエクスポート前コンテンツデータは、携帯通信端末装置１１のＤＲＭシステム及び再生機能により試聴可能か否かを判別する（ステップＳ１２５）。例えば、エクスポート前試聴用権利データとコンテンツデータのコンテンツＩＤが対応付いているか、エクスポート前試聴用権利データの残り利用回数が１以上かどうか等を判別する。管理部２４ｂは、試聴可能であると判別した場合は
（ステップＳ１２５：ＹＥＳ）、エクスポート前コンテンツデータの試聴処理を実行する（ステップＳ１２６）。エクスポート前コンテンツデータの試聴処理は、携帯通信端末装置１１内のコンテンツ再生機能を利用して実行される。また、管理部２４ｂは、試聴不可能であると判別した場合は（ステップＳ１２５：ＮＯ）、試聴処理を中断する。
【００４６】
次いで、携帯通信端末装置１１の管理部２４ｂは、試聴処理終了後、エクスポート前試聴用権利データを更新し（ステップＳ１２７）、更新したエクスポート前試聴用権利データを蓄積部２５に蓄積して（ステップＳ１２８）、本試聴処理を終了する。
【００４７】
ユーザが携帯通信端末装置１１よりエクスポート前コンテンツデータを試聴し、試聴回数３回、試聴期限＊月＊日まで、等の制限情報に設定された条件に達した場合は、例えば、試聴が不可能になったことと、コンテンツの購入希望の問い合わせ等を含むメッセージを表示部２７に表示して、ユーザに試聴後のコンテンツ購入操作を促す。そして、ユーザがコンテンツの購入を希望した場合は、図８の処理に移行する。
【００４８】
次に、図８において、携帯通信端末装置１１の管理部２４ｂは、メモリカード１３からエクスポート前コンテンツデータを読み出し（ステップＳ２０１、Ｓ２０２）、そのエクスポート前コンテンツデータに格納されたライセンス取得ＵＲＬ３０ｃを読み出して（ステップＳ２０３）、ダウンロード部２４ａに出力する。
【００４９】
ダウンロード部２４ａは、管理部２４ｂから入力されたライセンス取得ＵＲＬによりブラウザを起動し（ステップＳ２０４）、サーバ１２にアクセスする（ステップＳ２０５）。サーバ１２は、携帯通信端末装置１１からライセンス取得用ＵＲＬにアクセスされると、権利データリストを作成し（ステップＳ２０６）、その権利データリストを携帯通信端末装置１１に送信する（ステップＳ２０７）。携帯通信端末装置１１のダウンロード部２４ａは、サーバ１２から権利データリストを受信すると（ステップＳ２０８）、その権利データリストを表示部２７に表示して、ユーザにより所望の権利データを選択させる（ステップＳ２０９）。ユーザにより所望の権利データを選択されると、携帯通信端末装置１１のダウンロード部２４ａは、その権利データ選択情報を送受信部２２によりサーバ１２に送信する。
【００５０】
次いで、サーバ１２は、携帯通信端末装置１１から権利データ選択情報を受信すると（ステップＳ２１０）、該当するエクスポート前制限無し権利データを携帯通信端末装置１１に送信して（ステップＳ２１１）、処理を終了する。携帯通信端末装置１１のダウンロード部２４ａは、サーバ１２からエクスポート前制限無し権利データを受信すると（ステップＳ２１２）、そのエクスポート前制限無し権利データを管理部２４ｂに出力して、処理を終了する。管理部２４ｂは、ダウンロード部２４ａからエクスポート前制限無し権利データを取得すると（ステップＳ２１３）、そのエクスポート前制限無し権利データを蓄積部２５に蓄積する（ステップＳ２１４）。
【００５１】
図１０にエクスポート前制限無し権利データの構成例を示す。エクスポート前試聴用権利データと同一フォーマットであるが、コンテンツ再生制限３２ｄは、本実施の形態の場合は、「制限無し」が設定されているものとする。コンテンツＩＤ３２ｂとコンテンツ復号鍵３３は、上記エクスポート前試聴用権利データと同一でなければならないが、ライセンスＩＤ３２ａは上記エクスポート前試聴用権利データとは別個のＩＤが設定されている。
【００５２】
次いで、管理部２４ｂは、メモリカードＩ／Ｆ部２６を介してメモリカード１３に蓄積したエクスポート前コンテンツデータを読み出し（ステップＳ２１５、Ｓ２１６）、蓄積部２５からエクスポート前制限無し権利データを読み出す（ステップＳ２１７、Ｓ２１８
）。続いて、管理部２４ｂは、読み出したエクスポート前コンテンツデータ及びエクスポート前制限無し権利データは、メモリカード１３の異なるＤＲＭシステムにエクスポート可能か否かを判別する（ステップＳ２１９）。
【００５３】
管理部２４ｂは、エクスポート前コンテンツデータ及びエクスポート前制限無し権利データは、メモリカード１３の異なるＤＲＭシステムにエクスポート不可であると判断した場合は（ステップＳ２１９：ＮＯ）、ステップＳ２１７に戻り、蓄積部２５から他のエクスポート前制限無し権利データ読み出して、同様にエクスポート可否判別処理を繰り返し実行する。
【００５４】
また、管理部２４ｂは、エクスポート前コンテンツデータ及びエクスポート前制限無し権利データは、メモリカード１３の異なるＤＲＭシステムにエクスポート可能であると判断した場合は（ステップＳ２１９：ＹＥＳ）、エクスポート前コンテンツデータを変換部２４ｃに渡し（ステップＳ２２０）、変換部２４ｃにてエクスポート先のメモリカード１３に適合するフォーマットや暗号方式に変換し、エクスポート後コンテンツデータとし（ステップＳ２２１）、メモリカードＩ／Ｆ部２６を介してエクスポート後コンテンツデータをメモリカード１３に蓄積する（ステップＳ２２２）。
【００５５】
次いで、管理部２４ｂは、制限無し権利データを変換部２４ｃに渡して（ステップＳ２２３）、処理を終了する。変換部２４ｃは、管理部２４ｂから渡された制限無し権利データをメモリカード１３のＤＲＭシステムに適合するように変換して、エクスポート後制限無し権利データとし（ステップＳ２２４）、メモリカードＩ／Ｆ部２６を介してエクスポート後制限無し権利データをメモリカード１３に蓄積して（ステップＳ２２５）、処理を終了する。
【００５６】
その後、メモリカード１３は、携帯通信端末装置１１から外して、メモリカード１３のＤＲＭシステムに適合する他の携帯端末装置に装着することにより、メモリカード１３に蓄積されたエクスポート後コンテンツデータを再生することが可能になる。
【００５７】
以上のように、本実施の形態１のコンテンツ配信システムでは、携帯通信端末装置１１により試聴用権利データとエクスポート前コンテンツデータをサーバ１２からダウンロードし、試聴用権利データを携帯通信端末装置１１内の蓄積部２５に蓄積し、エクスポート前コンテンツデータをメモリカード１３に一旦蓄積して、携帯通信端末装置１１の再生機能によりエクスポート前コンテンツデータの試聴を可能とした。
【００５８】
また、本実施の形態１のコンテンツ配信システムでは、試聴後にユーザが試聴コンテンツの購入を希望する場合は、携帯通信端末装置１１により制限無し権利データをサーバ１２からダウンロードし、メモリカード１３に蓄積したエクスポート前コンテンツデータをメモリカード１３に適合するフォーマットに変換してメモリカード１３にエクスポートし、制限無し権利データをメモリカード１３のＤＲＭシステムに適合するように変換してメモリカード１３にエクスポートするようにした。
【００５９】
したがって、エクスポート先の携帯端末装置が試聴機能を有していなくても、かつエクスポート元端末装置自身及びエクスポート先の端末自身が大容量コンテンツの蓄積機能を有していなくても、エクスポート元端末でメモリカードを利用して大容量コンテンツの試聴を可能とすることができる。また、ユーザは、大容量コンテンツの試聴によってコンテンツの内容を確認した後、制限無し権利データの購入を判断することができ、必要とするコンテンツに対してのみ課金処理を実行することができる。
【００６０】
また、本実施の形態のコンテンツ配信システムでは、メモリカードへのエクスポートの
例を示したが、メモリカード等の蓄積メディア型以外の異なるＤＲＭ、例えばＤＲＭで保護されたローカルストリーミング（エクスポート用にコンテンツを変換しながら、変換の完了した部分から転送または再生）等のエクスポートでもよい。
【００６１】
また、図７において、サーバ１２からコンテンツリストを携帯通信端末装置１１に送信（ステップＳ１０４）後に、コンテンツに関わる権利データリストを携帯通信端末装置１１に送信している（ステップＳ１０８）が、コンテンツリストと権利データリストを同時に送信し、コンテンツの選択と試聴用権利データの取得を同時に行っても良い。
【００６２】
また、図７において、サーバ１２からエクスポート前コンテンツデータを受信（ステップＳ１１３）後に、エクスポート前試聴用権利データを受信しているが（ステップＳ１１８）、試聴用権利データの送信後にエクスポート前コンテンツデータを送信しても良い。
【００６３】
また、図７において、サーバ１２からエクスポート前コンテンツデータを受信（ステップＳ１１３）後に、エクスポート前試聴用権利データを受信しているが（ステップＳ１１８）、コンテンツデータと試聴用権利データを同梱して配信しても良い。
【００６４】
また、図７のステップの終了後、試聴用権利データの制限情報に設定された条件に達し、かつユーザがコンテンツの購入を希望した場合は、図８の処理に移行したが、試聴用権利データの制限情報に設定された条件に達していなくとも、コンテンツの購入希望の問い合わせ等を含むメッセージを表示部２７に表示して、ユーザに試聴後のコンテンツ購入操作を促す。そして、ユーザがコンテンツの購入を希望した場合は、図８の処理に移行しても良い。
【００６５】
また、本実施の形態のコンテンツ配信システムでは、エクスポート前試聴用権利データとして、試聴回数３回、試聴期限＊月＊日等の制限情報が設定されている権利データを想定したが、その代替として、コンテンツの再生に関しては制限無しだが、エクスポートに関して制限のある権利データであっても良い。
【００６６】
また、本実施の形態のコンテンツ配信システムでは、エクスポート前制限無し権利データとして、試聴回数３回、試聴期限＊月＊日等の制限情報が設定されていない権利データを想定したが、その代替として、エクスポート先のＤＲＭが対応している制限があっても良い。
【００６７】
また、本実施の形態のコンテンツ配信システムでは、エクスポート（ステップＳ２２０からステップＳ２２５）後に、携帯通信端末装置１１から外して、メモリカード１３のＤＲＭシステムに適合する他の携帯端末装置に装着することにより、エクスポート後コンテンツデータを再生したが、携帯通信端末装置１１自身がエクスポート後のＤＲＭ機能も備え、携帯通信端末装置１１上でエクスポート後コンテンツデータを再生しても良い。
【００６８】
また、本実施の形態のコンテンツ配信システムでは、試聴後に購入を行うが、エクスポート前試聴用権利データは必ずしも無料でなくても良い。例えばエクスポート前試聴用権利データ及びエクスポート前制限無し権利データは共に有料であるが、エクスポート前試聴用権利データの方が安い価格設定であっても良い。また、逆にエクスポート前制限無し権利データが無料であっても良い。
【００６９】
また、本実施の形態のコンテンツ配信システムでは、ライセンス取得ＵＲＬ３０ｃはエクスポート前コンテンツデータ内に格納されていたが、エクスポート前制限無し権利データ内に格納されていても良い。
【００７０】
また、本実施の形態のコンテンツ配信システムでは、エクスポート前コンテンツデータ、エクスポート前試聴用権利データ、エクスポート前制限無し権利データはすべて通信ネットワーク１４経由でサーバ１２から取得しているが、インターネット等の有線ネットワーク、放送ネットワーク、他端末等からデータを取得しても良い。
【００７１】
また、本実施の形態のコンテンツ配信システムでは、画像や文字表示の場合は本実施例のように表示部２７を使用するが、さらにスピーカ等を備え、音楽等の再生の場合はスピーカ等を利用しても良い。
【００７２】
（実施の形態２）
上記実施の形態１では、試聴用コンテンツと購入用コンテンツを同一のものとし、試聴用権利データと購入用（制限無し）権利データを別個のものとした場合を示した。本実施の形態２では、試聴用コンテンツと購入用コンテンツを同梱して配信する場合について説明する。
【００７３】
なお、本実施の形態２のコンテンツ配信システム及び携帯通信端末装置の各構成は、上記図１及び図２に示したものと同一であるため、それらの図示及び構成説明は省略する。
【００７４】
まず、図１１〜図１４を参照してコンテンツデータの試聴動作及びエクスポート動作の概要について説明する。図１１及び図１２は、試聴用コンテンツデータとエクスポート前購入用コンテンツデータのダウンロード動作と試聴動作を模式的に示した図である。図１３及び図１４は、エクスポート前制限無し権利データのダウンロード動作とコンテンツデータのエクスポート動作を模式的に示した図である。
【００７５】
試聴用コンテンツデータとは、例えば、購入用コンテンツデータの一部分のみを含むもの（楽曲データのサビの部分のみ、映像データの最初の１分間等）、一部分のみをつなぎ合わせたもの（ダイジェスト版）、品質を劣化させたもの（楽曲データの音質を劣化させたもの、画像データの画像サイズを縮小したもの）等である。
【００７６】
まず、図１１において、携帯通信端末装置１１は、サーバ１２にアクセスし、試聴用コンテンツデータとエクスポート前購入用コンテンツデータが同梱されたものをダウンロードしてメモリカード１３に蓄積する。次いで、図１２において、携帯通信端末装置１１は、携帯通信端末装置１１の再生機能を利用してメモリカード１３に蓄積したエクスポート前試聴用コンテンツデータの試聴処理を実行する。
【００７７】
次いで、図１３において、携帯通信端末装置１１は、サーバ１２にアクセスし、エクスポート前制限無し権利データをダウンロードして蓄積部２５に蓄積する。次いで、図１４において、携帯通信端末装置１１は、蓄積部２５に蓄積したエクスポート前制限無し権利データを、メモリカード１３のＤＲＭシステムに適合するように変換してメモリカード１３にエクスポートする。また、携帯通信端末装置１１は、メモリカード１３に蓄積したエクスポート前購入用コンテンツデータを、メモリカード１３のフォーマットに適合するように変換してメモリカードにエクスポートする。
【００７８】
次に、図１５、図１６を参照してコンテンツの試聴動作及びエクスポート動作の詳細について説明する。図１５は、図１１及び図１２に示した本実施の形態のコンテンツ配信システムにおけるエクスポート前ダウンロード動作及び試聴動作の詳細を示す図である。図１６は、図１３及び図１４に示した本実施の形態のコンテンツ配信システムにおけるエクスポート動作の詳細を示す図である。
【００７９】
図１５において、携帯通信端末装置１１は、制御部２４内のダウンロード部２４ａによ
りブラウザを起動し（ステップＳ３０１）、サーバ１２のＵＲＬにアクセスする（ステップＳ３０２）。この場合、サーバ１２は、コンテンツを配信するコンテンツ配信サービスサイトを通信ネットワーク１４上で提供しているものとする。
【００８０】
次いで、サーバ１２は、携帯通信端末装置１１からアクセスされると、配信対象のコンテンツを一覧で示すためのコンテンツリストを作成し（ステップＳ３０３）、そのコンテンツリストを携帯通信端末装置１１に送信する（ステップＳ３０４）。次いで、携帯通信端末装置１１のダウンロード部２４ａは、サーバ１２からコンテンツリストを送受信部２２で受信し（ステップＳ３０５）、そのコンテンツリストを表示部２７に表示して、ユーザにより所望のコンテンツを選択させる（ステップＳ３０６）。ユーザにより所望のコンテンツを選択されると、携帯通信端末装置１１のダウンロード部２４ａは、そのコンテンツ選択情報（試聴用＋購入用）を送受信部２２によりサーバ１２に送信する。
【００８１】
次いで、サーバ１２は、携帯通信端末装置１１からコンテンツ選択情報（試聴用＋購入用）を受信すると（ステップＳ３０７）、その選択されたコンテンツデータのエクスポート前試聴用コンテンツデータ＋購入用コンテンツデータを同梱したものを携帯通信端末装置１１に送信する（ステップＳ３０８）。携帯通信端末装置１１のダウンロード部２４ａは、サーバ１２からエクスポート前試聴用コンテンツデータ＋購入用コンテンツデータを同梱したものを受信すると（ステップＳ３０９）、エクスポート前試聴用コンテンツデータ＋購入用コンテンツデータを同梱したもののインストールを管理部２４ｂに指示する（ステップＳ３１０）。
【００８２】
次いで、携帯通信端末装置１１の管理部２４ｂは、エクスポート前試聴用コンテンツデータ＋購入用コンテンツデータを同梱したもののインストール指示を受けて、ダウンロード部２４ａからエクスポート前試聴用コンテンツデータ＋購入用コンテンツデータを同梱したものを取得し（ステップＳ３１１）、メモリカードＩ／Ｆ部２６を介してエクスポート前試聴用コンテンツデータ＋購入用コンテンツデータを同梱したものをメモリカード１３に蓄積する（ステップＳ３１２）。
【００８３】
図１７にエクスポート前試聴用コンテンツデータ＋購入用コンテンツデータの構成例を示す。エクスポート前試聴用コンテンツデータ＋購入用コンテンツデータには、コンテンツＩＤ３５ａ、コンテンツ関連情報３５ｂ、ライセンス取得ＵＲＬ３５ｃ、試聴用コンテンツ本体３６及び購入用コンテンツ本体３７が含まれる。コンテンツＩＤ３５ａは、後述するエクスポート前制限無し権利データに含まれるコンテンツＩＤ３８ｂと照合するためのＩＤ情報である。コンテンツ関連情報３５ｂは、コンテンツデータに関連する付加情報等である。試聴用コンテンツ本体３６は、平文で格納され、権利データ無しで利用可能となっている。購入用コンテンツ本体３７は、コンテンツ暗号鍵により暗号化された状態で格納されており、そのコンテンツ暗号鍵は対応する権利データに格納されているため、対応する権利データが無いと利用できないようになっている。
【００８４】
次いで、携帯通信端末装置１１の管理部２４ｂは、メモリカードＩ／Ｆ部２６を介してメモリカード１３に蓄積したエクスポート前試聴用コンテンツデータを読み出し（ステップＳ３１３、Ｓ３１４）、携帯通信端末装置１１の再生機能を利用してエクスポート前試聴用コンテンツデータの試聴処理を実行する（ステップＳ３１５）。
【００８５】
試聴処理終了後、携帯通信端末装置１１の管理部２４ｂは、コンテンツの購入希望の問い合わせ等を含むメッセージを表示部２７に表示して、ユーザに試聴後のコンテンツ購入操作を促す。そして、ユーザがコンテンツの購入を希望した場合は、図１６の処理に移行する。
【００８６】
次いで、携帯通信端末装置１１の管理部２４ｂは、試聴処理終了後、メモリカードＩ／Ｆ部２６を介してエクスポート前試聴用コンテンツデータ＋購入用コンテンツデータをメモリカードから読み出し（ステップＳ４０１、Ｓ４０２）、そのコンテンツデータに格納されたライセンス取得ＵＲＬ３５ｃを読み出して（ステップＳ４０３）、ダウンロード部２４ａに出力する。
【００８７】
ダウンロード部２４ａは、管理部２４ｂから入力されたライセンス取得ＵＲＬによりブラウザを起動し（ステップＳ４０４）、サーバ１２にアクセスする（ステップＳ４０５）。サーバ１２は、携帯通信端末装置１１からライセンス取得ＵＲＬにアクセスされると、権利データリストを作成し（ステップＳ４０６）、その権利データリストを携帯通信端末装置１１に送信する（ステップＳ４０７）。携帯通信端末装置１１のダウンロード部２４ａは、サーバ１２から権利データリストを受信すると（ステップＳ４０８）、その権利データリストを表示部２７に表示して、ユーザにより所望の権利データを選択させる（ステップＳ４０９）。ユーザにより所望の権利データを選択されると、携帯通信端末装置１１のダウンロード部２４ａは、その権利データ選択情報を送受信部２２によりサーバ１２に送信する。
【００８８】
次いで、サーバ１２は、携帯通信端末装置１１から権利データ選択情報を受信すると（ステップＳ４１０）、該当するエクスポート前制限無し権利データを携帯通信端末装置１１に送信して（ステップＳ４１１）、処理を終了する。携帯通信端末装置１１のダウンロード部２４ａは、サーバ１２からエクスポート前制限無し権利データを受信すると（ステップＳ４１２）、そのエクスポート前制限無し権利データを管理部２４ｂに出力して、処理を終了する。管理部２４ｂは、ダウンロード部２４ａからエクスポート前制限無し権利データを取得すると（ステップＳ４１３）、そのエクスポート前制限無し権利データを蓄積部２５に蓄積する（ステップＳ４１４）。
【００８９】
次いで、管理部２４ｂは、メモリカードＩ／Ｆ部２６を介してメモリカード１３に蓄積したエクスポート前購入用コンテンツデータを読み出し（ステップＳ４１５、Ｓ４１６）、蓄積部２５からエクスポート前制限無し権利データを読み出す（ステップＳ４１７、Ｓ４１８）。続いて、管理部２４ｂは、読み出したエクスポート前購入用コンテンツデータ及びエクスポート前制限無し権利データは、メモリカード１３の異なるＤＲＭシステムにエクスポート可能か否かを判別する（ステップＳ４１９）。
【００９０】
図１８にエクスポート前制限無し権利データの構成例を示す。エクスポート前制限無し権利データには、ライセンスＩＤ３８ａ、コンテンツＩＤ３８ｂ、コンテンツ関連情報３８ｃ、コンテンツ再生制限３８ｄ及びコンテンツ復号鍵３９が含まれている。ライセンスＩＤ３８ａは、本権利データを識別するための固有のＩＤ情報である。コンテンツＩＤ３８ｂは、上記エクスポート前コンテンツデータに含まれるコンテンツＩＤ３５ａと照合するためのＩＤ情報である。コンテンツ関連情報３８ｃは、コンテンツデータに関連する付加情報等である。コンテンツ再生制限３８ｄは、コンテンツデータの再生を制限する情報が設定される。本実施の形態の場合は、「制限無し」が設定されているものとする。コンテンツ復号鍵３９は、上記エクスポート前コンテンツデータのコンテンツ本体３７の復号に利用される。
【００９１】
次いで、管理部２４ｂは、エクスポート前購入用コンテンツデータ及びエクスポート前制限無し権利データは、メモリカード１３の異なるＤＲＭシステムにエクスポート不可であると判断した場合は（ステップＳ４１９：ＮＯ）、ステップＳ４１７に戻り、蓄積部２５から他のエクスポート前制限無し権利データ読み出して、同様にエクスポート可否判別処理を実行する。
【００９２】
また、管理部２４ｂは、エクスポート前コンテンツデータ及びエクスポート前制限無し権利データは、メモリカード１３の異なるＤＲＭシステムにエクスポート可能であると判断した場合は（ステップＳ４１９：ＹＥＳ）、エクスポート前購入用コンテンツデータを変換部２４ｃに渡し（ステップＳ４２０）、変換部２４ｃにてエクスポート先のメモリカード１３に適合するフォーマットや暗号方式に変換して、エクスポート後購入用コンテンツデータとし（ステップＳ４２１）、メモリカードＩ／Ｆ部２６を介してエクスポート後購入用コンテンツデータをメモリカード１３に蓄積する（ステップＳ４２２）。
【００９３】
次いで、管理部２４ｂは、制限無し権利データを変換部２４ｃに渡して（ステップＳ４２３）、処理を終了する。変換部２４ｃは、管理部２４ｂから渡された制限無し権利データをメモリカード１３のＤＲＭシステムに適合するように変換して、エクスポート後制限無し権利データとし（ステップＳ４２４）、メモリカードＩ／Ｆ部２６を介してエクスポート後制限無し権利データをメモリカード１３に蓄積する（ステップＳ４２５）、処理を終了する。
【００９４】
その後、メモリカード１３は、携帯通信端末装置１１から外して、メモリカード１３のＤＲＭシステムに適合する他の携帯端末装置に装着することにより、メモリカード１３に蓄積されたエクスポート後購入用コンテンツデータを再生することが可能になる。
【００９５】
以上のように、本実施の形態２のコンテンツ配信システムでは、携帯通信端末装置１１によりエクスポート前試聴用コンテンツデータとエクスポート前購入用コンテンツデータを同梱したものをサーバ１２からダウンロードし、エクスポート前試聴用コンテンツデータとエクスポート前購入用コンテンツデータを同梱したものをメモリカード１３に一旦蓄積して、携帯通信端末装置１１の再生機能によりエクスポート前試聴用コンテンツデータの試聴を可能とした。
【００９６】
また、本実施の形態２のコンテンツ配信システムでは、試聴後にユーザが試聴コンテンツの購入を希望する場合は、携帯通信端末装置１１により制限無し権利データをサーバ１２からダウンロードし、メモリカード１３に蓄積したエクスポート前購入用コンテンツデータをメモリカード１３に適合するフォーマットに変換してメモリカード１３にエクスポートし、制限無し権利データをメモリカード１３のＤＲＭシステムに適合するように変換してメモリカード１３にエクスポートするようにした。
【００９７】
したがって、エクスポート先の携帯端末装置が試聴機能を有していなくても、かつエクスポート先の端末自身が大容量コンテンツの蓄積機能を有していなくても、エクスポート元端末でメモリカードを利用して大容量コンテンツの試聴を可能とすることができる。また、ユーザは、大容量コンテンツの試聴によってコンテンツの内容を確認した後、制限無し権利データの購入を判断することができ、必要とするコンテンツに対してのみ課金処理を実行することができる。
【００９８】
また、本実施の形態２のコンテンツ配信システムでは、試聴用権利データをダウンロードする処理を省略したため、携帯通信端末装置１１におけるダウンロード処理を削減することができ、ユーザによるダウンロード手順を削減することができる。
【００９９】
また、本実施の形態のコンテンツ配信システムでは、メモリカードへのエクスポートの例を示したが、メモリカード等の蓄積メディア型以外の異なるＤＲＭ、例えばＤＲＭで保護されたローカルストリーミング（エクスポート用にコンテンツを変換しながら、変換の完了した部分から転送または再生）等のエクスポートでもよい。
【０１００】
また、本実施の形態のコンテンツ配信システムでは、試聴用コンテンツデータ＋購入用
コンテンツデータを同梱して配信したが、別個に配しても良い。
【０１０１】
また、本実施の形態のコンテンツ配信システムでは、試聴時にエクスポート前試聴用コンテンツデータをメモリカード１３から読み出しているが（ステップ３１４、ステップ３１５）、エクスポート前試聴用コンテンツデータを携帯通信端末１１の蓄積部２５に蓄積していても良い。
【０１０２】
また、本実施の形態のコンテンツ配信システムでは、エクスポート前制限無し権利データとして、試聴回数３回、試聴期限＊月＊日等の制限情報が設定されていない権利データを想定したが、その代替として、エクスポート先のＤＲＭが対応している制限があっても良い。
【０１０３】
また、本実施の形態のコンテンツ配信システムでは、エクスポート（ステップ４２０からステップ４２５）後に、携帯通信端末装置１１から外して、メモリカード１３のＤＲＭシステムに適合する他の携帯端末装置に装着することにより、エクスポート後コンテンツデータを再生したが、携帯通信端末装置１１自身がエクスポート後のＤＲＭ機能も備え、携帯通信端末装置１１上でエクスポート後コンテンツデータを再生しても良い。
【０１０４】
また、本実施の形態のコンテンツ配信システムでは、エクスポート前制限無し権利データが無料であっても良い。
【０１０５】
また、本実施の形態のコンテンツ配信システムでは、エクスポート前試聴用コンテンツデータ、エクスポート前購入用コンテンツデータ、エクスポート前制限無し権利データはすべて通信ネットワーク１４経由でサーバ１２から取得しているが、インターネット等の有線ネットワーク、放送ネットワーク、他端末等からデータを取得しても良い。
【０１０６】
また、本実施の形態のコンテンツ配信システムでは、画像や文字表示の場合は本実施例のように表示部２７を使用するが、さらにスピーカ等を備え、音楽等の再生の場合はスピーカ等を利用しても良い。
【０１０７】
（実施の形態３）
本実施の形態では、転送元の携帯通信端末装置と転送先の携帯端末装置が同一のＤＲＭシステムを有するが通信能力やコンテンツ再生能力が異なる。携帯端末装置が再生機能のみを有し、携帯通信端末装置上でコンテンツの試聴処理を行って、携帯通信端末装置から携帯端末装置にコンテンツを転送する場合について説明する。
【０１０８】
図１９は、本実施の形態において適用される携帯通信端末装置４０の内部構成を示すブロック図である。なお、図１９において、上記図２に示した携帯通信端末装置１１と同一の構成部分には同一符号を付しており、その構成説明を省略する。すなわち、図１９の携帯通信端末装置４０において異なる構成部分は、変換部２４ｃを省略したことと、メモリＩ／Ｆ部２６に変えてＩｒＤＡＩ／Ｆ部４１を新たに設けたことである。また、本実施の形態のコンテンツ配信システムは、図１に示したものと同一構成であるため、その図示及び構成説明は省略する。
【０１０９】
ＩｒＤＡＩ／Ｆ部４１は、ＩｒＤＡ（Infrared Data Association ）に基づく赤外線通信機能を有し、制御部２４から入力される権利データやコンテンツデータ等を赤外線通信により転送先の携帯端末装置に送信する。
【０１１０】
図２０は、転送先の携帯端末装置５０の内部構成を示すブロック図である。図２０において、携帯端末装置５０は、メモリ５１と、表示部５２と、制御部５３と、蓄積部５４と
、ＩｒＤＡＩ／Ｆ部５５と、から主に構成される。
【０１１１】
メモリ５１は、ＲＯＭ等の半導体メモリから構成され、制御部５３において実行される各種制御プログラム等を記憶する。表示部５２は、液晶パネル等により構成され、コンテンツ再生に関わる情報、赤外線通信処理中の情報等を表示する。
【０１１２】
制御部５３は、管理部５３ａを有する。管理部５３ａは、携帯通信端末装置４０からの携帯端末装置５０専用制限無し権利データ及びコンテンツデータの受信処理及び携帯端末装置５０専用制限無し権利データ及びコンテンツデータの蓄積部５４への蓄積処理等を実行する。
【０１１３】
蓄積部５４は、携帯端末装置５０専用制限無し権利データ及びコンテンツデータ等を蓄積する。ＩｒＤＡＩ／Ｆ部５５は、携帯通信端末装置４０のＩｒＤＡＩ／Ｆ部４１から送信される携帯端末装置５０専用制限無し権利データ及びコンテンツデータの受信処理を実行する。
【０１１４】
次に、図２１〜図２４を参照してコンテンツデータの試聴動作及び転送動作の概要について説明する。図２１及び図２２は、コンテンツデータと携帯通信端末装置４０専用試聴用権利データのダウンロード動作と試聴動作を模式的に示した図である。図２３及び図２４は、携帯端末装置５０専用制限無し権利データのダウンロード動作と携帯端末装置５０専用制限無し権利データ及びコンテンツデータの転送動作を模式的に示した図である。
【０１１５】
まず、図２１において、携帯通信端末装置４０は、サーバ１２にアクセスし、コンテンツデータと携帯通信端末装置４０専用試聴用権利データをダウンロードして、携帯通信端末装置４０内の蓄積部２５に蓄積する。次いで、図２２において、携帯通信端末装置４０は、携帯通信端末装置４０の再生機能を利用して蓄積部２５に蓄積したコンテンツデータの試聴処理を実行する。
【０１１６】
次いで、図２３において、携帯通信端末装置４０は、サーバ１２にアクセスし、携帯端末装置５０専用制限無し権利データをダウンロードして蓄積部２５に蓄積する。次いで、図２４において、携帯通信端末装置４０は、蓄積部２５に蓄積した携帯端末装置５０専用制限無し権利データを、後述する携帯端末装置５０に赤外線通信により転送する。また、携帯通信端末装置４０は、蓄積部２５に蓄積したコンテンツデータを後述する携帯端末装置５０に赤外線通信により転送する。
【０１１７】
次に、図２５、図２６を参照してコンテンツデータの試聴動作及び転送動作の詳細について説明する。図２５は、図２１及び図２２に示した本実施の形態のコンテンツ配信システムにおける携帯通信端末装置４０専用試聴用権利データをダウンロード動作及び試聴動作の詳細を示す図である。図２６は、図２３及び図２４に示した本実施の形態のコンテンツ配信システムにおける携帯端末装置５０専用制限無し権利データのダウンロード動作、携帯端末装置５０専用制限無し権利データ及びコンテンツデータの転送動作の詳細を示す図である。
【０１１８】
図２５において、携帯通信端末装置４０は、制御部２４内のダウンロード部２４ａによりブラウザを起動し（ステップＳ５０１）、サーバ１２のＵＲＬにアクセスする（ステップＳ５０２）。この場合、サーバ１２は、コンテンツデータを配信するコンテンツ配信サービスサイトを通信ネットワーク１４上で提供しているものとする。
【０１１９】
次いで、サーバ１２は、携帯通信端末装置４０からアクセスされると、配信対象のコンテンツデータを一覧で示すためのコンテンツリストを作成し（ステップＳ５０３）、その
コンテンツリストを携帯通信端末装置４０に送信する（ステップＳ５０４）。次いで、携帯通信端末装置４０のダウンロード部２４ａは、サーバ１２からコンテンツリストを送受信部２２で受信し（ステップＳ５０５）、そのコンテンツリストを表示部２７に表示して、ユーザにより所望のコンテンツを選択させる（ステップＳ５０６）。ユーザにより所望のコンテンツを選択されると、携帯通信端末装置４０のダウンロード部２４ａは、そのコンテンツ選択情報を送受信部２２によりサーバ１２に送信する。
【０１２０】
次いで、サーバ１２は、携帯通信端末装置４０からコンテンツ選択情報を受信すると（ステップＳ５０７）、その選択されたコンテンツに対応する権利データリストを作成して携帯通信端末装置４０に送信する（ステップＳ５０８）。携帯通信端末装置４０のダウンロード部２４ａは、サーバ１２から権利データリストを送受信部２２で受信し（ステップＳ５０９）、そのコンテンツリストを表示部２７に表示して、ユーザにより所望の権利データを選択させる（ステップＳ５１０）。ユーザにより所望の権利データ（携帯通信端末装置４０専用・試聴用）を選択されると、携帯通信端末装置４０のダウンロード部２４ａは、その携帯通信端末装置４０専用・試聴用権利データ選択情報を送受信部２２によりサーバ１２に送信する。
【０１２１】
次いで、サーバ１２は、携帯通信端末装置４０から携帯通信端末装置４０専用・試聴用権利データ選択情報を受信すると（ステップＳ５１１）、先に選択されたコンテンツデータを携帯通信端末装置４０に送信する（ステップＳ５１２）。携帯通信端末装置４０のダウンロード部２４ａは、サーバ１２からコンテンツデータを送受信部２２で受信すると（ステップＳ５１３）、そのコンテンツデータのインストールを管理部２４ｂに指示する。管理部２４ｂは、ダウンロード部２４ａからのコンテンツデータのインストール指示を受けて、ダウンロード部２４ａからコンテンツデータを取得し（ステップＳ５１５）、そのコンテンツデータを蓄積部２５に蓄積する（ステップＳ５１５、Ｓ５１６）。
【０１２２】
図２７にコンテンツデータの構成例を示す。コンテンツデータには、コンテンツＩＤ６０ａ、コンテンツ関連情報６０ｂ、ライセンス取得ＵＲＬ６０ｃ及びコンテンツ本体６１が含まれている。コンテンツＩＤ６０ａは、後述する携帯通信端末装置４０専用・試聴用権利データに含まれるコンテンツＩＤ６３ｃ及び携帯端末装置５０専用・購入用権利データに含まれるコンテンツＩＤ６３ｃと照合するためのＩＤ情報である。コンテンツ関連情報６０ｂは、コンテンツデータに関連する付加情報等である。コンテンツ本体６１は、コンテンツ暗号鍵により暗号化された状態で格納されており、そのコンテンツ暗号鍵は対応する権利データに格納されているため、対応する権利データが無いと利用できないようになっている。
【０１２３】
次いで、サーバ１２は、携帯通信端末装置４０専用・試聴用権利データを携帯通信端末装置４０に送信する（ステップＳ５１７）。携帯通信端末装置４０のダウンロード部２４ａは、サーバ１２から携帯通信端末装置４０専用・試聴用権利データを送受信部２２で受信すると（ステップＳ５１８）、その携帯通信端末装置４０専用・試聴用権利データを管理部２４ｂに出力する。管理部２４ｂは、ダウンロード部２４ａから携帯通信端末装置４０専用・試聴用権利データを取得すると（ステップＳ５１９）、その携帯通信端末装置４０専用・試聴用権利データを蓄積部２５に蓄積する（ステップＳ５２０）。
【０１２４】
図２８に携帯通信端末装置４０専用・試聴用権利データの構成例を示す。携帯通信端末装置４０専用・試聴用権利データには、装置専用・共有フラグ６３ａ、ライセンスＩＤ６３ｂ、コンテンツＩＤ６３ｃ、コンテンツ関連情報６３ｄ、コンテンツ再生制限６３ｅ及びコンテンツ復号鍵６４が含まれている。装置専用・共有フラグ６３ａは、権利データが特定の装置専用のものか、共有可能なものか示すフラグであり、本実施の形態の場合は携帯通信端末装置専用のものであることを示すフラグが設定されているものとする。ライセ
ンスＩＤ６３ｂは、本権利データを識別するための固有のＩＤ情報である。コンテンツＩＤ６３ｃは、上記コンテンツデータに含まれるコンテンツＩＤ６０ａと照合するためのＩＤ情報である。コンテンツ関連情報６３ｄは、コンテンツデータに関連する付加情報等である。コンテンツ再生制限６３ｅは、コンテンツデータの再生を制限する情報が設定される。本実施の形態の場合は、例えば、試聴回数３回、試聴期限＊月＊日等の試聴に関して設定されているものとする。コンテンツ復号鍵６４は、上記コンテンツデータのコンテンツ本体６１の復号に利用される。
【０１２５】
権利データが携帯通信端末装置４０専用であるとは、携帯通信端末装置４０のみがこの権利データを利用したコンテンツ再生が可能と言う意味である。例えば、権利データ内にさらに携帯通信端末装置４０固有のＩＤ情報を記述し、そのＩＤ情報をもつ端末装置でのみコンテンツ再生可能とする方法で実現可能である。また、コンテンツ復号鍵６４をさらに携帯通信端末装置４０固有の秘密鍵を用いて暗号化する方法でも実現可能である。
【０１２６】
次いで、携帯通信端末装置４０の管理部２４ｂは、蓄積部２５からコンテンツデータを読み出し（ステップＳ５２１、Ｓ５２２）、携帯通信端末装置４０専用・試聴用権利データを蓄積部２５から読み出す（ステップＳ５２３、Ｓ５２４）。続いて、管理部２４ｂは、読み出した携帯通信端末装置４０専用・試聴用権利データ及びコンテンツデータが携帯通信端末装置４０のＤＲＭシステム及び再生機能により試聴が可能か否かを判別する（ステップＳ５２５）。
【０１２７】
管理部２４ｂは、試聴可能であると判別した場合は（ステップＳ５２５：ＹＥＳ）、エコンテンツデータの試聴処理を実行し（ステップＳ５２６）、携帯通信端末装置４０専用・試聴用権利データの試聴履歴を更新し（ステップＳ５２７）、蓄積部２５の携帯通信端末装置４０専用・試聴用権利データ内容を更新する（ステップＳ５２８）。コンテンツデータの試聴処理は、携帯通信端末装置４０内のコンテンツ再生機能を利用して実行される。また、管理部２４ｂは、試聴不可能であると判別した場合は（ステップＳ５２５：ＮＯ）、試聴処理を中断する。
【０１２８】
携帯通信端末装置４０専用・試聴用権利データには、例えば、試聴回数３回、試聴期限＊月＊日まで、といった試聴に関わる制限情報が設定されている。ユーザが携帯通信端末装置４０よりコンテンツデータを試聴し、制限情報に設定された条件に達した場合は、例えば、試聴が不可能になったことと、コンテンツの購入希望の問い合わせ等を含むメッセージを表示部２７に表示して、ユーザに試聴後のコンテンツ購入操作を促す。そして、ユーザがコンテンツの購入を希望した場合は、図２３の処理に移行する。
【０１２９】
次に、図２６において、携帯通信端末装置４０の管理部２４ｂは、蓄積部２５からコンテンツデータを読み出し（ステップＳ６０１、Ｓ６０２）、そのコンテンツデータに格納されたライセンス取得ＵＲＬ６０ｃを読み出して（ステップＳ６０３）、ダウンロード部２４ａに出力する。
【０１３０】
ダウンロード部２４ａは、管理部２４ｂから入力されたライセンス取得ＵＲＬ６０ｃによりブラウザを起動し（ステップＳ６０４）、サーバ１２にアクセスする（ステップＳ６０５）。サーバ１２は、携帯通信端末装置４０からライセンス取得ＵＲＬにアクセスされると、権利データリストを作成し（ステップＳ６０６）、その権利データリストを携帯通信端末装置４０に送信する（ステップＳ６０７）。携帯通信端末装置４０のダウンロード部２４ａは、サーバ１２から権利データリストを受信すると（ステップＳ６０８）、その権利データリストを表示部２７に表示して、ユーザにより所望の権利データを選択させる（ステップＳ６０９）。ユーザにより所望の権利データ（携帯端末装置５０専用・購入用）を選択されると、携帯通信端末装置４０のダウンロード部２４ａは、その携帯端末装置
５０専用・購入用権利データ選択情報を送受信部２２によりサーバ１２に送信する。
【０１３１】
次いで、サーバ１２は、携帯通信端末装置４０から携帯端末装置５０専用・購入用権利データ選択情報を受信すると（ステップＳ６１０）、該当する携帯端末装置５０専用・購入用権利データを携帯通信端末装置４０に送信して（ステップＳ６１１）、処理を終了する。携帯通信端末装置４０のダウンロード部２４ａは、サーバ１２から携帯端末装置５０専用・購入用権利データを受信すると（ステップＳ６１２）、その携帯端末装置５０専用・購入用権利データを管理部２４ｂに出力して、処理を終了する。管理部２４ｂは、ダウンロード部２４ａから携帯端末専装置５０専用・購入用権利データを取得すると（ステップＳ６１３）、その携帯端末装置５０専用・購入用権利データを蓄積部２５に蓄積する（ステップＳ６１４）。
【０１３２】
図２８に携帯端末装置５０専用・購入用権利データの構成例を示す。携帯通信端末装置４０専用・試聴用権利データと同一フォーマットであるが、コンテンツ再生制限６３ｅは、本実施の形態の場合は、「制限無し」が設定されているものとする。コンテンツＩＤ６３ｃとコンテンツ復号鍵６４は、上記携帯通信端末装置４０専用・試聴用権利データと同一でなければならないが、ライセンスＩＤ６３ｂは携帯端末装置４０専用・試聴用権利データとは別個のＩＤが設定されている。
【０１３３】
次いで、管理部２４ｂは、蓄積部２５に蓄積したコンテンツデータを読み出し（ステップＳ６１５、Ｓ６１６）、そのコンテンツデータをＩｒＤＡＩ／Ｆ部４１により赤外線通信で携帯端末装置５０に転送する（ステップＳ６１７）。携帯端末装置５０のＩｒＤＡＩ／Ｆ部５５は、携帯通信端末装置４０から赤外線送信されたコンテンツデータを受信し、制御部５３内の管理部５３ａに出力する。管理部５３ａは、ＩｒＤＡＩ／Ｆ部５５から取得したコンテンツデータを蓄積部５４に蓄積する。
【０１３４】
次いで、携帯通信端末装置４０の管理部２４ｂは、蓄積部２５から携帯端末装置５０専用・購入用権利データを読み出し（ステップＳ６１９、Ｓ６２０）、その携帯端末装置５０専用・購入用権利データが携帯端末装置５０のＤＲＭシステムに転送可能か否かを判別する（ステップＳ６２１）。管理部２４ｂは、携帯端末装置５０専用・購入用権利データが携帯端末装置５０のＤＲＭシステムに転送可能であると判別した場合は（ステップＳ６２１：ＹＥＳ）、携帯端末装置５０専用・購入用権利データをＩｒＤＡＩ／Ｆ部４１により赤外線通信で携帯端末装置５０に転送して（ステップＳ６２２）、処理を終了する。携帯端末装置５０のＩｒＤＡＩ／Ｆ部５５は、携帯通信端末装置４０から赤外線送信された携帯端末装置５０専用・購入用権利データを受信し（ステップＳ６２３）、制御部５３内の管理部５３ａに出力する。管理部５３ａは、ＩｒＤＡＩ／Ｆ部５５から取得した携帯端末装置５０専用・購入用権利データを蓄積部５４に蓄積して、処理を終了する。
【０１３５】
また、携帯通信端末装置４０の管理部２４ｂは、携帯端末装置５０専用・購入用権利データが携帯端末装置５０のＤＲＭシステムに転送不可であると判別した場合は（ステップＳ６２１：ＮＯ）、ステップＳ６１９に戻り、蓄積部２５から他の携帯端末装置５０専用・購入用権利データを読み出して、同様に転送可否判別処理を繰り返し実行する。
【０１３６】
以上のように、本実施の形態３のコンテンツ配信システムでは、通信機能及び試聴機能を備えた携帯通信端末装置４０によりサーバ１２から携帯通信端末装置専用・試聴用権利データとコンテンツデータをダウンロードし、携帯端末装置５０のユーザが携帯通信端末装置４０においてコンテンツデータの試聴を可能とした。
【０１３７】
そして、本実施の形態３のコンテンツ配信システムでは、携帯端末装置５０のユーザが試聴したコンテンツデータの購入を希望すると、携帯通信端末装置４０の通信機能により
サーバ１２から携帯端末装置専用・購入用権利データをダウンロードし、赤外通信により携帯端末装置専用・購入用権利データとコンテンツデータを携帯端末装置５０に転送して、通信機能及び試聴機能を持たない携帯端末装置５０においてコンテンツデータをサーバ１２から購入することを可能にした。
【０１３８】
したがって、音楽再生専用端末等の通信機能及び試聴機能を持たない携帯端末装置においても、中継となる携帯電話装置等の別の携帯通信端末装置上で携帯端末装置のユーザが試聴してコンテンツの内容を確認した後、コンテンツデータの購入を可能とし、ユーザが必要とするコンテンツに対してのみ課金処理を実行することが可能になる。
【０１３９】
また、音楽再生専用端末等の通信機能及び試聴機能を持たない携帯端末装置においてもコンテンツの試聴を確認した後、コンテンツの購入を可能としたため、コンテンツを提供可能なユーザ層を拡大することができ、コンテンツビジネスの発展に寄与することができる。
【０１４０】
また、本実施の形態のコンテンツ配信システムでは、携帯通信端末装置４０と携帯端末装置５０との間の転送はＩｒＤＡを利用したが、その他にＢｌｕｅｔｏｏｔｈやＵＳＢ、メモリカード経由での転送でも良い。
【０１４１】
また、図２５において、サーバ１２からコンテンツリストを携帯通信端末装置４０に送信（ステップＳ５０４）後に、コンテンツに関わる権利データリストを携帯通信端末装置４０に送信している（ステップＳ５０８）が、コンテンツリストと権利データリストを同時に送信し、コンテンツの選択と試聴用権利データの取得を同時に行っても良い。
【０１４２】
また、図２５において、サーバ１２からコンテンツデータを受信（ステップＳ５１３）後に、携帯通信端末装置４０専用・試聴用権利データを受信しているが（ステップＳ５１８）、携帯通信端末装置４０専用・試聴用権利データの送信後にコンテンツデータを送信しても良い。
【０１４３】
また、図２５において、サーバ１２からコンテンツデータを受信（ステップＳ５１３）後に、携帯通信端末装置４０専用・試聴用権利データを受信しているが（ステップＳ５１８）、コンテンツデータと携帯通信端末装置４０専用・試聴用権利データを同梱して配信しても良い。
【０１４４】
また、図２５のステップの終了後、携帯通信端末装置４０専用・試聴用権利データの制限情報に設定された条件に達し、かつユーザがコンテンツの購入を希望した場合は、図２６の処理に移行したが、携帯通信端末装置４０専用・試聴用権利データの制限情報に設定された条件に達していなくとも、コンテンツの購入希望の問い合わせ等を含むメッセージを表示部２７に表示して、ユーザに試聴後のコンテンツ購入操作を促し、ユーザがコンテンツの購入を希望した場合は、図２６の処理に移行しても良い。
【０１４５】
また、本実施の形態のコンテンツ配信システムでは、携帯端末装置５０専用・購入用権利データとして、試聴回数３回、試聴期限＊月＊日等の制限情報が設定されていない権利データを想定したが、その代替として、携帯端末装置５０のＤＲＭシステムが対応している制限があっても良い。
【０１４６】
また、本実施の形態のコンテンツ配信システムでは、携帯端末装置５０専用・購入用権利データを一時蓄積部２５へ蓄積していたが、蓄積せずにすぐ携帯端末装置５０へ転送しても良い。
【０１４７】
また、本実施の形態のコンテンツ配信システムでは、試聴後に購入を行うが、携帯通信端末装置４０専用・試聴用権利データは必ずしも無料でなくても良い。例えば携帯通信端末装置４０専用・試聴用権利データ及び携帯端末装置５０専用・購入用権利データは共に有料であるが、携帯通信端末装置４０専用・試聴用権利データの方が安い価格設定であっても良い。また、逆に携帯端末装置５０専用・購入用権利データが無料であっても良い。
【０１４８】
また、本実施の形態のコンテンツ配信システムでは、ライセンス取得ＵＲＬ３０ｃはコンテンツデータ内に格納されていたが、携帯通信端末装置４０専用・試聴用権利データ内に格納されていても良い。
【０１４９】
また、本実施の形態のコンテンツ配信システムでは、試聴のために携帯通信端末装置４０専用・試聴用権利データを利用したが、上記実施の形態２のように試聴用コンテンツと購入用コンテンツを同梱して配信しても良い。
【０１５０】
また、本実施の形態のコンテンツ配信システムでは、携帯端末装置５０は通信機能を持っていないが、通信機能を持っていても良い。例えば、携帯通信端末装置４０がパーソナルコンピュータ等のサーバ１２と高速データ通信可能な端末、携帯端末装置５０が携帯電話等のサーバ１２と通信可能であるが高速データ通信は不可能な端末であっても良い。
【０１５１】
また、本実施の形態のコンテンツ配信システムでは、コンテンツデータ、携帯通信端末装置４０専用・試聴用権利データ、携帯端末装置５０専用・購入用権利データはすべて通信ネットワーク１４経由でサーバ１２から取得しているが、インターネット等の有線ネットワーク、放送ネットワーク、他端末等からデータを取得しても良い。
【０１５２】
また、本実施の形態のコンテンツ配信システムでは、画像や文字表示の場合は本実施例のように表示部２７を使用するが、さらにスピーカ等を備え、音楽等の再生の場合はスピーカ等を利用しても良い。
【０１５３】
（実施の形態４）
本実施の形態では、同一の端末装置群において試聴機能を有する端末装置と試聴機能を持たない端末装置間でコンテンツを共有するため、試聴機能を有する端末装置上でコンテンツの試聴処理を行って、試聴機能を有する端末装置からメモリカードを経由して試聴機能を持たない端末装置に共有権利データとコンテンツデータをコピーする場合について説明する。
【０１５４】
図２９は、転送元の携帯通信端末装置７０と転送先の携帯通信端末装置８０の内部構成を示すブロック図である。なお、図２９において、上記図２に示した携帯通信端末装置１１と同一の構成部分には同一符号を付しており、その構成説明を省略する。すなわち、図２９の携帯通信端末装置７０，８０において異なる構成部分は、変換部２４ｃを省略したことである。
【０１５５】
また、本実施の形態のコンテンツ配信システムは、図１に示したものと同一構成であるため、その図示及び構成説明は省略する。また、携帯通信端末装置７０は試聴機能を有し、携帯通信端末装置８０は試聴機能を持たないものとする。また、本実施の形態の携帯通信端末装置７０と携帯通信端末装置８０は、その各端末装置７０，８０の情報が事前にサーバ１２に同一の端末装置群に属する端末として登録されており、これによって携帯通信端末装置７０と携帯通信端末装置８０間でのコンテンツの共有を可能にする。
【０１５６】
次に、図３０〜図３３を参照してコンテンツデータの試聴動作及びコンテンツデータの共有動作の概要について説明する。図３０及び図３１は、コンテンツデータと携帯通信端
末装置７０専用試聴用権利データのダウンロード動作と試聴動作を模式的に示した図である。図３２及び図３３は、共有用・購入用権利データのダウンロード動作と共有用・購入用権利データ及びコンテンツデータのコピー動作を模式的に示した図である。
【０１５７】
まず、図３０において、携帯通信端末装置７０は、サーバ１２にアクセスし、コンテンツデータと携帯通信端末装置７０専用試聴用権利データをダウンロードして、携帯通信端末装置７０内の蓄積部２５に蓄積する。次いで、図３１において、携帯通信端末装置７０は、携帯通信端末装置７０の再生機能を利用して蓄積部２５に蓄積したコンテンツデータの試聴処理を実行する。
【０１５８】
次いで、図３２において、携帯通信端末装置７０は、サーバ１２にアクセスし、共有用・購入用権利データをダウンロードして蓄積部２５に蓄積する。次いで、図３３において、携帯通信端末装置７０は、蓄積部２５に蓄積したコンテンツデータと共有用・購入用権利データをメモリカード１３を介して携帯通信端末装置８０にコピーする。
【０１５９】
次に、図３４、図３５を参照してコンテンツデータ及び試聴用権利データのダウンロード動作及び試聴動作の詳細について説明する。図３４は、図３０及び図３１に示した本実施の形態のコンテンツ配信システムにおけるコンテンツデータ及び携帯通信端末装置７０専用試聴用権利データのダウンロード動作と試聴動作の詳細を示す図である。図３５は、図３２及び図３３に示した本実施の形態のコンテンツ配信システムにおける共有用・購入用権利データをダウンロード動作と、コンテンツデータ及び共有用・購入用権利データのコピー動作の詳細を示す図である。
【０１６０】
図３４において、携帯通信端末装置７０は、制御部２４内のダウンロード部２４ａによりブラウザを起動し（ステップＳ７０１）、サーバ１２のＵＲＬにアクセスする（ステップＳ７０２）。この場合、サーバ１２は、コンテンツデータを配信するコンテンツ配信サービスサイトを通信ネットワーク１４上で提供しているものとする。
【０１６１】
次いで、サーバ１２は、携帯通信端末装置７０からアクセスされると、配信対象のコンテンツデータを一覧で示すためのコンテンツリストを作成し（ステップＳ７０３）、そのコンテンツリストを携帯通信端末装置７０に送信する（ステップＳ７０４）。次いで、携帯通信端末装置７０のダウンロード部２４ａは、サーバ１２からコンテンツリストを送受信部２２で受信し（ステップＳ７０５）、そのコンテンツリストを表示部２７に表示して、ユーザにより所望のコンテンツを選択させる（ステップＳ７０６）。ユーザにより所望のコンテンツを選択されると、携帯通信端末装置７０のダウンロード部２４ａは、そのコンテンツ選択情報を送受信部２２によりサーバ１２に送信する。
【０１６２】
次いで、サーバ１２は、携帯通信端末装置７０からコンテンツ選択情報を受信すると（ステップＳ７０７）、その選択されたコンテンツに対応する権利データリストを作成して携帯通信端末装置７０に送信する（ステップＳ７０８）。携帯通信端末装置７０のダウンロード部２４ａは、サーバ１２から権利データリストを送受信部２２で受信し（ステップＳ７０９）、そのコンテンツリストを表示部２７に表示して、ユーザにより所望の権利データを選択させる（ステップＳ７１０）。ユーザにより所望の権利データ（携帯通信端末装置７０専用・試聴用）を選択されると、携帯通信端末装置７０のダウンロード部２４ａは、その携帯通信端末装置７０専用・試聴用権利データ選択情報を送受信部２２によりサーバ１２に送信する。
【０１６３】
次いで、サーバ１２は、携帯通信端末装置７０から携帯通信端末装置７０専用・試聴用権利データ選択情報を受信すると（ステップＳ７１１）、先に選択されたコンテンツデータを携帯通信端末装置７０に送信する（ステップＳ７１２）。携帯通信端末装置７０のダ
ウンロード部２４ａは、サーバ１２からコンテンツデータを送受信部２２で受信すると（ステップＳ７１３）、そのコンテンツデータのインストールを管理部２４ｂに指示する。管理部２４ｂは、ダウンロード部２４ａからのコンテンツデータのインストール指示を受けて、ダウンロード部２４ａからコンテンツデータを取得し（ステップＳ７１５）、そのコンテンツデータを蓄積部２５に蓄積する（ステップＳ７１５、Ｓ７１６）。
【０１６４】
図３６にコンテンツデータの構成例を示す。コンテンツデータには、コンテンツＩＤ９０ａ、コンテンツ関連情報９０ｂ、ライセンス取得ＵＲＬ９０ｃ及びコンテンツ本体９１が含まれている。コンテンツＩＤ９０ａは、後述する携帯通信端末装置７０専用・試聴用権利データ及び共有用・購入用権利データに含まれるコンテンツＩＤ９３ｃと照合するためのＩＤ情報である。コンテンツ関連情報９０ｂは、コンテンツデータに関連する付加情報等である。コンテンツ本体９１は、コンテンツ暗号鍵により暗号化された状態で格納されており、そのコンテンツ暗号鍵は対応する権利データに格納されているため、対応する権利データが無いと利用できないようになっている。
【０１６５】
次いで、サーバ１２は、携帯通信端末装置７０専用・試聴用権利データを携帯通信端末装置７０に送信する（ステップＳ７１７）。携帯通信端末装置７０のダウンロード部２４ａは、サーバ１２から携帯通信端末装置７０専用・試聴用権利データを送受信部２２で受信すると（ステップＳ７１８）、その携帯通信端末装置７０専用・試聴用権利データを管理部２４ｂに出力する。管理部２４ｂは、ダウンロード部２４ａから携帯通信端末装置７０専用・試聴用権利データを取得すると（ステップＳ７１９）、その携帯通信端末装置７０専用・試聴用権利データを蓄積部２５に蓄積する（ステップＳ７２０）。
【０１６６】
図３７に携帯通信端末装置７０専用・試聴用権利データの構成例を示す。携帯通信端末装置７０専用・試聴用権利データには、装置専用・共有フラグ９３ａ、ライセンスＩＤ９３ｂ、コンテンツＩＤ９３ｃ、コンテンツ関連情報９３ｄ、コンテンツ再生制限９３ｅ及びコンテンツ復号鍵９４が含まれている。装置専用・共有フラグ９３ａは、権利データが特定の装置専用のものか、共有可能なものか示すフラグであり、本実施の形態の場合は携帯通信端末装置専用のものであることを示すフラグが設定されているものとする。ライセンスＩＤ９３ｂは、本権利データを識別するための固有のＩＤ情報である。コンテンツＩＤ９３ｃは、上記コンテンツデータに含まれるコンテンツＩＤ９０ａと照合するためのＩＤ情報である。コンテンツ関連情報９３ｄは、コンテンツデータに関連する付加情報等である。コンテンツ再生制限９３ｅは、コンテンツデータの再生を制限する情報が設定される。本実施例の場合は、例えば、試聴回数３回、試聴期限＊月＊日等の試聴に関して設定されているものとする。コンテンツ復号鍵９４は、上記コンテンツデータのコンテンツ本体９１の復号に利用される。
【０１６７】
次いで、携帯通信端末装置７０の管理部２４ｂは、蓄積部２５からコンテンツデータを読み出し（ステップＳ７２１、Ｓ７２２）、携帯通信端末装置７０専用・試聴用権利データを蓄積部２５から読み出す（ステップＳ７２３、Ｓ７２４）。続いて、管理部２４ｂは、読み出した携帯通信端末装置７０専用・試聴用権利データ及びコンテンツデータが携帯通信端末装置７０のＤＲＭシステム及び再生機能により試聴が可能か否かを判別する（ステップＳ７２５）。
【０１６８】
管理部２４ｂは、試聴可能であると判別した場合は（ステップＳ７２５：ＹＥＳ）、エコンテンツデータの試聴処理を実行し（ステップＳ７２６）、携帯通信端末装置７０専用・試聴用権利データの試聴履歴を更新し（ステップＳ７２７）、蓄積部２５の携帯通信端末装置専用・試聴用権利データ内容を更新する（ステップＳ７２８）。コンテンツデータの試聴処理は、携帯通信端末装置７０内のコンテンツ再生機能を利用して実行される。また、管理部２４ｂは、試聴不可能であると判別した場合は（ステップＳ７２５：ＮＯ）、
試聴処理を中断する。
【０１６９】
携帯通信端末装置７０専用・試聴用権利データには、例えば、試聴回数３回、試聴期限＊月＊日まで、といった試聴に関わる制限情報が設定されている。ユーザが携帯通信端末装置７０よりコンテンツデータを試聴し、制限情報に設定された条件に達した場合は、例えば、試聴が不可能になったことと、コンテンツの購入希望の問い合わせ等を含むメッセージを表示部２７に表示して、ユーザに試聴後のコンテンツ購入操作を促す。そして、ユーザがコンテンツの購入を希望した場合は、図３５の処理に移行する。
【０１７０】
次に、図３５において、携帯通信端末装置７０の管理部２４ｂは、蓄積部２５からコンテンツデータを読み出し（ステップＳ８０１、Ｓ８０２）、そのコンテンツデータに格納されたライセンス取得ＵＲＬ９０ｃを読み出して（ステップＳ８０３）、ダウンロード部２４ａに出力する。
【０１７１】
ダウンロード部２４ａは、管理部２４ｂから入力されたライセンス取得ＵＲＬ９０ｃによりブラウザを起動し（ステップＳ８０４）、サーバ１２にアクセスする（ステップＳ８０５）。サーバ１２は、携帯通信端末装置７０からライセンス取得ＵＲＬにアクセスされると、権利データリストを作成し（ステップＳ８０６）、その権利データリストを携帯通信端末装置７０に送信する（ステップＳ８０７）。携帯通信端末装置８０のダウンロード部２４ａは、サーバ１２から権利データリストを受信すると（ステップＳ８０８）、その権利データリストを表示部２７に表示して、ユーザにより所望の権利データを選択させる（ステップＳ８０９）。ユーザにより所望の権利データ（共有用・購入用）を選択されると、携帯通信端末装置７０のダウンロード部２４ａは、その共有用・購入用権利データ選択情報を送受信部２２によりサーバ１２に送信する。
【０１７２】
次いで、サーバ１２は、携帯通信端末装置７０から共有用・購入用権利データ選択情報を受信すると（ステップＳ８１０）、該当する共有用・購入用権利データを携帯通信端末装置７０に送信して（ステップＳ８１１）、処理を終了する。携帯通信端末装置７０のダウンロード部２４ａは、サーバ１２から共有用・購入用権利データを受信すると（ステップＳ８１２）、その共有用・購入用権利データを管理部２４ｂに出力して、処理を終了する。管理部２４ｂは、ダウンロード部２４ａから共有用・購入用権利データを取得すると（ステップＳ８１３）、その共有用・購入用権利データを蓄積部２５に蓄積する（ステップＳ８１４）。
【０１７３】
図３７に共有用・購入用権利データの構成例を示す。上記携帯通信端末装置７０専用・試聴用権利データと同一フォーマットであるが、装置専用・共有フラグ９３ａは、権利データが特定の装置専用のものか、共有可能なものか示すフラグであり、本実施の形態の場合は携帯通信端末装置７０と携帯通信端末装置８０との間で共有可能なものであることを示すフラグが設定されているものとする。コンテンツ再生制限９３ｅは、コンテンツデータの再生を制限する情報が設定される。本実施の形態の場合は、「制限無し」が設定されているものとする。コンテンツ復号鍵９４は、上記携帯通信端末装置７０専用・試聴用権利データと同一でなければならないが、ライセンスＩＤ９３ｃは携帯通信端末装置７０専用・試聴用権利データとは別個のＩＤが設定されている。
【０１７４】
携帯通信端末装置７０と携帯通信端末装置８０間で共有可能とは、携帯通信端末装置７０及び携帯通信端末装置８０がこの同一の権利データを利用したコンテンツ再生が可能と言う意味である。例えば、権利データ内にさらに携帯通信端末装置７０及び携帯通信端末装置８０が属する端末装置群固有のＩＤ情報を記述し、そのＩＤ情報をもつ端末装置群でのみコンテンツ再生可能とする方法で実現可能である。また、コンテンツ復号鍵９４をさらに端末装置群固有の秘密鍵を用いて暗号化する方法でも実現可能である。
【０１７５】
次いで、管理部２４ｂは、蓄積部２５からコンテンツデータを読み出し（ステップＳ８１５、Ｓ８１７）、そのコンテンツデータをメモリカードＩ／Ｆ部２６を介してメモリカード１３に蓄積する（ステップＳ８１７、Ｓ８１８）。次いで、管理部２４ｂは、蓄積部２５から共有用・購入用権利データを読み出し（ステップＳ８１９、Ｓ８２０）、その共有用・購入用権利データが携帯通信端末装置８０のＤＲＭシステムと共有可能なものか否かを判別する（ステップＳ８２１）。
【０１７６】
管理部２４ａは、共有用・購入用権利データが携帯通信端末装置８０のＤＲＭシステムと共有可能であると判別した場合は（ステップＳ８２１：ＹＥＳ）、共有用・購入用権利データをメモリカードＩ／Ｆ部２６を介してメモリカード１３に蓄積する（ステップＳ８２２、Ｓ８２３）。また、管理部２４ａは、共有用・購入用権利データが携帯通信端末装置８０のＤＲＭシステムと共有不可であると判別した場合は（ステップＳ８２１：ＮＯ）、ステップＳ８１９に戻り、他の共有用・購入用権利データを読み出して同様の判別処理を繰り返す。
【０１７７】
そして、携帯通信端末装置７０の表示部２７には、コンテンツデータと共有用・購入用権利データのメモリカード１３への蓄積処理が終了した旨が表示される。この表示により、ユーザは携帯通信端末装置７０からメモリカード１３を外し、携帯通信端末装置８０に装着する（ステップＳ８２４）。携帯通信端末装置８０の管理部２４ｂは、メモリカード１３がメモリカードＩ／Ｆ部２６に装着されたことを認識すると、メモリカードＩ／Ｆ部２６を介してメモリカード１３からコンテンツデータを読み出し（ステップＳ８２５、Ｓ８２６）、共有用・購入用権利データを読み出して（ステップＳ８２７、Ｓ８２８）、本処理を終了する。そして、携帯通信端末装置８０では、メモリカード１３から読み出したコンテンツデータと共有用・購入用権利データにより、コンテンツデータの再生が可能となる。
【０１７８】
以上のように、本実施の形態４のコンテンツ配信システムでは、同一の端末装置群において試聴機能を有する携帯通信端末装置７０と試聴機能を持たない携帯通信端末装置８０との間でコンテンツデータと権利データを共有するため、携帯通信端末装置７０は、サーバ１２からコンテンツデータと携帯通信端末装置７０専用試聴用権利データをダウンロードし、そのコンテンツデータの試聴を可能とした。その試聴後は、携帯通信端末装置７０は、サーバ１２から共有・購入用権利データをダウンロードし、その共有・購入用権利データと先にダウンロードしたコンテンツデータをメモリカード１３に蓄積し、そのメモリカード１３を携帯通信端末装置８０に装着することにより、携帯通信端末装置８０にコンテンツデータの購入及び再生を可能とした。
【０１７９】
したがって、同一の端末装置群において試聴機能を持たない携帯通信端末装置８０のユーザは、中継となる携帯通信端末装置７０の端末装置上での試聴によりコンテンツデータの内容を確認した後、携帯通信端末装置８０とコンテンツデータ及び権利データを共有することが可能になる。
【０１８０】
また、音楽再生専用端末等の試聴機能を持たない端末装置においても、中継となる携帯電話装置等の別の携帯通信端末装置上で携帯端末装置のユーザが試聴してコンテンツの内容を確認した後、コンテンツデータの購入を可能とし、ユーザが必要とするコンテンツに対してのみ課金処理を実行することが可能になる。
【０１８１】
また、音楽再生専用端末等の通信機能及び試聴機能を持たない携帯端末装置においてもコンテンツの試聴を確認した後、コンテンツの購入を可能としたため、コンテンツを提供可能なユーザ層を拡大することができ、コンテンツビジネスの発展に寄与することができ
る。
【０１８２】
また、本実施の形態のコンテンツ配信システムでは、携帯通信端末装置７０と携帯通信装置８０との間の共有はメモリカードを利用したが、その他にＢｌｕｅｔｏｏｔｈやＵＳＢ、ＩｒＤＡ経由での共有でも良い。
【０１８３】
また、図３４において、サーバ１２からコンテンツリストを携帯通信端末装置７０に送信（ステップＳ７０４）後に、コンテンツに関わる権利データリストを携帯通信端末装置４０に送信している（ステップＳ７０８）が、コンテンツリストと権利データリストを同時に送信し、コンテンツの選択と試聴用権利データの取得を同時に行っても良い。
【０１８４】
また、図３４において、サーバ１２からコンテンツデータを受信（ステップＳ７１３）後に、携帯通信端末装置７０専用・試聴用権利データを受信しているが（ステップＳ７１８）、携帯通信端末装置７０専用・試聴用権利データの送信後にコンテンツデータを送信しても良い。
【０１８５】
また、図３４において、サーバ１２からコンテンツデータを受信（ステップＳ７１３）後に、携帯通信端末装置７０専用・試聴用権利データを受信しているが（ステップＳ７１８）、コンテンツデータと携帯通信端末装置７０専用・試聴用権利データを同梱して配信しても良い。
【０１８６】
また、図３４のステップの終了後、携帯通信端末装置７０専用・試聴用権利データの制限情報に設定された条件に達し、かつユーザがコンテンツの購入を希望した場合は、図３５の処理に移行したが、携帯通信端末装置７０専用・試聴用権利データの制限情報に設定された条件に達していなくとも、コンテンツの購入希望の問い合わせ等を含むメッセージを表示部２７に表示して、ユーザに試聴後のコンテンツ購入操作を促し、ユーザがコンテンツの購入を希望した場合は、図３５の処理に移行しても良い。
【０１８７】
また、本実施の形態のコンテンツ配信システムでは、共有用・購入用権利データとして、試聴回数３回、試聴期限＊月＊日等の制限情報が設定されていない権利データを想定したが、その代替として、携帯通信端末装置７０及び携帯通信端末装置８０の双方のＤＲＭシステムが対応している制限があっても良い。
【０１８８】
また、本実施の形態のコンテンツ配信システムでは、試聴後に購入を行うが、携帯通信端末装置７０専用・試聴用権利データは必ずしも無料でなくても良い。例えば携帯通信端末装置７０専用・試聴用権利データ及び共有用・購入用権利データは共に有料であるが、携帯通信端末装置７０専用・試聴用権利データの方が安い価格設定であっても良い。また、逆に共有用・購入用権利データが無料であっても良い。
【０１８９】
また、本実施の形態のコンテンツ配信システムでは、ライセンス取得ＵＲＬ３０ｃはコンテンツデータ内に格納されていたが、携帯通信端末装置７０専用・試聴用権利データ内に格納されていても良い。
【０１９０】
また、本実施の形態のコンテンツ配信システムでは、試聴のために携帯通信端末装置７０専用・試聴用権利データを利用したが、上記実施の形態２のように試聴用コンテンツと購入用コンテンツを同梱して配信しても良い。
【０１９１】
また、本実施の形態のコンテンツ配信システムでは、コンテンツデータ、携帯通信端末装置７０専用・試聴用権利データ、共有用・購入用権利データはすべて通信ネットワーク１４経由でサーバ１２から取得しているが、インターネット等の有線ネットワーク、放送
ネットワーク、他端末等からデータを取得しても良い。
【０１９２】
また、本実施の形態のコンテンツ配信システムでは、画像や文字表示の場合は本実施例のように表示部２７を使用するが、さらにスピーカ等を備え、音楽等の再生の場合はスピーカ等を利用しても良い。
【０１９３】
本発明のデータ処理装置の第１の態様は、配信元から配信されたコンテンツを一時的に記憶する着脱可能な記憶媒体と、前記配信元から前記コンテンツに対する試聴用権利データを取得する取得手段と、前記試聴用権利データに従って前記記憶されたコンテンツの試聴処理を行う試聴処理手段と、前記試聴処理後、前記取得手段により前記配信元から前記コンテンツの取扱いに関する権利データを取得する取得手段と、当該権利データと前記記憶されたコンテンツを読み出してエクスポート先のコンテンツ取扱い管理システムに適合するように変換する変換手段と、前記変換された権利データとコンテンツを前記記憶媒体に蓄積する管理手段と、を備える構成を採る。
【０１９４】
この構成によれば、エクスポート先の端末装置が試聴機能を有していなくても、かつエクスポート先の端末装置が大容量コンテンツの蓄積機能を有していなくても、エクスポート元で着脱可能な記憶媒体を利用して大容量コンテンツの試聴を可能とすることができる。また、ユーザは、大容量コンテンツの試聴によってコンテンツの内容を確認した後、コンテンツの取扱いに関する権利データの購入を判断することができ、必要とするコンテンツに対してのみ課金処理を実行することができる。
【０１９５】
本発明のデータ処理装置の第２の態様は、上記第１の態様に記載のデータ処理装置において、前記取得手段は、前記配信元から前記コンテンツに対する試聴用権利データを取得し、前記試聴処理手段は、前記試聴用権利データに従って前記記憶されたコンテンツの試聴処理を行う構成を採る。
【０１９６】
この構成によれば、エクスポート先の携帯端末装置が試聴機能を有していなくても、かつエクスポート先の端末自身が大容量コンテンツの蓄積機能を有していなくても、エクスポート元で記憶媒体を利用して大容量コンテンツの試聴を可能とすることができる。また、ユーザは、大容量コンテンツの試聴によってコンテンツの内容を確認した後、コンテンツの取扱いに関する権利データの購入を判断することができ、必要とするコンテンツに対してのみ課金処理を実行することができる。
【０１９７】
本発明のデータ処理装置の第３の態様は、上記第１の態様に記載のデータ処理装置において、前記記憶媒体は、前記配信元から配信された試聴用コンテンツと購入用コンテンツを一時的に記憶し、前記試聴処理手段は、前記記憶された試聴用コンテンツの試聴処理を行う構成を採る。
【０１９８】
この構成によれば、配信元から同梱して配信された試聴用コンテンツと購入用コンテンツを記憶媒体に記憶するため、ユーザは、試聴してコンテンツの内容を確認した後に、購入用権利データのみを取得するだけで、記憶媒体を介して購入用コンテンツを購入することができ、購入用コンテンツを取得する手間を削減することができる。
【０１９９】
本発明のデータ処理装置の第４の態様は、上記第３の態様に記載のデータ処理装置において、前記試聴用コンテンツと前記購入用コンテンツは、前記配信元から同梱して配信される構成を採る。
【０２００】
この構成によれば、配信元から同梱して配信された試聴用コンテンツと購入用コンテンツを記憶媒体に記憶するため、ユーザは、試聴してコンテンツの内容を確認した後に、購
入用権利データのみを取得するだけで、記憶媒体を介して購入用コンテンツを購入することができ、購入用コンテンツを取得する手間を削減することができる。
【０２０１】
本発明のデータ処理装置の第５の態様は、上記第１の態様に記載のデータ処理装置において、前記コンテンツのエクスポート先が試聴機能を持たないコンテンツ取扱い管理システムである構成を採る。
【０２０２】
この構成によれば、エクスポート先の携帯端末装置が試聴機能を有していなくても、かつエクスポート先の端末自身が大容量コンテンツの蓄積機能を有していなくても、エクスポート元で記憶媒体を利用して大容量コンテンツの試聴を可能とすることができる。
【０２０３】
本発明のデータ処理装置の第６の態様は、上記第１の態様に記載のデータ処理装置において、前記記憶媒体が着脱可能である構成を採る。
【０２０４】
この構成によれば、エクスポート先の携帯端末装置が試聴機能を有していなくても、かつエクスポート先の端末自身が大容量コンテンツの蓄積機能を有していなくても、エクスポート元で記憶媒体を利用して大容量コンテンツを試聴し購入処理をした後、エクスポート元のデータ処理装置から記憶媒体を外し、エクスポート先の携帯端末装置に装着するだけで、購入したコンテンツを利用することが可能になる。
【０２０５】
本発明のデータ処理装置の第７の態様は、コンテンツに関する権利データを含むデータ処理を行うデータ処理装置であって、配信元から配信されたコンテンツを蓄積する蓄積手段と、データを転送する転送手段と、前記記憶されたコンテンツの試聴処理を行う試聴処理手段と、前記配信元から前記コンテンツの取扱いに関する権利データを取得する取得手段と、前記権利データと前記蓄積されたコンテンツを前記転送手段により転送する管理手段と、を備える構成を採る。
【０２０６】
この構成によれば、音楽再生専用端末等の通信機能及び試聴機能を持たない転送先の端末装置においても、中継となる携帯電話装置等の別の転送元端末装置上でエクスポート先端末装置のユーザが試聴してコンテンツの内容を確認した後、コンテンツデータの購入を可能とし、ユーザが必要とするコンテンツに対してのみ課金処理を実行することが可能になる。また、音楽再生専用端末等の通信機能及び試聴機能を持たない端末装置においてもコンテンツの試聴を確認した後、コンテンツの購入を可能としたため、コンテンツを提供可能なユーザ層を拡大することができ、コンテンツビジネスの発展に寄与することができる。
【０２０７】
本発明のデータ処理装置の第８の態様は、上記第７の態様に記載のデータ処理装置において、前記権利データは、前記転送先の端末装置専用の権利データである構成を採る。
【０２０８】
この構成によれば、音楽再生専用端末等の通信機能及び試聴機能を持たない転送先の端末装置においても、中継となる携帯電話装置等の別の転送元端末装置上で転送先の端末装置専用のコンテンツの内容をユーザが試聴して確認した後、コンテンツデータの購入を可能とし、転送先の端末装置専用のユーザが必要とするコンテンツに対してのみ課金処理を実行することが可能になる。
【０２０９】
本発明のデータ処理装置の第９の態様は、上記第７の態様に記載のデータ処理装置において、前記取得手段は、前記配信元から前記コンテンツに対する試聴用権利データを取得し、前記試聴処理手段は、前記試聴用権利データに従って前記記憶されたコンテンツの試聴処理を行う構成を採る。
【０２１０】
この構成によれば、音楽再生専用端末等の通信機能及び試聴機能を持たない転送先の端末装置においても、中継となる携帯電話装置等の別の転送元端末装置上で転送先の端末装置のコンテンツの内容をユーザが試聴して確認した後、コンテンツデータの購入が可能になる。
【０２１１】
本発明のデータ処理装置の第１０の態様は、上記第７の態様に記載のデータ処理装置において、前記コンテンツの転送先が試聴機能を持たないコンテンツ取扱い管理システムである構成を採る。
【０２１２】
この構成によれば、音楽再生専用端末等の通信機能及び試聴機能を持たない転送先の端末装置においても、中継となる携帯電話装置等の別の転送元端末装置上で転送先の端末装置のコンテンツの内容をユーザが試聴して確認した後、コンテンツデータの購入が可能になる。
【０２１３】
本発明のデータ処理装置の第１１の態様は、コンテンツに関する権利データを含むデータ処理を行うデータ処理装置であって、配信元から配信されたコンテンツを蓄積する蓄積手段と、データを共有する共有手段と、前記記憶されたコンテンツの試聴処理を行う試聴処理手段と、前記配信元から前記コンテンツに対する権利データを取得する取得手段と、前記権利データと前記蓄積されたコンテンツを前記共有手段により共有する管理手段と、を備える構成を採る。
【０２１４】
この構成によれば、同一の端末装置群において試聴機能を持たない共有先端末装置のユーザは、中継となる共有元端末装置上での試聴によりコンテンツの内容を確認した後、共有元端末装置と共有先端末装置でコンテンツ及び権利データを共有することが可能になる。また、音楽再生専用端末等の試聴機能を持たない共有先端末装置においても、中継となる携帯電話装置等の別の共有元端末装置上で共有先端末装置のユーザが試聴してコンテンツの内容を確認した後、コンテンツの購入を可能とし、ユーザが必要とするコンテンツに対してのみ課金処理を実行することが可能になる。また、音楽再生専用端末等の通信機能及び試聴機能を持たない共有先端末装置においてもコンテンツの試聴を確認した後、コンテンツの購入を可能としたため、コンテンツを提供可能なユーザ層を拡大することができ、コンテンツビジネスの発展に寄与することができる。
【０２１５】
本発明のデータ処理装置の第１２の態様は、上記第１１の態様に記載のデータ処理装置において、前記権利データは、前記共有元端末装置及び前記共有先端末装置にて共有可能な権利データである構成を採る。
【０２１６】
この構成によれば、同一の端末装置群において共有元端末装置と共有先端末装置でコンテンツ及び権利データを共有することが可能になり、共有先端末装置において権利データを取得する処理を省略することができ、通信コストを削減することができる。
【０２１７】
本発明のデータ処理装置の第１３の態様は、上記第１１の態様に記載のデータ処理装置において、前記取得手段は、前記配信元から前記コンテンツに対する試聴用権利データを取得し、前記試聴処理手段は、前記試聴用権利データに従って前記記憶されたコンテンツの試聴処理を行う構成を採る。
【０２１８】
この構成によれば、音楽再生専用端末等の通信機能及び試聴機能を持たない共有先の端末装置においても、中継となる携帯電話装置等の別の共有元端末装置上で共有先端末装置のユーザが試聴してコンテンツの内容を確認した後、コンテンツデータの購入を可能とし、ユーザが必要とするコンテンツに対してのみ課金処理を実行することが可能になる。また、音楽再生専用端末等の通信機能及び試聴機能を持たない端末装置においてもコンテン
ツの試聴を確認した後、コンテンツの購入を可能としたため、コンテンツを提供可能なユーザ層を拡大することができ、コンテンツビジネスの発展に寄与することができる。
【０２１９】
本発明のデータ処理装置の第１４の態様は、上記第１１の態様に記載のデータ処理装置において、前記コンテンツの共有先が試聴機能を持たないコンテンツ取扱い管理システムである構成を採る。
【０２２０】
この構成によれば、同一の端末装置群において試聴機能を持たない共有先端末装置のユーザは、中継となる共有元端末装置上での試聴によりコンテンツの内容を確認した後、共有元端末装置と共有先端末装置でコンテンツ及び権利データを共有することが可能になる。また、音楽再生専用端末等の試聴機能を持たない共有先端末装置においても、中継となる携帯電話装置等の別の供給元端末装置上で共有先端末装置のユーザが試聴してコンテンツの内容を確認した後、コンテンツの購入を可能とし、ユーザが必要とするコンテンツに対してのみ課金処理を実行することが可能になる。
【０２２１】
本明細書は、２００４年６月１５日出願の特願２００４−１７７５８２に基づく。この内容はすべてここに含めておく。
【産業上の利用可能性】
【０２２２】
本発明は、再生専用端末で大容量コンテンツデータの試聴を実現し、端末間の転送機能を活かしつつ、試聴後のコンテンツの購入を実現し、かつ異なるコンテンツ取扱いシステムへコンテンツデータをエクスポートすることを可能にし、携帯情報端末、携帯電話装置などの電子機器や、メモリカードなどの記録媒体などにおいて、デジタルコンテンツの取扱いに関する権利データを含むデータの処理を行うデータ処理装置等に有用である。
【図面の簡単な説明】
【０２２３】
【図１】本発明の実施の形態１に係るコンテンツ配信システムの全体構成を示す図
【図２】本実施の形態１に係る図１の携帯通信端末装置の内部構成を示すブロック図
【図３】本実施の形態１に係るエクスポート前試聴用権利データとエクスポート前コンテンツデータのダウンロード動作を模式的に示した図
【図４】本実施の形態１に係るエクスポート前試聴用権利データを利用したエクスポート前コンテンツデータの試聴動作を模式的に示した図
【図５】本実施の形態１に係るエクスポート前制限無し権利データのダウンロード動作を模式的に示した図
【図６】本実施の形態１に係るエクスポート前制限無し権利データ及びコンテンツデータのエクスポート動作を模式的に示した図
【図７】本実施の形態１に係るエクスポート前試聴用権利データとエクスポート前コンテンツデータのダウンロード動作と試聴動作の詳細を示す図
【図８】本実施の形態１に係るエクスポート前制限無し権利データのダウンロード動作とエクスポート前制限無し権利データ及びコンテンツデータのエクスポート動作の詳細を示す図
【図９】本実施の形態１に係るコンテンツデータの構成例を示す図
【図１０】本実施の形態１に係るエクスポート前試聴用権利データ及びエクスポート前制限無し権利データの構成例を示す図
【図１１】本発明の実施の形態２に係る試聴用コンテンツデータとエクスポート前購入用コンテンツデータのダウンロード動作を模式的に示した図
【図１２】本実施の形態２に係る試聴用コンテンツデータの試聴動作を模式的に示した図
【図１３】本実施の形態２に係るエクスポート前制限無し権利データのダウンロード動作を模式的に示した図
【図１４】本実施の形態２に係るエクスポート前コンテンツデータの制限無し権利データとコンテンツデータのエクスポート動作を模式的に示した図
【図１５】本実施の形態２に係るエクスポート前ダウンロード動作及び試聴動作の詳細を示す図
【図１６】本実施の形態２に係るエクスポート前制限無し権利データのダウンロード動作とエクスポート前制限無し権利データ及びコンテンツデータのエクスポート動作の詳細を説明する図
【図１７】本実施の形態２に係るエクスポート前試聴用コンテンツデータ＋購入用コンテンツデータの構成例を示す図
【図１８】本実施の形態２に係るエクスポート前制限無し権利データの構成例を示す図
【図１９】本発明の実施の形態３に係る携帯通信端末装置の内部構成を示すブロック図
【図２０】本実施の形態３に係る携帯端末装置の内部構成を示すブロック図
【図２１】本実施の形態３に係るコンテンツデータと携帯通信端末装置専用試聴用権利データのダウンロード動作を模式的に示した図
【図２２】本実施の形態３に係るコンテンツデータと携帯通信端末装置専用試聴用権利データの試聴動作を模式的に示した図
【図２３】本実施の形態３に係る携帯端末装置専用制限無し権利データを利用したコンテンツデータのダウンロード動作を模式的に示した図
【図２４】本実施の形態３に係る携帯端末装置専用制限無し権利データ及びコンテンツデータのエクスポート動作を模式的に示した図
【図２５】本実施の形態３に係る携帯通信端末装置専用試聴用権利データとコンテンツデータのダウンロード動作及び試聴動作の詳細を示す図
【図２６】本実施の形態３に係る携帯端末装置専用制限無し権利データのダウンロード動作、携帯端末装置専用制限無し権利データ及びコンテンツデータの転送動作の詳細を示す図
【図２７】本実施の形態３に係るコンテンツデータの構成例を示す図
【図２８】本実施の形態３に係る携帯通信端末装置専用試聴用権利データ及び携帯端末専用・購入用権利データの構成例を示す図
【図２９】本発明の実施の形態４に係る携帯通信端末装置の内部構成を示すブロック図
【図３０】本実施の形態４に係るコンテンツデータと携帯通信端末装置専用試聴用権利データのダウンロード動作を模式的に示した図
【図３１】本実施の形態４に係る携帯通信端末装置専用試聴用権利データを利用したコンテンツデータの試聴動作を模式的に示した図
【図３２】本実施の形態４に係る共有用・購入用権利データのダウンロード動作を模式的に示した図
【図３３】本実施の形態４に係る共有用・購入用権利データ及びコンテンツデータのコピー動作を模式的に示した図
【図３４】本実施の形態４に係るコンテンツデータ及び携帯通信端末装置専用試聴用権利データのダウンロード動作と試聴動作の詳細を示す図
【図３５】本実施の形態４に係る共有用・購入用権利データをダウンロード動作と、コンテンツデータ及び共有用・購入用権利データのコピー動作の詳細を示す図
【図３６】本実施の形態４に係るコンテンツデータの構成例を示す図
【図３７】本実施の形態４に係る携帯通信端末装置専用試聴用権利データ及び共有用・購入用権利データの構成例を示す図
【手続補正３】
【補正対象書類名】図面
【補正対象項目名】全図
【補正方法】変更
【補正の内容】
【図１】
2005124573.tif 000039
【図２】
2005124573.tif 000040
【図３】
2005124573.tif 000041
【図４】
2005124573.tif 000042
【図５】
2005124573.tif 000043
【図６】
2005124573.tif 000044
【図７】
2005124573.tif 000045
【図８】
2005124573.tif 000046
【図９】
2005124573.tif 000047
【図１０】
2005124573.tif 000048
【図１１】
2005124573.tif 000049
【図１２】
2005124573.tif 000050
【図１３】
2005124573.tif 000051
【図１４】
2005124573.tif 000052
【図１５】
2005124573.tif 000053
【図１６】
2005124573.tif 000054
【図１７】
2005124573.tif 000055
【図１８】
2005124573.tif 000056
【図１９】
2005124573.tif 000057
【図２０】
2005124573.tif 000058
【図２１】
2005124573.tif 000059
【図２２】
2005124573.tif 000060
【図２３】
2005124573.tif 000061
【図２４】
2005124573.tif 000062
【図２５】
2005124573.tif 000063
【図２６】
2005124573.tif 000064
【図２７】
2005124573.tif 000065
【図２８】
2005124573.tif 000066
【図２９】
2005124573.tif 000067
【図３０】
2005124573.tif 000068
【図３１】
2005124573.tif 000069
【図３２】
2005124573.tif 000070
【図３３】
2005124573.tif 000071
【図３４】
2005124573.tif 000072
【図３５】
2005124573.tif 000073
【図３６】
2005124573.tif 000074
【図３７】
2005124573.tif 000075
【国際調査報告】
2005124573.tif 000076
2005124573.tif 000077
2005124573.tif 000078
2005124573.tif 000079